(57)【要約】  主情報の読み取り精度を悪化させることなく、主情報を再生するのに必要な副情報を記録し、光ディスクの不正な複製を防止する。  光ディスク１は、変調された主情報に従って、チャネルビット長の整数倍に同期した凹凸マークＭＫが形成された後、凹凸マークＭＫ上に反射膜１Ｌが形成され、光ディスク１が成形された後、凹凸マークＭＫの円周方向に形成された螺旋状のトラックに従って、凹凸マークＭＫの最長マークよりも長い間隔で、かつチャネルビット長の整数倍に同期した連続的又は間欠的なレーザ光が照射されることによって、反射膜１Ｌの光学的特性を変化させて追記マークＳＭＫが形成され、主情報を再生するのに必要な副情報が重畳記録される。
2007139077.tif 000002
【特許請求の範囲】
【請求項１】
変調された主情報に従って、チャネルビット長の整数倍に同期した凹凸マークを形成した後、前記凹凸マーク上に反射膜を形成した光ディスクであって、
前記光ディスクが成形された後、前記凹凸マークの円周方向に形成された螺旋状のトラックに従って、前記凹凸マークの最長マークよりも長い間隔で、かつ前記チャネルビット長の整数倍に同期した連続的又は間欠的なレーザ光が照射されることによって、前記反射膜の光学的特性を変化させて追記マークが形成され、前記主情報を再生するのに必要な副情報が重畳記録されることを特徴とする光ディスク。
【請求項２】
前記追記マークは、前記凹凸マークの円周方向に形成された螺旋状のトラック上に形成されていることを特徴とする請求項１記載の光ディスク。
【請求項３】
前記追記マークは、前記レーザ光が照射された部分の前記反射膜の反射率を高くすることにより形成されることを特徴とする請求項２記載の光ディスク。
【請求項４】
前記副情報の１ビットは、複数の追記マークを伴って記録されていることを特徴とする請求項３記載の光ディスク。
【請求項５】
前記追記マークを形成することによって生じる反射光レベルの変動である追記マークの変調度は、前記凹凸マークの反射光レベルと前記凹凸マーク以外の前記反射膜の反射光レベルとの差である凹凸マークの変調度より小さいことを特徴とする請求項４記載の光ディスク。
【請求項６】
前記追記マークの変調度は、前記凹凸マークの変調度の１／２より平均的に小さいことを特徴とする請求項５記載の光ディスク。
【請求項７】
前記追記マークの半径方向の幅は、前記凹凸マークの半径方向の幅に比べて狭いことを特徴とする請求項６記載の光ディスク。
【請求項８】
前記副情報は、擬似乱数系列によって周波数拡散されて記録されていることを特徴とする請求項７記載の光ディスク。
【請求項９】
前記副情報は、ＰＥ変調が施されて記録されていることを特徴とする請求項８記載の光ディスク。
【請求項１０】
前記追記マークは、前記凹凸マーク上の前記トラックに直交する方向に形成され、
前記副情報は、前記追記マークが形成された領域の前記光ディスクにおける物理的な位置を表す物理位置情報を含むことを特徴とする請求項９記載の光ディスク。
【請求項１１】
前記追記マークの半径方向の幅は、前記凹凸マークの半径方向の幅に比べて狭いことを特徴とする請求項１記載の光ディスク。
【請求項１２】
前記追記マークは、前記凹凸マークの円周方向に形成された螺旋状のトラック上に形成されていることを特徴とする請求項１記載の光ディスク。
【請求項１３】
前記追記マークは、前記凹凸マークの円周方向に形成された螺旋状のトラック間に形成されていることを特徴とする請求項１記載の光ディスク。
【請求項１４】
前記追記マークは、前記凹凸マークを有する第１のトラックと前記第１のトラックに隣接する第２のトラックとの中間位置に形成されていることを特徴とする請求項１３記載の光ディスク。
【請求項１５】
前記追記マークは、前記凹凸マークを有する第１のトラックと前記第１のトラックに隣接する第２のトラックとの中間位置より、前記第１のトラック側に形成されていることを特徴とする請求項１３記載の光ディスク。
【請求項１６】
前記副情報の１ビットは、複数の追記マークを伴って記録されていることを特徴とする請求項１記載の光ディスク。
【請求項１７】
前記副情報の１ビットは、間欠的に形成された前記追記マークの集合として記録されていることを特徴とする請求項１記載の光ディスク。
【請求項１８】
前記追記マークの円周方向の長さは、前記凹凸マークの円周方向の最短マーク長以下であることを特徴とする請求項１７記載の光ディスク。
【請求項１９】
前記追記マークの円周方向の長さは、前記チャネルビット長以下であることを特徴とする請求項１７記載の光ディスク。
【請求項２０】
前記追記マークを形成することによって生じる反射光レベルの変動である追記マークの変調度は、前記凹凸マークの反射光レベルと前記凹凸マーク以外の前記反射膜の反射光レベルとの差である凹凸マークの変調度より小さいことを特徴とする請求項１記載の光ディスク。
【請求項２１】
前記追記マークの変調度は、前記凹凸マークの変調度の１／２より平均的に小さいことを特徴とする請求項２０記載の光ディスク。
【請求項２２】
前記追記マークは、前記レーザ光が照射された部分の前記反射膜の反射率を高くすることにより形成されることを特徴とする請求項１記載の光ディスク。
【請求項２３】
前記副情報は、擬似乱数系列によって周波数拡散されて記録されていることを特徴とする請求項１記載の光ディスク。
【請求項２４】
前記副情報は、ＰＥ変調が施されて記録されていることを特徴とする請求項１記載の光ディスク。
【請求項２５】
前記追記マークは、前記凹凸マーク上の前記トラックに直交する方向に形成され、
前記副情報は、前記追記マークが形成された領域の前記光ディスクにおける物理的な位置を表す物理位置情報を含むことを特徴とする請求項１記載の光ディスク。
【請求項２６】
変調された主情報に従って、チャネルビット長の整数倍に同期した凹凸マークを形成した光ディスク原盤を作成するマスタリングステップと、
前記光ディスク原盤の凹凸マークを、光ディスク基板に転写するスタンプステップと、
前記光ディスク基板上に反射膜を形成するスパッタリングステップと、
前記スパッタリングステップにおいて前記光ディスクの凹凸マーク上に反射膜が形成された後、前記凹凸マークの円周方向に形成された螺旋状のトラックに従って、前記凹凸マークの最長マークより長い間隔で、かつ前記チャネルビット長の整数倍に同期した連続的又は間欠的なレーザ光が照射されることによって、前記反射膜の光学的特性を変化させて追記マークを形成し、前記主情報を再生するのに必要な副情報を重畳記録する副情報記録ステップとを含むことを特徴とする光ディスク製造方法。
【請求項２７】
予め主情報が凹凸マークによって記録された光ディスクに、前記主情報を再生するのに必要な副情報を重畳記録する光ディスク記録装置であって、
前記凹凸マークの円周方向に形成された螺旋状のトラックに従ってレーザ光が照射される位置を制御するトラッキング部と、
前記凹凸マークに再生レーザ光を照射した反射光から再生信号を抽出する再生信号抽出部と、
前記凹凸マークのチャネルビット長に同期したチャネルクロックを抽出するクロック抽出部と、
前記チャネルクロックの整数倍で、かつ前記再生信号の帯域よりも低い帯域に同期した記録レーザ光を照射し、前記光ディスクの記録面に形成された反射膜の光学的特性を変化させて追記マークを形成し、前記光ディスクに前記副情報を重畳記録する副情報記録部とを備えることを特徴とする光ディスク記録装置。
【請求項２８】
光ディスクの凹凸マークから主情報を再生するとともに、レーザ光が照射されることによって前記光ディスクの反射膜の光学的特性を変化させて形成された追記マークから前記主情報を再生するのに必要な副情報を再生する光ディスク再生装置であって、
前記凹凸マークの円周方向に形成された螺旋状のトラックに従って前記レーザ光が照射される位置を制御するトラッキング部と、
前記凹凸マークに再生レーザを照射した反射光から再生信号を抽出する再生信号抽出部と、
前記再生信号からチャネルビット長に同期したチャネルクロックを抽出するクロック抽出部と、
前記再生信号から凹凸マークに対応した凹凸マーク再生信号と、前記追記マークに対応した追記マーク再生信号とを分離する分離部と、
前記チャネルクロックの整数倍で、かつ前記凹凸マーク再生信号の帯域よりも低い帯域に同期した前記追記マーク再生信号から前記副情報を再生する副情報再生部とを備えることを特徴とする光ディスク再生装置。
【請求項２９】
前記再生信号から所定間隔で付与されている同期符号を検出する同期符号検出部をさらに備え、
前記副情報再生部は、前記同期符号検出部による前記同期符号の検出タイミングに同期して前記副情報を再生することを特徴とする請求項２８記載の光ディスク再生装置。
【請求項３０】
前記分離部は、前記再生信号から、前記凹凸マークに対応した帯域より低い帯域の信号成分を前記追記マーク再生信号として抽出する帯域制限フィルタを含むことを特徴とする請求項２９記載の光ディスク再生装置。
【請求項３１】
前記副情報再生部は、
相関系列を生成する相関系列生成部と、
前記相関系列生成部によって生成された前記相関系列と、前記追記マーク再生信号との相関値を検出する相関検出部と、
前記相関検出部によって検出された前記相関値に基づいて前記副情報を再生する再生部とを含むことを特徴とする請求項３０記載の光ディスク再生装置。
【請求項３２】
前記再生信号から所定間隔で付与されている同期符号を検出する同期符号検出部をさらに備え、
前記相関系列生成部は、前記同期符号検出部によって検出された前記同期符号の検出タイミングに同期して前記相関系列を生成することを特徴とする請求項３１記載の光ディスク再生装置。
【請求項３３】
前記追記マークは、前記凹凸マーク上の前記トラックに直交する方向に形成され、
前記副情報は、前記追記マークが形成された領域の前記光ディスクにおける物理的な位置を表す物理位置情報を含み、
前記トラックに直交して形成された前記追記マークの前記凹凸マーク位置を基準とした物理位置情報を確認する位置確認部と、
前記副情報再生部によって再生された前記副情報に含まれる前記物理位置情報と、前記位置確認部によって確認された前記物理位置情報とを比較する比較部と、
前記比較部による比較の結果、前記物理位置情報が一致しない場合、前記主情報の再生を制限する再生制限部とをさらに備えることを特徴とする請求項３２記載の光ディスク再生装置。
【請求項３４】
前記再生信号から所定間隔で付与されている同期符号を検出する同期符号検出部をさらに備え、
前記副情報再生部は、前記同期符号検出部による前記同期符号の検出タイミングに同期して前記副情報を再生することを特徴とする請求項２８記載の光ディスク再生装置。
【請求項３５】
前記副情報再生部は、
相関系列を生成する相関系列生成部と、
前記相関系列生成部によって生成された前記相関系列と、前記追記マーク再生信号との相関値を検出する相関検出部と、
前記相関検出部によって検出された前記相関値に基づいて前記副情報を再生する再生部とを含むことを特徴とする請求項２８記載の光ディスク再生装置。
【請求項３６】
前記再生信号から所定間隔で付与されている同期符号を検出する同期符号検出部をさらに備え、
前記相関系列生成部は、前記同期符号検出部によって検出された前記同期符号の検出タイミングに同期して前記相関系列を生成することを特徴とする請求項３５記載の光ディスク再生装置。
【請求項３７】
前記分離部は、前記再生信号から、前記凹凸マークに対応した帯域より低い帯域の信号成分を前記追記マーク再生信号として抽出する帯域制限フィルタを含むことを特徴とする請求項２８記載の光ディスク再生装置。
【請求項３８】
前記追記マークは、前記凹凸マーク上の前記トラックに直交する方向に形成され、
前記副情報は、前記追記マークが形成された領域の前記光ディスクにおける物理的な位置を表す物理位置情報を含み、
前記トラックに直交して形成された前記追記マークの前記凹凸マーク位置を基準とした物理位置情報を確認する位置確認部と、
前記副情報再生部によって再生された前記副情報に含まれる前記物理位置情報と、前記位置確認部によって確認された前記物理位置情報とを比較する比較部と、
前記比較部による比較の結果、前記物理位置情報が一致しない場合、前記主情報の再生を制限する再生制限部とをさらに備えることを特徴とする請求項２８記載の光ディスク再生装置。
【請求項３９】
凹凸マークにより主情報が記録されている主情報記録領域と、前記凹凸マークの形成後にレーザ光が照射されることによって形成される追記マークにより前記主情報を再生するのに必要な副情報が記録されている副情報記録領域とを含む光ディスクであって、
前記副情報記録領域は、前記主情報記録領域における基準位置の角度位置に基づいた記録開始点から、前記レーザ光が照射されることによって反射膜の反射率を変えるように追記マークが形成され、前記副情報が重畳記録されることを特徴とする光ディスク。
【請求項４０】
前記副情報記録領域は、前記副情報記録領域における所定角度範囲で、前記追記マークを形成しない追記マーク未記録領域を含むことを特徴とする請求項３９記載の光ディスク。
【請求項４１】
前記基準位置を特定する情報は、前記凹凸マークの円周方向の螺旋状のトラック上にレーザ光が照射されることによって反射膜の反射率を変えて記録されていることを特徴とする請求項３９記載の光ディスク。
【請求項４２】
凹凸マークにより主情報が記録されている主情報記録領域と、前記凹凸マークの形成後にレーザ光が照射されることによって形成される追記マークにより前記主情報を再生するのに必要な副情報が記録されている副情報記録領域とを含む光ディスクに前記主情報及び前記副情報を記録する光ディスク記録装置であって、
前記光ディスクの回転に同期したクロック信号を生成するクロック生成部と、
前記主情報記録領域における基準位置の角度位置を抽出する基準角度抽出部と、
前記基準角度抽出部によって抽出された前記角度位置に基づいて特定される前記副情報記録領域における記録開始点から、前記クロック生成部によって生成された前記クロック信号に同期したレーザ光が照射されることによって前記副情報を重畳記録する副情報記録部とを備えることを特徴とする光ディスク記録装置。
【請求項４３】
前記基準位置は、前記凹凸マークで記録されるアドレスにより特定されることを特徴とする請求項４２記載の光ディスク記録装置。
【請求項４４】
凹凸マークにより主情報が記録されている主情報記録領域と、前記凹凸マークの形成後にレーザ光が照射されることによって形成される追記マークにより前記主情報を再生するのに必要な副情報が記録されている副情報記録領域とを含む光ディスクから前記主情報及び前記副情報を再生する光ディスク再生装置であって、
前記光ディスクの回転に同期したクロック信号を生成するクロック生成部と、
前記主情報記録領域における基準位置の角度位置を抽出する基準角度抽出部と、
前記基準角度抽出部によって抽出された前記角度位置に基づいて特定される前記副情報記録領域における再生開始点から、前記クロック生成部によって生成された前記クロック信号に同期して前記副情報を再生する副情報再生部とを備えることを特徴とする光ディスク再生装置。
【請求項４５】
前記基準位置は、前記凹凸マークで記録されるアドレスにより特定されることを特徴とする請求項４４記載の光ディスク再生装置。
【発明の詳細な説明】
【技術分野】
【０００１】
本発明は、ＣＤ、ＤＶＤ及びＢｌｕ−ｒａｙディスク等の光ディスク、光ディスクを製造する光ディスク製造方法、光ディスクに情報を記録する光ディスク記録装置及び光ディスクから情報を再生する光ディスク再生装置に関するものである。
【背景技術】
【０００２】
従来、光ディスクは、安価なデジタル情報の記録媒体として、幅広く利用されている。例えば、Ｂｌｕ−ｒａｙディスクは、単層で２５ギガバイト、２層で５０ギガバイトの容量を持ち、ハイビジョンの良質な映像コンテンツを、２〜４．５時間程度記録することができる。従って、光ディスク容量が増す毎に、１枚の光ディスクに記録されるデジタルコンテンツの価値は高まり、記録されるデジタルコンテンツの著作権の保護が極めて重要な技術課題となっている。【０００３】
しかしながら、昨今では、光ディスクから不正にデジタルコンテンツを複製する海賊版メーカのような違法な光ディスク製造業者が氾濫している。このことは、デジタル著作物の健全な流通を阻害するとともに、著作権者への正当な利益分配が成されない状況を作り出している。【０００４】
そこで、例えば、特許文献１には、凹凸マークによってデジタル著作物が記録された光ディスクにおいて、案内溝にトラッキングを行ったレーザ照射によって凹凸マーク上の再生膜の反射率を変化させる技術が開示されている。【０００５】
この特許文献１に記載の光ディスクを用いることにより、例えばレンタル等に利用される光ディスクであっても、回収を必要としない光ディスクを提供することができる。【０００６】
また、例えば、特許文献２には、凹凸マークの内、所定長さ以上のマークまたはスペースについて、副のデータ列に基づいて、マークまたはスペースのエッジより所定距離だけ離間した箇所で、局所的に情報記録面の反射率を変化させて、副情報を記録する技術が開示されている。【０００７】
この特許文献２に記載の発明によれば、凹凸マークのエッジの位置情報に影響を与えないタイミングで、マークまたはスペースの反射率を局所的に変化させる。したがって、マーク列で表される主のデータ列の光ピックアップによる再生に何ら影響を与えることなく、かつ違法コピーを困難にする副情報を記録することができる。【０００８】
また、例えば、特許文献３には、照射するレーザの光量の強弱で光学的変化を生ずる記録媒体を用い、レーザの光量の強弱によって映像やデータ信号などの信号を変調した第１の信号を既に記録した記録媒体上の同一情報トラックに、第１の信号と帯域の等しい信号によって強度変調され、かつ第１の信号より帯域の低い第２の信号で記録状態のＯＮ／ＯＦＦ制御されたレーザ光を２回以上複数回、記録媒体上の位置を同期して照射し、レーザ光が照射された部分の光学的変化をさらに変化させるよう、第２の信号を重畳記録し、再生時に、第２の信号を分離、再生する情報記録再生方法が開示されている。【０００９】
この特許文献３に記載の発明によれば、第１の信号の情報の消去を示す情報、あるいは、第１の信号の情報に代わる情報トラックの位置を示す情報として第２の信号を同一情報トラック上に重畳記録することで、その情報トラックの情報の有効／無効、あるいは、その情報トラックの代わりとなり情報トラックの位置を管理するための特別な情報トラックを設けることなく、記録媒体上の情報トラックの管理を実現できる。【００１０】
また、例えば、特許文献４には、所定のデータが記録されているスパイラル状の第１の情報トラックと、この第１の情報トラックの間の一部領域に形成されており、コピー検出情報が記録されているスパイラル状の第２の情報トラックとを含む光ディスクが開示されている。【００１１】
この特許文献４に記載の発明によれば、コピーディスク判別のための検出情報を、データ用の第１の情報トラックとは異なる第２の情報トラックに記録することによって、通常の動作に影響を与えることなく、効果的に不正コピーディスクをチェックすることができる。また、第２の情報トラックにセキュリティ情報を記録することによって、セキュリティ情報の不正複製を防止することができる。【００１２】
しかしながら、これらいかなる方法によっても、光ディスクの製造に要するコストを増大させることなく、かつ主情報の読み取り精度を悪化させることなく、不正複製を防止しながら光ディスクの媒体固有情報を記録することは困難である。また、主情報の記録領域を犠牲にすること無しに、かつ効率的に、不正複製を防止しながら光ディスクの媒体固有情報を記録することは困難である。【００１３】
何故ならば、特許文献１で開示された発明においては、光ディスク上に一定以上の強度の記録レーザを照射して、その照射部分の反射率を変化させるために予め光ディスク上に案内溝を形成することが開示されている。通常、案内溝と凹凸マークとが形成された光ディスクを作成する場合、光ディスク原盤上に、凹凸マークを記録した後に、凹凸マークを真ん中の位置にするように再度、案内溝を記録するか、案内溝を記録した後に凹凸マークを記録する必要がある。しかしながら、Ｂｌｕ−ｒａｙディスクの場合、これらトラック間の位置あわせは、半径方向に数十ナノメートルオーダーの精度が必要となり、通常のマスタリング装置では案内溝と凹凸マークとをともに記録することは困難である。これを実現するためには、特殊なマスタリング装置が必要になり、光ディスクの製造に要するコストの増大は避けられない。【００１４】
また、特許文献２で開示された発明においては、所定長さ以上のマークまたはスペースのマークエッジから所定距離だけ離間した箇所にレーザ照射を行っている。そのため、予め所定長さ以上のマーク又はスペースを検索して記憶する必要があり、副情報を記録する記録時間を無駄に消費し、光ディスクの製造に要するコストが増大する。また、予め所定長さ以上のマーク又はスペースの存在が分かっている例えば同期符号部のみに副情報を記録する場合、百数十ビットもの媒体固有情報を記録するためには、それ相応の記録領域が必要となる。そのため、この場合においても記録時間又は再生時間を無駄に消費してしまう。【００１５】
また、特許文献３で開示された発明においては、予め第１の信号が記録された部分を第２の信号で複数回重畳記録し、第２の信号が正常に読み出し可能となるまで繰り返す。従って、予め記録された第１の信号の読み出し精度が悪化し、エラー訂正などで救済可能なディフェクトマージンが悪化する。【００１６】
また、特許文献４で開示された発明においては、第１の情報トラックの間の一部領域にセキュリティ情報を記録した第２の情報トラックを形成し、第１の情報トラックから１トラックピッチ移動したときに、第２の情報トラックの位置となるように、第１の情報トラック及び第２の情報トラックが配置されることが開示されている。しかしながら、第１の情報トラックの間に第２の情報トラックを形成することは、隣接する第１の情報トラックのトラックピッチを２倍にすることを意味するので、第２の情報トラックを形成することによって主情報を記録する領域を犠牲にすることになる。すなわち、第２の情報トラックの形成によって光ディスク１枚あたりの記録容量は小さくなってしまう。
【特許文献１】特開平９−３０６０３０号公報
【特許文献２】特許第３４５４４１０号公報
【特許文献３】特許第２９０３４２２号公報
【特許文献４】特開平８−１４７７６７号公報
【発明の開示】
【００１７】
本発明は、上記の問題を解決するためになされたもので、主情報の読み取り精度を悪化させることなく、主情報を再生するのに必要な副情報を記録することができ、光ディスクの不正な複製を防止することができる光ディスク、光ディスク製造方法、光ディスク記録装置及び光ディスク再生装置を提供することを目的とするものである。
【００１８】
本発明の一局面に係る光ディスクは、変調された主情報に従って、チャネルビット長の整数倍に同期した凹凸マークを形成した後、前記凹凸マーク上に反射膜を形成した光ディスクであって、前記光ディスクが成形された後、前記凹凸マークの円周方向に形成された螺旋状のトラックに従って、前記凹凸マークの最長マークよりも長い間隔で、かつ前記チャネルビット長の整数倍に同期した連続的又は間欠的なレーザ光が照射されることによって、前記反射膜の光学的特性を変化させて追記マークが形成され、前記主情報を再生するのに必要な副情報が重畳記録される。
【００１９】
本発明の他の局面に係る光ディスク製造方法は、変調された主情報に従って、チャネルビット長の整数倍に同期した凹凸マークを形成した光ディスク原盤を作成するマスタリングステップと、前記光ディスク原盤の凹凸マークを、光ディスク基板に転写するスタンプステップと、前記光ディスク基板上に反射膜を形成するスパッタリングステップと、前記スパッタリングステップにおいて前記光ディスクの凹凸マーク上に反射膜が形成された後、前記凹凸マークの円周方向に形成された螺旋状のトラックに従って、前記凹凸マークの最長マークより長い間隔で、かつ前記チャネルビット長の整数倍に同期した連続的又は間欠的なレーザ光が照射されることによって、前記反射膜の光学的特性を変化させて追記マークを形成し、前記主情報を再生するのに必要な副情報を重畳記録する副情報記録ステップとを含む。
【００２０】
本発明の他の局面に係る光ディスク記録装置は、予め主情報が凹凸マークによって記録された光ディスクに、前記主情報を再生するのに必要な副情報を重畳記録する光ディスク記録装置であって、前記凹凸マークの円周方向に形成された螺旋状のトラックに従ってレーザ光が照射される位置を制御するトラッキング部と、前記凹凸マークに再生レーザ光を照射した反射光から再生信号を抽出する再生信号抽出部と、前記凹凸マークのチャネルビット長に同期したチャネルクロックを抽出するクロック抽出部と、前記チャネルクロックの整数倍で、かつ前記再生信号の帯域よりも低い帯域に同期した記録レーザ光を照射し、前記光ディスクの記録面に形成された反射膜の光学的特性を変化させて追記マークを形成し、前記光ディスクに前記副情報を重畳記録する副情報記録部とを備える。
【００２１】
本発明の他の局面に係る光ディスク再生装置は、光ディスクの凹凸マークから主情報を再生するとともに、レーザ光が照射されることによって前記光ディスクの反射膜の光学的特性を変化させて形成された追記マークから前記主情報を再生するのに必要な副情報を再生する光ディスク再生装置であって、前記凹凸マークの円周方向に形成された螺旋状のトラックに従って前記レーザ光が照射される位置を制御するトラッキング部と、前記凹凸マークに再生レーザを照射した反射光から再生信号を抽出する再生信号抽出部と、前記再生信号からチャネルビット長に同期したチャネルクロックを抽出するクロック抽出部と、前記再生信号から凹凸マークに対応した凹凸マーク再生信号と、前記追記マークに対応した追記マーク再生信号とを分離する分離部と、前記チャネルクロックの整数倍で、かつ前記凹凸マーク再生信号の帯域よりも低い帯域に同期した前記追記マーク再生信号から前記副情報を再生する副情報再生部とを備える。
【００２２】
本発明の他の局面に係る光ディスクは、凹凸マークにより主情報が記録されている主情報記録領域と、前記凹凸マークの形成後にレーザ光が照射されることによって形成される追記マークにより副情報が記録されている副情報記録領域とを含む光ディスクであって、前記副情報記録領域は、前記主情報記録領域における基準位置の角度位置に基づいた記録開始点から、前記レーザ光が照射されることによって反射膜の反射率を変えるように追記マークが形成され、前記副情報が重畳記録される。
【００２３】
本発明の他の局面に係る光ディスク記録装置は、凹凸マークにより主情報が記録されている主情報記録領域と、前記凹凸マークの形成後にレーザ光が照射されることによって形成される追記マークにより副情報が記録されている副情報記録領域とを含む光ディスクに前記主情報及び前記副情報を記録する光ディスク記録装置であって、前記光ディスクの回転に同期したクロック信号を生成するクロック生成部と、前記主情報記録領域における基準位置の角度位置を抽出する基準角度抽出部と、前記基準角度抽出部によって抽出された前記角度位置に基づいて特定される前記副情報記録領域における記録開始点から、前記クロック生成部によって生成された前記クロック信号に同期したレーザ光が照射されることによって前記副情報を重畳記録する副情報記録部とを備える。
【００２４】
本発明の他の局面に係る光ディスク再生装置は、凹凸マークにより主情報が記録されている主情報記録領域と、前記凹凸マークの形成後にレーザ光が照射されることによって形成される追記マークにより副情報が記録されている副情報記録領域とを含む光ディスクから前記主情報及び前記副情報を再生する光ディスク再生装置であって、前記光ディスクの回転に同期したクロック信号を生成するクロック生成部と、前記主情報記録領域における基準位置の角度位置を抽出する基準角度抽出部と、前記基準角度抽出部によって抽出された前記角度位置に基づいて特定される前記副情報記録領域における再生開始点から、前記クロック生成部によって生成された前記クロック信号に同期して前記副情報を再生する副情報再生部とを備える。
【００２５】
本発明によれば、主情報の読み取り精度を悪化させることなく、主情報を再生するのに必要な副情報を記録することができ、光ディスクの不正な複製を防止することができる。
【図面の簡単な説明】
【００２６】
【図１】実施の形態１に係る光ディスクの構造を示す概念図である。
【図２】実施の形態１に係る光ディスクの内周側のコントロール領域の記録面を示す概念図である。
【図３】実施の形態１に係る光ディスクの内周側のコントロール領域の記録面を示す概念図である。
【図４】実施の形態１に係る光ディスクの内周側のコントロール領域の記録面を示す概念図である。
【図５】実施の形態１における光ディスク製造方法を示す模式図である。
【図６】実施の形態１の光ディスク記録装置の構成を示すブロック図である。
【図７】実施の形態１における光ディスク記録装置の特徴的な動作を示すタイミングチャートである。
【図８】実施の形態１の光ディスク再生装置の構成を示すブロック図である。
【図９】実施の形態１における光ディスク再生装置の特徴的な動作を示すタイミングチャートである。
【図１０】実施の形態２に係る光ディスクの構造を示す概念図である。
【図１１】実施の形態２における光ディスク製造方法を示す模式図である。
【図１２】実施の形態２における物理位置情報のデータフォーマットを示す図である。
【図１３】実施の形態２に係るプリマーク記録装置の構成を示すブロック図である。
【図１４】実施の形態２に係る物理位置情報取得装置の構成を示すブロック図である。
【図１５】実施の形態２の物理位置情報取得装置の特徴的な動作を示すタイミングチャートである。
【図１６】実施の形態２に係る光ディスク再生装置の構成を示すブロック図である。
【図１７】実施の形態２に係る光ディスク再生装置における不正ディスク判定処理を説明するための第１のフローチャートである。
【図１８】実施の形態２に係る光ディスク再生装置における不正ディスク判定処理を説明するための第２のフローチャートである。
【図１９】実施の形態３に係る光ディスクの構成を示す概念図である。
【図２０】実施の形態３に係る光ディスク記録装置の構成を示すブロック図である。
【図２１】実施の形態３の光ディスク記録装置の特徴的な動作を示すタイミングチャートである。
【図２２】実施の形態３の光ディスク再生装置の構成を示すブロック図である。
【図２３】実施の形態３の光ディスク再生装置の特徴的な動作を示すタイミングチャートである。
【図２４】図２４（Ａ）は、トラック間に間欠的に形成された追記マークを示す図であり、図２４（Ｂ）は、凹凸マーク状に蛇行して形成された追記マークを示す図であり、図２４（Ｃ）は、円周方向の間隔が短く、かつ間欠的に形成された追記マークを示す図であり、図２４（Ｄ）は、凹凸マークの半径方向の長さよりも長く、かつ連続的に形成された追記マークを示す図であり、図２４（Ｅ）は、凹凸マークの半径方向の長さよりも長く、かつ間欠的に形成された追記マークを示す図である。
【発明を実施するための最良の形態】
【００２７】
以下本発明の実施の形態について、図面を参照しながら説明する。なお、本発明はその要点を変更しない範囲において適宜変更して実施することができる。【００２８】
（実施の形態１）
（１−１）実施の形態１の光ディスク
図１は、実施の形態１に係る光ディスク１の構造を示す概念図である。図１に示す光ディスク１は、クランプ領域ＣＬＰ、内周側／外周側のコントロール領域ＣＴＬ及びユーザ領域ＵＳＲから構成される。【００２９】
クランプ領域ＣＬＰは、光ディスク１をローディングするときの送り部であり、通常、なんら情報を記録していない。【００３０】
コントロール領域ＣＴＬは、ユーザ領域ＵＳＲの内周側及び外周側の２箇所設けられ、凹凸記録マークによって、光ディスク１の管理情報、著作権情報または物理特性情報などが記録されている。また、光ディスク１の特徴は、内周側のコントロール領域ＣＴＬの凹凸マークの成すトラックと同一トラックの凹凸マーク上の反射膜１Ｌの反射率をレーザ光が照射されることによって局所的に変更することによって媒体ＩＤ（媒体固有情報）が記録されている点である。媒体ＩＤは、光ディスクを識別するための情報である。【００３１】
光ディスク１は、スタンパによる凹凸マークを光ディスク基板１Ｐに転写して、転写された凹凸マーク上にレーザ照射に応じて反射率の変化する反射膜１Ｌを蒸着（スパッタリング）して、さらにその上を例えば薄膜シートの付与やスピンコート工法によってカバー層１Ｃで覆うことによって成形される。光ディスク１の成形後、内周側のコントロール領域ＣＴＬの凹凸マークへのレーザ照射によって、媒体ＩＤが、光ディスク１枚１枚に固有の情報として重畳記録される。【００３２】
光ディスク１の反射膜１Ｌは、レーザ光が照射されることによって不可逆的な反射率変化をする有機系材料の色素膜で構成されても構わないし、無機の合金材料やＴｅ−Ｏ−Ｐｄ記録膜などの相変化膜を用いても実現可能である。これらの記録膜は全てある所定強度のレーザ光が照射されることによる熱変動で反射率を変化させることによって情報が記録できる。【００３３】
図２〜４は、実施の形態１に係る光ディスク１の内周側のコントロール領域ＣＴＬの記録面を示す概念図である。【００３４】
前述のように、本実施の形態１に係る光ディスク１は、例えばポリカなどによってなる光ディスク基板１Ｐに凹凸マークＭＫを転写し、その凹凸マーク上にレーザ照射によって反射率が変化する反射膜１Ｌを蒸着し、内周側のコントロール領域ＣＴＬに、レーザ照射によって再生可能な管理情報、著作権情報または物理特性情報などが主情報として記録される。【００３５】
これら主情報を転写して光ディスクが成形された後、レーザ光が照射されることによって局所的に反射膜１Ｌの反射率を変化させることによって追記マークＳＭＫを光ディスクに形成して、媒体ＩＤが副情報として重畳記録される。【００３６】
図２に示す追記マークＳＭＫの特徴は、凹凸マークＭＫのなすトラック上にレーザ光が照射されることによって追記マークＳＭＫが形成されている。また、追記マークＳＭＫの光ディスクの半径方向における幅は、凹凸マークＭＫの光ディスクの半径方向における幅よりも狭くなるように形成されている。これによって、再生時の凹凸マークＭＫの変調度に対して、追記マークＳＭＫを追記することによる反射光レベルの変動を小さくすることができ、凹凸マークＭＫの再生精度の悪化を小さくすることができる。【００３７】
また、追記マークＳＭＫを形成することによって生じる反射光レベルの変動である追記マークＳＭＫの変調度は、凹凸マークＭＫの反射光レベルと凹凸マークＭＫ以外の反射膜の反射光レベルとの差である凹凸マークＭＫの変調度の１／２より平均的に小さくすることにより、凹凸マークＭＫの再生信号のエッジ位置を誤って再生することがなくなるので、凹凸マークＭＫの再生精度に影響を与えない。【００３８】
また、追記マークＳＭＫの記録帯域は、凹凸マークＭＫの最長マークの記録帯域より低い。これにより、再生時において帯域制限回路（フィルタ）によって、凹凸マークＭＫ及び追記マークＳＭＫを分離することが可能となり、互いの再生精度を確保することができる。【００３９】
図３に示す追記マークの特徴は、凹凸マークＭＫのなすトラック上にレーザ光が照射されることによって追記マークＳＭＫが形成されている。また、追記マークＳＭＫは、凹凸マークＭＫの最長マークの記録帯域より低い帯域で、離散的に形成される。また、この離散的に形成される１つの追記マークＳＭＫのトラック方向の幅は、凹凸マークＭＫの最短マークより小さくなるように形成され、凹凸マークＭＫを記録するチャネルビット長より小さくなるように形成される。これによって、追記マークＳＭＫは、ミクロ視点では凹凸マークＭＫより記録帯域が高く、マクロ視点では凹凸マークＭＫより記録帯域が低くなる。したがって、再生時において、帯域制限回路（フィルタ）によって凹凸マークＭＫと追記マークＳＭＫとを分離することが可能となり、互いの再生精度を確保することができる。【００４０】
また、図３に示す追記マークＳＭＫは、離散的に形成されるので、反射光レベルの変動量を図２に示す追記マークＳＭＫの反射光レベルの変動量よりも小さくすることが可能となり、凹凸マークＭＫの再生精度の影響をさらに軽減することができる一方、図３に示す追記マークＳＭＫの再生精度は、図２に示す追記マークＳＭＫの再生精度よりも劣る。【００４１】
図４に示す追記マークＳＭＫの特徴は、凹凸マークＭＫのトラック間の反射膜１Ｌの反射率をレーザ照射によって変化させて追記マークＳＭＫが形成される。また、図４に示す追記マークＳＭＫも、図２，３に示す追記マークＳＭＫと同様、凹凸マークＭＫの最長マークの記録帯域より低い記録帯域で記録される。したがって、図４に示す追記マークＳＭＫは、凹凸マークＭＫの再生精度になんら影響を与えない点で図２，３に示す追記マークＳＭＫより優れている一方、記録時において、トラック間にトラッキング制御を行うための構成を追加する必要がある点で劣る。【００４２】
以上、図２〜４に示した追記マークＳＭＫによって、凹凸マークＭＫの再生精度の影響を軽減しつつも、成形後の光ディスク１に対して媒体ごとに固有の識別情報を記録することができる。【００４３】
また、本実施の形態１の光ディスク１は、レーザ光が照射されることによって反射率が向上する反射膜１Ｌを用いることが望ましい。なぜなら、通常の再生専用光ディスクの金属膜などによる反射膜は、レーザ光が照射されることによってその反射率が低減するため、レーザ光が照射されることによって反射率を向上させる光ディスクであれば、不正な複製を防止する効果が向上する。このような反射膜は、有機系の色素膜を利用したり、相変化膜を用いて上記特性となるよう初期化しておくことによって実現可能である。【００４４】
（１−２）実施の形態１の光ディスク製造方法
図５は、実施の形態１における光ディスク製造方法を示す模式図である。実施の形態１における光ディスク製造方法は、オーサリング工程１００、第１の製造工程２００、第２の製造工程３００及び検査工程４００を含む。【００４５】
オーサリング工程１００は、光ディスクに記録されるコンテンツデータを鍵管理機構により作成される暗号鍵（マスター鍵）で暗号化した後、光ディスクフォーマットにオーサリングする工程である。オーサリングされたコンテンツデータは、第１の製造工程２００に出力される。【００４６】
第１の製造工程２００は、入力工程２０１、マスタリング工程２０２、スタンプ工程２０３、スパッタリング工程２０４及び保護膜付与工程２０５の手順で行われ、媒体ＩＤが記録されていない光ディスクを成形する工程である。【００４７】
入力工程２０１は、オーサリング工程１００において作成されたコンテンツデータが入力される工程である。【００４８】
マスタリング工程２０２は、オーサリング工程１００から入力されるオーサリングされたコンテンツデータを基に、ホトレジストを付与したガラス原盤にレーザあるいは電子ビームを露光して現像することで凹凸マークをカッティングしたディスク原盤を作成する工程である。【００４９】
マスタリング工程２０２によって作成されたディスク原盤は、その後凹凸マークの形成された記録面側にメッキされスタンパが作成される。スタンプ工程２０３は、このスタンパを複製する、いわゆる複製工程であって、透明樹脂を射出成形することによって凹凸マークを転写した光ディスク基板１Ｐを作成する工程である。【００５０】
スパッタリング工程２０４は、スタンプ工程２０３で作成された凹凸マークの転写された光ディスク原盤の凹凸マーク上に反射膜をスパッタリングあるいは蒸着する工程である。この反射膜は、色素膜で構成されても構わないし、無機の合金材料やＴｅ−Ｏ−Ｐｄ記録膜などの相変化膜でも構わない。すなわち、これらの反射膜は、一定強度のレーザ光が照射されることによって記録膜の反射率が変化し、不可逆的な記録マークを形成可能な反射膜である。本実施の形態の光ディスク製造方法は、通常の光ディスク製造方法と比較しこの部分が特徴的である。【００５１】
保護膜付与工程２０５は、スパッタリング工程２０４において反射膜の付与された光ディスク基板１Ｐに対して、薄膜の保護シートを付与したり、スピンコートによって薄膜形成したりして、凹凸マーク上に保護膜１Ｃを形成する工程である。【００５２】
以上の工程２０１〜２０５からなる第１の製造工程２００によって、凹凸マークが形成され、その上にレーザ光が照射されることで反射率を変化させることのできる反射膜が付与された光ディスクが製造され、第２の製造工程３００へと移行する。【００５３】
第２の製造工程３００は、鍵管理機構から発行されるデジタル証明書やメッセージ識別子（ＭＡＣ：Ｍｅｓｓａｇｅ  Ａｕｔｈｅｎｔｉｃａｔｉｏｎ  Ｃｏｄｅ）などの認証符号が付与された媒体ＩＤを光ディスク記録装置（副情報記録装置）６によって第１の製造工程２００において作成された光ディスクに記録する工程である。【００５４】
光ディスク記録装置６は、光ディスクの凹凸マークを再生するとともに、凹凸マークのアドレスに基づく所定タイミングで記録強度のレーザ光を照射することで、凹凸マーク上の反射膜の反射率を変化させることによって媒体ＩＤを記録する。なお、光ディスク記録装置６の構成については、“（１−３）実施の形態１の光ディスク記録装置”で詳細に説明する。本工程によって媒体ＩＤが光ディスクに記録され、次の検査工程４００に移行する。【００５５】
検査工程４００は、第２の製造工程３００において記録された媒体ＩＤが正常に記録されたか否かを光ディスク再生装置７によって検査する工程である。なお、光ディスク再生装置７は、第２の製造工程３００における光ディスク記録装置６と同じ装置を用いて実現してもよいし、異なる２つの装置を用いて実現してもよい。【００５６】
光ディスク再生装置７は、光ディスクの凹凸マークを再生し、凹凸マークのアドレスに基づく所定タイミングから、相関系列を生成し、照射されたレーザ光の反射光から得られる再生信号と、相関系列との相関積分を行うことによって媒体ＩＤを検出する。なお、本検査工程４００における正常な媒体ＩＤが記録されているか否かの判定方法は、予め媒体ＩＤに付与されているパリティビットによってエラー訂正を行い、その結果のエラービット数から判定してもよいし、相関積分を所定時間内で行い、その結果の相関積分値を予め定められた閾値によって閾値判定し、閾値よりも高い相関積分値が検出された場合に正常であると判断してもよい。また、光ディスク再生装置７の構成については、“（１−４）実施の形態１の光ディスク再生装置”で詳細に説明する。【００５７】
最後に、本検査工程４００において、正常に媒体ＩＤの記録された光ディスク５は、完成品として出荷される。【００５８】
以上より、本実施の形態１の光ディスク製造方法を用いれば、入力工程、マスタリング工程、スタンプ工程、スパッタリング工程及び保護膜付与工程によって製造される再生専用光ディスクであったとしても、光ディスク１枚ごとに固有の媒体ＩＤを追加記録することができる。しかも、通常の光ディスク記録装置、光ディスク再生装置から大きく構成要素を変えることの無い装置によって、光ディスクに媒体ＩＤを記録する第２の製造工程や光ディスクに媒体ＩＤが記録されていることを検査する検査工程４００を実現することができるので、光ディスクの製造コストが増大することは無い。また、媒体ＩＤは、凹凸マーク再生時の反射光の微少変化を検出することにより抽出され、具体的には、凹凸マークの再生信号と、内部で秘密に発生させる相関系列との相関積分によって抽出される。そのため、媒体ＩＤを知りえない海賊版メーカによって光ディスクが作成されたり、複製されたりすることを防止できる。また、媒体ＩＤを記録する追記マークは、レーザ光が照射されることによって反射率を変化させて記録するため、保護膜１Ｃを剥離して転写する不正複製方法にも十分な耐性がある。【００５９】
（１−３）実施の形態１の光ディスク記録装置
図６は、実施の形態１の光ディスク製造方法の第２の製造工程において用いられる光ディスク記録装置の構成を示すブロック図である。光ディスク記録装置６は、第１の製造工程２００において光ディスクが成形された後、凹凸マーク上にレーザ光が照射されることによって反射率が変化する反射膜が付与された光ディスクに、鍵管理機構によって認証符号の付与された媒体ＩＤを重畳記録する。【００６０】
図６に示す光ディスク記録装置６は、メモリ１１、スピンドルモータ１２、光学ヘッド１３、サーボ回路１４、アナログ信号処理器１５、デジタル信号処理器１６、フォーマッタ１７、タイミング生成器１８、乱数発生器１９、ＥＯＲ２０、ＰＥ変調器２１、レーザ強度変調器２２及びシステムコントローラ２３を備える。【００６１】
メモリ１１は、予め鍵管理機構から受信した媒体ＩＤを記憶する。なお、媒体ＩＤは、通常、媒体ごとに固有になるように一枚一枚に更新する情報である。【００６２】
スピンドルモータ１２は、第１の製造工程２００において作成された媒体ＩＤが未記録の光ディスク２４１がドライブに挿入されると、挿入された光ディスク２４１に対応した回転数で光ディスク２４１を回転させる。【００６３】
光学ヘッド１３は、光ディスク２４１の回転数が目的の回転数に達したときに再生強度のレーザ光を光ディスク２４１に照射して、その反射光からチャネル信号ＣＳを生成してアナログ信号処理器１５に出力する。【００６４】
アナログ信号処理器１５は、光学ヘッド１３から入力されるチャネル信号ＣＳに基づいて、フォーカス位置のズレを示したフォーカスエラー信号ＦＥ及び凹凸マークに対するトラッキング位置のズレを示したトラッキングエラー信号ＴＥを生成してサーボ回路１４に出力する。また、アナログ信号処理器１５は、光学ヘッド１３から入力されるチャネル信号ＣＳを波形等化したり、増幅したりして凹凸マークに対応したアナログ再生信号ＡＳを生成してデジタル信号処理器１６に出力する。【００６５】
サーボ回路１４は、アナログ信号処理器１５から入力されるトラッキングエラー信号ＴＥ及びフォーカスエラー信号ＦＥに基づいて、レーザ光のスポット位置のフォーカス位置及びトラッキング位置を制御するフォーカス制御信号ＦＣ及びトラッキング制御信号ＴＣを生成して光学ヘッド１３に出力する。光学ヘッド１３は、これらの制御信号を基にフォーカス位置及びトラッキング位置を微調整する。また、サーボ回路１４は、半径位置に従って回転数を微調整するための回転制御信号ＳＣを生成してスピンドルモータ１２に出力する。スピンドルモータ１２は、サーボ回路１４から入力される回転制御信号ＳＣに従って回転数を微調整する。【００６６】
デジタル信号処理器１６は、アナログ信号処理器１５から入力されるアナログ再生信号ＡＳから２値のデジタル再生データを抽出する。デジタル信号処理器１６は、内部にＰＬＬ（Ｐｈａｓｅ  Ｌｏｃｋｅｄ  Ｌｏｏｐ）回路を備え、アナログ信号処理器１５から入力されるアナログ再生信号ＡＳに基づいて、同期するクロック信号ＣＫを抽出するとともに、抽出したクロック信号ＣＫでアナログ再生信号ＡＳをサンプリングして量子化した後、２値化してデジタル再生信号ＤＳを生成し、フォーマッタ１７に出力する。また、デジタル信号処理器１６は、抽出したクロック信号ＣＫをタイミング生成器１８に出力する。【００６７】
フォーマッタ１７は、デジタル信号処理器１６から入力されるデジタル再生信号ＤＳから一定間隔で付与されている同期符号を検出して、フレーム構造にフォーマットし、複数フレームからなりアドレス情報を持ったセクタ（アドレスユニット）単位に分割して、アドレス情報ＡＤＲを再生するとともに、アドレス情報ＡＤＲをタイミング生成器１８及び乱数発生器１９へ出力する。また、フォーマッタ１７は、同期符号の検出タイミングを示す同期符号検出タイミング信号ＳＹをタイミング生成器１８に出力する。【００６８】
タイミング生成器１８は、デジタル信号処理器１６から入力されるクロック信号ＣＫに同期して入力されるアドレス情報ＡＤＲから媒体ＩＤを記録するタイミングを生成する。タイミングは、媒体ＩＤの１ビットを記録する区間を示すサブフレームのタイミングを示し、クロック信号ＣＫと同期符号検出タイミング信号ＳＹとに同期したカウンタによって生成される。カウンタによって生成されたサブフレーム位置を示すサブフレームカウント値ＣＮＴは、乱数発生器１９及びメモリ１１に出力される。また、タイミング生成器１８は、同様のカウンタにて、記録する媒体ＩＤに、追記マークの外周側への変位確率と内周側への変位確率を略等しくするためのＰＥ変調を施すためのＰＥ変調信号ＰＥを生成して、ＰＥ変調器２１に出力する。また、タイミング生成器１８は、乱数系列に初期値をプリセットするためのタイミングである初期値セットタイミング信号ＳＥＴを生成して、乱数発生器１９に出力する。【００６９】
乱数発生器１９は、タイミング生成器１８から入力される初期値セットタイミング信号ＳＥＴの出力タイミングで、フォーマッタ１７からのアドレス情報ＡＤＲを初期値としてプリセットする。また、乱数発生器１９は、タイミング生成器１８から入力されるサブフレームカウント値ＣＮＴが更新されるタイミングで１ビットずつ擬似乱数系列ＲＮを生成してＥＯＲ２０に出力する。なお、本実施の形態では、初期値としてアドレス情報ＡＤＲを用いているが、本発明はこれに限らない。アドレス情報ＡＤＲを一方向性関数などでデータ変換すれば、この方法を知らない海賊版メーカは同様の乱数系列を生成することができないので不正に媒体ＩＤを記録されることへの耐性は向上する。また、内部に秘密に持った初期値で実現してもよいし、媒体上に凹凸マークとして記録してもよい。また、乱数発生器１９は、シフトレジスタで構成される一般的なＭ系列発生器で構成され、サブフレームカウント値が更新されるタイミングで、内部のシフトレジスタをシフトして、擬似乱数系列を１ビットずつ生成する。【００７０】
メモリ１１は、予め記憶している鍵管理機構から受信した媒体ＩＤを、タイミング生成器１８からのサブフレームカウント値ＣＮＴに基づいて、カウント値に対応するビットを取り出して、副情報ＳＤとしてＥＯＲ２０に出力する。【００７１】
ＥＯＲ２０は、一般的な排他的論理和ゲートで構成され、乱数発生器１９から入力される擬似乱数系列ＲＮの１ビットと、メモリ１１から入力される媒体ＩＤの１ビットとの排他的論理和を算出して拡散副情報ＲＳＤを生成して、ＰＥ変調器２１に出力する。【００７２】
ＰＥ変調器２１もＥＯＲ２０と同様に、一般的な排他的論理和ゲートで構成され、ＥＯＲ２０から入力される拡散副情報ＲＳＤと、タイミング生成器１８から入力されるＰＥ変調信号ＰＥとの排他的論理和を算出することによって拡散副情報ＲＳＤにＰＥ変調を施してＰＥ変調後拡散副情報ＰＲＳＤを生成してレーザ強度変調器２２に出力する。【００７３】
レーザ強度変調器２２は、ＰＥ変調器２１から入力されるＰＥ変調後拡散副情報ＰＲＳＤの“Ｈ”の区間で、レーザに流れる電流を上げ、記録強度のレーザ光を照射するための記録パルスＷＰに変調し、光学ヘッド１３に出力する。このレーザ照射強度変調は、レーザ強度を高速に上下させるマルチパルスの形態でも良いし、再生強度より強い一定強度のレーザ光を照射する形態でも構わない。少なくとも、レーザ光が照射されることによって反射膜の反射率が変化する形態であればどのようなレーザ照射方法でも構わない。【００７４】
光学ヘッド１３は、サーボ回路１４によって凹凸マークのトラックにトラッキング制御しつつ、レーザ強度変調器２２からの記録パルスＷＰによってレーザに流れる電流量をコントロールすることでレーザ強度の強弱を調整して光ディスク２４１の反射膜に照射し、凹凸マーク上に反射率が変化した追記マークを形成することによって媒体ＩＤを重畳記録する。【００７５】
なお、本実施の形態において、スピンドルモータ１２、光学ヘッド１３、サーボ回路１４及びアナログ信号処理器１５がトラッキング部の一例に相当し、アナログ信号処理器１５が再生信号抽出部の一例に相当し、デジタル信号処理器１６がクロック抽出部の一例に相当し、メモリ１１、光学ヘッド１３、フォーマッタ１７、タイミング生成器１８、乱数発生器１９、ＥＯＲ２０、ＰＥ変調器２１及びレーザ強度変調器２２が副情報記録部の一例に相当する。【００７６】
次に、光ディスク記録装置６の動作について、本実施の形態の光ディスクがＢｌｕ−ｒａｙ  ＲＯＭディスクである場合を例に詳細に説明する。図７は、実施の形態１における光ディスク記録装置の特徴的な動作を示すタイミングチャートである。【００７７】
Ｂｌｕ−ｒａｙ  ＲＯＭディスクは、１つのエラー訂正を行う単位（ユーザデータで６４キロバイト）であるＰｈｙｓｉｃａｌ  Ｃｌｕｓｔｅｒがトラック上に連続して記録される。また、Ｐｈｙｓｉｃａｌ  Ｃｌｕｓｔｅｒは、アドレス情報ＡＤＲを持った１６のアドレスユニットからなる。また、アドレスユニットは、同期符号を持った３１のフレームによって構成される。また、１フレームは、１９３２チャネルビットで構成される。【００７８】
従って、光ディスク記録装置６のフォーマッタ１７は、デジタルリードチャネルからのデジタル再生信号ＤＳから同期符号を検出してフレーム構造にフォーマットするとともに、同期符号のパターンによってアドレスユニット中の何番目のフレームかを判定しながら、アドレス情報ＡＤＲの記録されている単位であるアドレスユニットに分割する。【００７９】
また、光ディスク記録装置６のタイミング生成器１８は、１フレームを１３８チャネルビット単位に“＋１”のカウントすることによって、媒体情報の１ビットを記録するサブフレームをカウントして、サブフレームカウント値ＣＮＴを生成して乱数発生器１９とメモリ１１に出力する。また、タイミング生成器１８は、信号として図示しないがサブフレーム内の前半の６９チャネルビットが“Ｌ”で、後半の６９チャネルビットが“Ｈ”となるようなＰＥ変調信号ＰＥを生成してＰＥ変調器２１に出力する。【００８０】
メモリ１１は、予め記憶した媒体ＩＤを、タイミング生成器１８から入力されるサブフレームカウント値ＣＮＴの更新されるタイミングで、１ビットずつサブフレームカウント値ＣＮＴに対応した副情報ＳＤとして取り出してＥＯＲ２０に出力する。【００８１】
乱数発生器１９は、同様に入力されるサブフレームカウント値ＣＮＴの更新されるタイミングで１ビットずつ擬似乱数系列ＲＮを発生して、ＥＯＲ２０に出力する。なお、本実施の形態では、媒体ＩＤの記録を開始するターゲットアドレスを“Ｎ”として説明する。よって、タイミング生成器１８から乱数発生器１９の初期値をセットする初期値セットタイミング信号ＳＥＴは、アドレスＮのアドレスユニットの開始先頭より前に出力され、乱数発生器１９のＭ系列発生シフトレジスタに初期値がセットされている。なお、本初期値は前述のように、予め一方向性関数などによってデータ変換されたアドレスを用いても良いし、内部で秘密に記憶している初期値を用いても良い。また、Ｂｌｕ−ｒａｙは、実際にはアドレスユニットの先頭にアドレスが記録されているわけではなくＢＩＳ  Ｃｌｕｓｔｅｒというアドレスユニット内の離散的な領域に記録されているため、アドレスユニット先頭では、これから来るアドレスを確定していない。従って、追記マークを記録するターゲットアドレスのアドレスユニット直前のアドレスユニットからアドレスを抽出して、それに“＋２”をしたアドレスを乱数発生器１９の初期値として用いる（Ｂｌｕ−ｒａｙディスクでは、アドレスユニットごとにアドレスが“＋２”されている為）。【００８２】
ＥＯＲ２０は、乱数発生器１９から入力される疑似乱数系列ＲＮと副情報ＳＤとのサブフレーム内の１ビットごとに排他的論理和を算出して拡散副情報ＲＳＤを生成し、ＰＥ変調器２１に出力する。【００８３】
ＰＥ変調器２１は、入力されるＰＥ変調信号ＰＥと拡散副情報ＲＳＤとの排他的論理和を算出することによって拡散副情報ＲＳＤにＰＥ変調を施してＰＥ変調後拡散副情報ＰＲＳＤを生成してレーザ強度変調器２２に出力する。【００８４】
レーザ強度変調器２２は、ＰＥ変調器２１から入力されるＰＥ変調後拡散副情報ＰＲＳＤの“Ｌ”の部分で再生強度のレーザ光を照射し、“Ｈ”の部分で記録強度のレーザ光を照射する。レーザ強度変調器２２は、ＰＥ変調後拡散副情報ＰＲＳＤの“Ｈ”のタイミングで記録レーザ光を照射して反射膜の反射率を変化させることによって追記マークを形成する。【００８５】
以上のように、光ディスク記録装置６は、複写によって形成される凹凸マークＭＫのトラック上に、レーザ光を照射することによって追記マークを形成することによって媒体ＩＤを重畳記録する。よって、媒体ＩＤを記録していない凹凸マークのトラック上に追記マークを形成して媒体ＩＤの記録された光ディスクを作成することができる。【００８６】
なお、本実施の形態のように凹凸マーク上に、凹凸マークの最長マーク長よりも大きい追記マークを形成する場合においては、凹凸マークの再生精度の影響を避けるためにも、再生時の凹凸マークの変調度特性に比べ、追記マークを記録することによる反射光レベルの変動を小さくする必要がある。これには、半径方向の追記マーク幅を凹凸マークの幅より小さくすることによって実現することが可能となる。一般的に、照射するレーザ光の強度の特定領域では、レーザ強度に応じて単調増加的に記録マーク幅が変化することが知られているので、レーザ強度を小さくして凹凸マーク幅以下の追記マーク形成を実現することができる。レーザ強度の調整には、高出力のパワー照射を行う時間を調整したり、レーザに流す電流値を制御してパワーの強度自体を調整したりして、凹凸マークの幅より小さい追記マークを記録することが可能となる。【００８７】
次に、図４あるいは図７に示すように、レーザ光を照射することによって反射率を変化させて記録する追記マークが、凹凸マークで構成されるトラック間に形成されるときの光ディスク記録装置６の動作について補完的に説明する。【００８８】
この場合も上述と同様に追記マークを形成するターゲットアドレスが“Ｎ”であった場合は、図６の光ディスク記録装置の追加動作として、フォーマッタ１７は、アドレス“Ｎ”を持つアドレスユニットの先頭位置でトラックジャンプ信号ＴＪを生成し、サーボ回路１４及びデジタル信号処理器１６に出力する。【００８９】
サーボ回路１４は、フォーマッタ１７から入力されるトラックジャンプ信号ＴＪに基づいて、トラッキング位置を半トラック分移動させる。このときのサーボ回路１４のトラッキング制御方法は、レーザスポットの反射光に対してディスクの内周側の明度と外周側の明度の差が“０”になるようにトラッキング位置を制御するプッシュプル法が望ましい。なぜなら、プッシュプル法では、内周側及び外周側の明度差に基づいた制御であるのでスポットの中心に凹凸マークが無くても安定してトラッキング制御が可能となる。つまり、中心に凹凸マークがないトラック間でも安定にトラッキング制御を行うことができる。また、プッシュプル法では、凹凸マークのトラック間にトラッキング制御を行ったときと、トラック中心に制御を行ったときとでは、内周側／外周側の明度差と、実際にスポット位置を内周／外周に制御する関係が反転するため、プッシュプル制御の極性をトラックジャンプ時に反転させて制御を行う。【００９０】
また、デジタル信号処理器１６は、フォーマッタ１７から入力されるトラックジャンプ信号ＴＪのタイミングから、追記マークを記録する領域内で、内部に持つＰＬＬ回路の発振周波数を固定し、出力するクロック周波数を保持する。通常、トラック間にトラッキング制御をしたとき、凹凸マークの安定した再生信号が得られず、ＰＬＬ回路の発振を固定することができず、追記マークを意図した位置に形成できないという問題があるが、クロック周波数を固定することによってこの問題を解決することができる。【００９１】
また、通常、ＰＬＬ回路の発振周波数をロックしたとしても、記録時間が長ければ凹凸マークとクロックとの同期がはずれ、追記マークの形成位置がずれるという問題がある。このため、追記マークを例えば複数のＰｈｙｓｉｃａｌ  Ｃｌｕｓｔｅｒ単位、あるいは複数のアドレスユニット単位で形成し、追記マークを形成する度に、ターゲットアドレスの手前でＰＬＬ回路の周波数を凹凸マークの周波数に追従させる。これにより、記録時間は多少増大するものの、安定して追記マークの形成が可能となる。【００９２】
サーボ回路１４は、追記マークを形成するターゲットアドレスを持つアドレスユニットの先頭位置で、トラック間にトラック位置を制御させる。その後、ＰＥ変調器２１は、乱数発生器１９で発生された擬似乱数系列ＲＮによって副情報ＳＤをスクランブルした拡散副情報ＲＳＤにＰＥ変調を施す。そして、レーザ強度変調器２２は、ＰＥ変調後拡散副情報ＰＲＳＤに基づいて、光ディスクに照射するレーザ強度を変調して照射し、凹凸マークによるトラックのトラック間に追記マークを形成する。このようにして、媒体ＩＤをトラック間に記録することが可能となる。【００９３】
このようにすれば、追記マークを凹凸マークのトラック間に形成することが可能となり、凹凸マークの再生精度に一切影響を与えることなく、媒体ＩＤを記録することが可能となる。【００９４】
なお、通常、トラック間に反射率を変化させた追記マークを形成した場合、再生時に凹凸マークにトラッキングを制御するときのトラッキング誤差信号に直流成分が入り込み、正常にトラッキング動作を行うことができるか懸念される。しかしながら、本実施の形態では、トラック間に形成する追記マークにＰＥ変調を施した記録パルスを使用するので、追記マークが形成された領域と形成されない領域が５０％の確率で存在する。トラッキング制御を行う帯域では、トラック間の反射率は、常に追記マークの反射率と追記マーク以外の反射率の平均となるため余計な直流成分は出力されない。【００９５】
次に、図３あるいは図７に示すように、レーザ光を照射することによって凹凸マークのトラック上に間欠的な追記マークを形成することによって媒体ＩＤを記録する時の光ディスク記録装置６の記録動作について補完的に説明する。【００９６】
この場合も上述と同様に追記マークを形成するターゲットアドレスが“Ｎ”であった場合は、図６の光ディスク記録装置の追加動作として、タイミング生成器１８は、アドレス“Ｎ”を持つアドレスユニットの先頭位置から、追記マークの形成を行う領域内で、１３８チャネルビット単位に“＋１”のカウントを行う前述のサブフレームカウンタから、３チャネルビットに１発の記録ゲート信号ＷＧを生成して、レーザ強度変調器２２に出力する。記録ゲート信号ＷＧは、サブフレームカウンタのカウント値を３で除算した余が“０”となるタイミングで出力すれば生成可能である。【００９７】
ＰＥ変調器２１は、乱数発生器１９で発生した擬似乱数系列ＲＮによって副情報ＳＤをスクランブルした拡散副情報ＲＳＤにＰＥ変調を施し、ＰＥ変調後拡散副情報ＰＲＳＤをレーザ強度変調器２２に出力する。レーザ強度変調器２２は、ＰＥ変調後拡散副情報ＰＲＳＤと、タイミング生成器１８からの記録ゲート信号ＷＧとの論理積を算出した信号に基づいて、レーザ光を照射するための記録パルスＷＰを生成し、記録パルスＷＰを光学ヘッド１３へ出力する。光学ヘッド１３は、記録パルスＷＰに基づいて光ディスク上の凹凸マークのトラック上に記録強度のレーザ光を照射することによって、間欠的に追記マークを形成する。このようにして、トラック上に媒体ＩＤを間欠的に記録することができる。【００９８】
このようにすれば、追記マークを凹凸マークの３チャネルビット間に１チャネルビット分だけ記録することができ、凹凸マークの再生精度への影響を低減させることが可能となる。また、追記マークを間欠的に記録することにより、目視による追記マークの判別をより困難にすることができ、副情報が光ディスクのどの位置に記録されているかの判別をより困難にすることができる。【００９９】
なお、本実施の形態では、追記マーク長を凹凸マークの１チャネルビット分で説明したがこれに限るものではない。例えば、通常、光ディスク記録装置は、チャネルクロックより細かい単位で記録パルスの照射タイミングを変調するタイミング変調器（記録補償回路）を有している。これを用いれば、チャネルビット長よりも小さい領域にレーザ光を照射し、追記マークを形成できる。また、追記マーク長が凹凸マークの最短マーク長（Ｂｌｕ−ｒａｙディスクでは２チャネルビット）以下であれば、凹凸マークと追記マークとの分離が可能である。そのため、追記マーク長が凹凸マークの最短マーク長以下となるようにレーザ光を照射し、追記マークを形成してもよい。【０１００】
また、凹凸マークの最短マーク長より大きい追記マークを離散的に形成することも本発明の範囲である。凹凸マークの最長マーク長より長い追記マークの記録方法については前述の通りである。しかしながらこの場合には、凹凸マーク長より半径方向に幅の狭い追記マークを形成することが望ましい。【０１０１】
以上のように、本実施の形態の光ディスク記録装置によって、凹凸マークのトラック上の反射膜にレーザ光を照射し、媒体固有の媒体ＩＤを光ディスクに記録することができる。また、本実施の形態の光ディスク記録装置は、一般的な光ディスク記録装置に対して、絶大なコストアップとなる構成要素を必要としないで媒体ＩＤの記録を実現できる。また、光ディスク１枚ごとに異なる媒体ＩＤを利用すれば、ネットワーク越しの認証サーバによって媒体を管理する、ネットワークベースの著作権管理を実現可能な光ディスクを提供することができる。【０１０２】
なお、本実施の形態では、１フレームに１４ビットの媒体ＩＤを記録する方法を開示したが、本発明はこれに限るものではない。本発明の主眼は、フレーム構造に同期して媒体ＩＤを記録することであり、例えば、１フレームに１ビットの媒体ＩＤを記録してもよいし（この場合は、フレーム＝サブフレームとなる）、２フレームに１ビットの媒体ＩＤを記録してもよい（この場合は、フレーム＜サブフレーム）。【０１０３】
また、フレーム同期に重要な役割のある同期符号の記録されている領域、アドレスの記録されている領域または特定フレームの領域には追記マークを記録しない方法も考えられる。このようにすれば、凹凸マークの再生精度の悪化を極力防ぐことが可能となる。【０１０４】
また、追記マークの再生信頼性を向上させるために、同じビットを複数の離散した領域に複数回記録してもよい。これによって、光ディスク上に傷や埃などがあって読み取り精度の悪い領域があったとしても、繰り返し同じビットが記録されているので、媒体ＩＤのリーダビリティを向上させることができる。【０１０５】
さらに、媒体ＩＤにエラー訂正符号が付与されていれば、媒体ＩＤの再生信頼性をさらに向上させることが可能である。この場合、エラー訂正のためのパリティビットは、本実施の形態で開示した光ディスク記録装置内で付与してもよいし、鍵管理機構で付与してもよい。また、エラー検出コードが付与されている場合、パリティによる誤訂正を判断できるためなおよい。【０１０６】
（１−４）実施の形態１の光ディスク再生装置
図８は、実施の形態１の光ディスク製造方法の検査工程において用いられる光ディスク再生装置（検査装置）の構成を示すブロック図である。第２の製造工程３００では、凹凸マーク上にレーザ光を照射し、反射膜の反射率を変化させることにより追記マークを形成し、媒体ＩＤが重畳記録された光ディスクを作成している。光ディスク再生装置７は、第２の製造工程３００において媒体ＩＤが記録された光ディスクから媒体ＩＤを再生し、光ディスクに正常に媒体ＩＤが記録されているかを検査する。【０１０７】
図８に示す光ディスク再生装置７は、スピンドルモータ１２、光学ヘッド１３、サーボ回路１４、アナログ信号処理器１５、デジタル信号処理器１６、フォーマッタ１７、エラー訂正器２４、タイミング生成器１８、乱数発生器１９、ＰＥ変調器２１、ＬＰＦ２５、２値化器２６、相関積分器２７、メモリ１１、再生精度算出器２８、認証符号検証器２９及びシステムコントローラ２３を備える。なお、光ディスク再生装置７の構成要素は、前述の実施の形態１の光ディスク記録装置６と同一装置内に実装されても良い。【０１０８】
スピンドルモータ１２は、光ディスク再生装置７に光ディスク２４１が挿入されると、挿入された光ディスク２４１に対応した回転数で光ディスク２４１を回転させる。【０１０９】
光学ヘッド１３は、スピンドルモータ８によって挿入された光ディスク２４１の回転数が目的の回転数に達した後、光ディスク２４１に再生強度のレーザ光を照射し、その反射光からチャネル信号ＣＳを生成してアナログ信号処理器１５に出力する。【０１１０】
アナログ信号処理器１５は、光学ヘッド１３から入力されるチャネル信号ＣＳに基づいて、レーザスポット位置の半径方向のズレを示すトラッキングエラー信号ＴＥとレーザスポットのフォーカス位置のズレを示すフォーカスエラー信号ＦＥとを抽出して、サーボ回路１４に出力する。また、アナログ信号処理器１５は、光学ヘッド１３から入力されるチャネル信号ＣＳを波形等化したり、増幅したりして凹凸マークに対応したアナログ再生信号ＡＳを抽出してデジタル信号処理器１６及びＬＰＦ２５に出力する。【０１１１】
サーボ回路１４は、アナログ信号処理器１５から入力されるフォーカスエラー信号ＦＥに基づいてフォーカス位置のズレ量を補正するためのフォーカス制御信号ＦＣを算出するとともに、トラッキングエラー信号ＴＥに基づいてトラッキング位置のズレ量を補正するためのトラッキング制御信号ＴＣを算出して光学ヘッド１３に出力する。光学ヘッド１３は、これらの制御信号を基にレーザスポットのフォーカス位置とトラッキング位置を補正してレーザ光を照射する。また、サーボ回路１４は、再生信号に基づいて線速度を算出し、回転数を制御するための回転制御信号ＳＣを生成してスピンドルモータ１２に出力する。スピンドルモータ１２は、サーボ回路１４から入力される回転制御信号ＳＣに基づいて回転数を補正する。【０１１２】
デジタル信号処理器１６は、内部にＰＬＬ（Ｐｈａｓｅ  Ｌｏｃｋｅｄ  Ｌｏｏｐ）回路を備え、アナログ信号処理器１５から入力されるアナログ再生信号ＡＳに同期したクロック信号ＣＫを抽出するとともに、抽出したクロック信号ＣＫでアナログ再生信号ＡＳをサンプリングして量子化した後、２値化してデジタル再生信号ＤＳを生成し、フォーマッタ１７に出力する。また、デジタル信号処理器１６は、抽出したクロック信号ＣＫをタイミング生成器１８及び２値化器２６に出力する。【０１１３】
フォーマッタ１７は、デジタル信号処理器１６から入力されるデジタル再生信号ＤＳから一定周期ごとに付与されている同期パターンを検出し、デジタル再生信号ＤＳをフレーム構造にフォーマットする。また、フォーマッタ１７は、同期パターンに基づいて、所定数のフレームのアドレスを含む集合をアドレスユニット単位にフォーマットする。また、フォーマッタ１７は、アドレスを基に、エラー訂正を行うＰｈｙｓｉｃａｌ  Ｃｌｕｓｔｅｒ単位にフォーマットする。このようにフォーマットされた再生信号はフォーマットデータＦＤとしてエラー訂正器２４に出力される。また、フォーマッタ１７は、フレーム単位の同期パターンの検出タイミングである同期符号検出タイミング信号ＳＹをタイミング生成器１８に出力する。また、フォーマッタ１７は、アドレスユニット単位に付与されたアドレス情報ＡＤＲを乱数発生器１９に出力する。【０１１４】
タイミング生成器１８は、媒体ＩＤを再生するターゲットアドレスを持つアドレスユニットの先頭位置で乱数発生器１９へ初期値をセットするタイミングを示す初期値セットタイミング信号ＳＥＴを生成して、乱数発生器１９に出力する。なお、本実施の形態では、ターゲットアドレスが予めシステムコントローラ２３に設定されているものとして説明する。【０１１５】
タイミング生成器１８は、デジタル信号処理器１６から入力されるクロック信号ＣＫと、フォーマッタ１７から入力される同期符号検出タイミング信号ＳＹとに基づいて動作するカウンタを備える。カウンタは、クロック信号ＣＫに同期してフレーム内のクロックをカウントするとともに、同期符号検出タイミング信号ＳＹのタイミングで、保持しているカウント値をリセットする。また、カウンタは、媒体ＩＤ（副情報）の１ビットを検出するためのサブフレーム単位に１を加算するカウンタを併設しており、このサブフレームカウント値ＣＮＴを乱数発生器１９、相関積分器２７及びメモリ１１に出力する。また、タイミング生成器１８は、サブフレーム内で前の半分が“Ｌ”、後の半分が“Ｈ”となるようなＰＥ変調信号ＰＥを生成してＰＥ変調器２１に出力する。【０１１６】
乱数発生器１９は、シフトレジスタからなる一般的なＭ系列発生回路で構成され、タイミング生成器１８から入力される初期値セットタイミング信号ＳＥＴの出力されるタイミングで、フォーマッタ１７から入力されるアドレス情報ＡＤＲを、擬似乱数系列ＲＮを発生させる初期値としてＭ系列発生回路のシフトレジスタにセットする。また、乱数発生器１９は、タイミング生成器１８から入力されるサブフレームカウント値ＣＮＴが更新されるタイミングでシフトレジスタをシフトして１ビットの擬似乱数系列ＲＮを生成してＰＥ変調器２１に出力する。なお、乱数発生器１９は、本実施の形態の光ディスク記録装置６における乱数発生器１９と同一の形態を有する。【０１１７】
ＰＥ変調器２１は、乱数発生器１９から入力される擬似乱数系列ＲＮに、タイミング生成器１８から入力されるＰＥ変調信号ＰＥに基づいてＰＥ変調を施す。ＰＥ変調器２１は、一般的な排他的論理和ゲートで構成され、擬似乱数系列ＲＮとＰＥ変調信号ＰＥとの排他的論理和を算出することで相関系列ＰＥＲを生成して相関積分器２７に出力する。【０１１８】
ＬＰＦ２５は、アナログ信号処理器１５から入力されるアナログ再生信号ＡＳの帯域制限を行う一般的な低域通過フィルタで構成され、アナログ再生信号ＡＳの低域成分のみを抽出して帯域制限再生信号ＬＰＳを生成して２値化器２６に出力する。なお、ＬＰＦ２５は、凹凸マークの最長マークよりも遅い帯域を通過させるためのフィルタである。これによって、再生信号から凹凸マークを示す帯域を制限した帯域制限再生信号ＬＰＳがＬＰＦ２５から２値化器２６に出力される。２値化器２６は、ＬＰＦ２５から入力される帯域制限再生信号ＬＰＳの直流成分をカットして、デジタル信号処理器１６から入力されるクロック信号ＣＫに同期して帯域制限再生信号ＬＰＳのゼロクロス点を検出して２値化再生信号ＢＳを生成して相関積分器２７に出力する。【０１１９】
相関積分器２７は、内部にアップダウンカウンタを有し、ＰＥ変調器２１からの相関系列ＰＥＲと、２値化器２６からの２値化再生信号ＢＳとの相関を算出して積分する。アップダウンカウンタは、相関系列ＰＥＲと２値化再生信号ＢＳとに相関が認められるとき、すなわち相関系列ＰＥＲが“Ｈ”でありかつ２値化再生信号ＢＳが“Ｈ”であるとき、あるいは相関系列ＰＥＲが“Ｌ”でありかつ２値化再生信号ＢＳが“Ｌ”であるときに内部のカウンタをインクリメントする。【０１２０】
一方、アップダウンカウンタは、相関系列ＰＥＲと２値化再生信号ＢＳとに相関が認められないとき、すなわち相関系列ＰＥＲが“Ｈ”でありかつ２値化再生信号ＢＳが“Ｌ”であるとき、あるいは相関系列ＰＥＲが“Ｌ”でありかつ２値化再生信号ＢＳが“Ｈ”であるときに内部のカウンタをデクリメントする。また、相関積分器２７は、タイミング生成器１８から入力されるサブフレームカウント値ＣＮＴが更新されるタイミングで、保持している相関積分値ＣＩＮをメモリ１１に出力した後、相関積分値を“０”に初期化する。従って、媒体ＩＤの１ビットを検出する範囲であるサブフレーム内での、相関系列ＰＥＲと２値化再生信号ＢＳとの積分値がメモリ１１に出力される。【０１２１】
メモリ１１は、タイミング生成器１８から入力されるサブフレームカウント値ＣＮＴに対応したメモリ空間に記憶されている値に、相関積分器２７から入力される相関積分値ＣＩＮを加算して記憶する。よって、メモリ１１は、媒体ＩＤの全ビットに対応したそれぞれのメモリ空間を持ち、媒体ＩＤの再生中には、媒体ＩＤの１ビットごとの積分値が記憶される。【０１２２】
認証符号検証器２９は、メモリ１１の媒体ＩＤの各ビットに対応した積分値のうち、符号ビットを媒体情報として入力する。すなわち、認証符号検証器２９は、積分値が“＋”のときは、ビット値＝“０”、積分値が“−”のときは、ビット値＝“１”を媒体ＩＤとして算出する。認証符号検証器２９は、算出した媒体ＩＤに付与されている認証符号に基づいて、読み出した媒体ＩＤが正常であるか、または改竄が無いかを判定する。この認証符号にはデジタル署名やＭＡＣが用いられ、認証符号検証器２９は、デジタル署名の署名検証が正常であるか、あるいは付与されているＭＡＣが正常であるかを判定する。認証符号検証器２９は、正常であると判定された場合、抽出した媒体ＩＤを出力し、正常でないと判断された場合、継続して再生動作を行う。但し、再生動作が規定時間以上続いてもなお正常な媒体ＩＤが検出できていない場合には、不正ディスクあるいは欠陥ディスクとして排除し、再生動作を完了する。なお、媒体ＩＤにエラー訂正やエラー検出のためのパリティが付与されているときは、これに基づいて再生動作の継続を判定してもよい。すなわち、認証符号検証器２９は、メモリの符号ビットから媒体ＩＤを抽出し、付与されているパリティによってエラー訂正やエラー検出を行う。エラーと判断されれば、再生動作を継続し、エラーと判断されない場合はデジタル署名検証やＭＡＣ検証を行う。【０１２３】
再生精度算出器２８は、メモリ１１からの媒体ＩＤの各ビットに対応した積分値を入力し、積分値の絶対値の平均と標準偏差とを求め、平均と標準偏差とに基づくガウス分布から、媒体ＩＤのビットエラー率を推定して、これを閾値判定することによって、正常に媒体ＩＤが記録されているかを判定する。閾値に満たない、すなわち、正常に媒体ＩＤが記録されていないと判定した場合には、再生しているディスクを欠陥品として排除する。また、上記のビットエラー率の推定は、上記ガウス分布のマイナス無限大から０までの積分によって求めることができる。【０１２４】
なお、本実施の形態において、スピンドルモータ１２、光学ヘッド１３、サーボ回路１４及びアナログ信号処理器１５がトラッキング部の一例に相当し、アナログ信号処理器１５が再生信号抽出部の一例に相当し、デジタル信号処理器１６がクロック抽出部の一例に相当し、ＬＰＦ２５及び２値化器２６が分離部の一例に相当し、フォーマッタ１７、タイミング生成器１８、乱数発生器１９、ＰＥ変調器２１、相関積分器２７及びメモリ１１が副情報再生部の一例に相当し、フォーマッタ１７が同期符号検出部の一例に相当し、ＬＰＦ２５が帯域制限フィルタの一例に相当し、乱数発生器１９が相関系列生成部の一例に相当し、相関積分器２７が相関検出部の一例に相当し、認証符号検証器２９が再生部の一例に相当する。【０１２５】
次に、光ディスク再生装置７の動作について詳細に説明する。図９は、実施の形態１における光ディスク再生装置の特徴的な動作を示すタイミングチャートである。なお、以下の説明では、光ディスクをＢｌｕ−ｒａｙ  ＲＯＭディスクとして説明する。【０１２６】
光ディスク再生装置７のデジタル信号処理器１６から出力されるデジタル再生信号ＤＳは、エラー訂正の単位（ユーザデータで６４キロバイト）であるＰｈｙｓｉｃａｌ  Ｃｌｕｓｔｅｒが連続して再生される。Ｐｈｙｓｉｃａｌ  Ｃｌｕｓｔｅｒは、１６のアドレス情報ＡＤＲが付与されたアドレスユニットからなる。アドレスユニットは、同期符号が付与された３１のフレームからなり、１フレームは、１９３２チャネルビットからなる。【０１２７】
ここで、媒体ＩＤの検出を開始するターゲットアドレスを“Ｎ”とすると、タイミング生成器１８は、アドレス“Ｎ”が付与されたアドレスユニットの先頭位置で、乱数発生器１９に初期値セットタイミング信号ＳＥＴを出力し、フォーマッタ１７は、アドレス“Ｎ”を乱数発生器１９に出力する。【０１２８】
タイミング生成器１８は、１フレーム内で媒体ＩＤの１ビットを検出するサブフレーム（１サブフレームは１３８チャネルビット）単位に１を加算するカウンタを有し、このカウンタのカウント値をサブフレームカウント値ＣＮＴとして乱数発生器１９、相関積分器２７及びメモリ１１に出力する。【０１２９】
乱数発生器１９は、タイミング生成器１８からの初期値セットタイミング信号ＳＥＴの出力タイミングで、内部のシフトレジスタに、フォーマッタ１７から出力されたアドレス“Ｎ”を初期値としてセットする。また、乱数発生器１９は、タイミング生成器１８からのサブフレームカウント値ＣＮＴの更新されるタイミングで内部のシフトレジスタをシフトして１ビットずつ擬似乱数系列ＲＮを発生し、ＰＥ変調器２１に出力する。【０１３０】
また、タイミング生成器１８は、サブフレームの前半の６９チャネルビットが“Ｌ”で、後半の６９チャネルビットが“Ｈ”となるＰＥ変調信号ＰＥを生成してＰＥ変調器２１に出力する。ＰＥ変調器２１は、タイミング生成器１８から入力されるＰＥ変調信号ＰＥと、乱数発生器１９から出力される擬似乱数系列ＲＮの排他的論理和を算出して、相関系列ＰＥＲを生成し、相関積分器２７に出力する。【０１３１】
また、図９では、３種類の追記マークＳＭＫの記録形態を示しており、いずれも光ディスク上の凹凸マークＭＫと、レーザ光が照射されることによって反射率の変化した追記マークＳＭＫとの記録形態を示している。いずれにしても、追記マークＳＭＫの記録されていない部分より、追記マークＳＭＫの記録された部分では、アナログ信号処理器１５から出力されるアナログ再生信号ＡＳの示す反射光レベルが平均的に大きくなる。これは、光ディスクに付与された反射膜が、レーザ光が照射されることによって反射率が上がる特性を有しているからである。【０１３２】
また、追記マークＳＭＫの反射光強度への影響である変調度ｒ２は、凹凸マークＭＫの反射光レベルの変調度ｒ１に比べて小さい。望ましくは、追記マークＳＭＫの反射光レベルの変調度ｒ２は、凹凸マークＭＫの反射光レベルの変調度ｒ１の１／２（半分）以下であれば、追記マークＳＭＫの記録による凹凸マークＭＫの再生精度への影響を希少化することができる。なお、前述のような反射光レベルの関係は、追記マークＳＭＫを記録するときのレーザ強度を調整したり、レーザ光を照射する時間を調整したりして、凹凸マークＭＫのトラック方向への幅に対して、追記マークＳＭＫのトラック方向への幅を小さくすることで実現できる。【０１３３】
また、図９に示すように凹凸マークＭＫのトラック間に追記マークＳＭＫがある場合にも、通常、凹凸マークＭＫを読み出すときのレーザスポットは、凹凸マークＭＫのトラック方向への幅よりも広く、追記マークＳＭＫの形成された領域でのアナログ再生信号ＡＳの反射光レベルの特性が変化してしまう。【０１３４】
また、離散的に追記マークＳＭＫを配した場合においても、追記マークＳＭＫを形成した部分では反射率が高くなり、アナログ再生信号ＡＳの反射光レベルの特性が変化する。【０１３５】
通常、光ディスク再生装置では、アナログ再生信号ＡＳのゼロクロス点の誤差を検出して、誤差に追従して補正するいわゆるベースラインコントロール回路を具備している場合が多い。しかしながら、本実施の形態における追記マークＳＭＫは、サブフレーム（＝１３８チャネルビット＝Ｂｌｕ−ｒａｙディスク１倍速で約４８０ＫＨｚ）単位に形成され、通常のベースラインコントロール回路の追従帯域外であり、ゼロクロス点が補正されて追記マークＳＭＫの再生が不可能になることはない。【０１３６】
ＬＰＦ２５は、アナログ信号処理器１５から入力されるアナログ再生信号ＡＳに通過帯域制限を施す帯域制限回路（フィルタ）で構成され、本実施の形態では、カットオフ周波数として、サブフレームの帯域より高く、凹凸マークの最長マーク長のマーク／ランドの組み合わせの帯域よりも低い帯域が設定された低域通過フィルタによって実現されている。ＬＰＦ２５を通過して得られる帯域制限再生信号ＬＰＳは、追記マークＳＭＫが施されている部分で“Ｈ”となり、追記マークＳＭＫが施されていない部分で“Ｌ”となる。【０１３７】
２値化器２６は、ＬＰＦ２５から入力される帯域制限再生信号ＬＰＳを、デジタル信号処理器１６からのクロック信号ＣＫに同期させて、ゼロクロス点を算出して２値化して、２値化再生信号ＢＳを生成し、相関積分器２７に出力する。【０１３８】
相関積分器２７は、タイミング生成器１８のサブフレームカウント値ＣＮＴの示すサブフレームの範囲で、２値化器２６からの２値化再生信号ＢＳとＰＥ変調器２１からの相関系列ＰＥＲとの相関値を積分してメモリ１１に出力する。すなわち、相関積分器２７は、クロック信号ＣＫに同期して、相関系列ＰＥＲが“Ｈ”であり、かつ２値化再生信号ＢＳが“Ｈ”であるとき、あるいは相関系列ＰＥＲが“Ｌ”であり、かつ２値化再生信号ＢＳが“Ｌ”であるとき、両者に相関があると判断して内部のアップダウンカウント値をインクリメントする。【０１３９】
一方、相関積分器２７は、相関系列ＰＥＲが“Ｈ”であり、かつ２値化再生信号ＢＳが“Ｌ”であるとき、あるいは相関系列ＰＥＲが“Ｌ”であり、かつ２値化再生信号ＢＳが“Ｈ”であるとき、両者に相関がないと判断して内部のアップダウンカウント値をデクリメントする。相関積分器２７は、これをサブフレーム内で繰り返し行い、サブフレーム内の媒体ＩＤの１ビットに対応する積分値を算出する。また、相関積分器２７は、タイミング生成器１８からのサブフレームカウント値ＣＮＴの更新されるタイミングで、内部に保持している１ビット分の相関積分値ＣＩＮをメモリ１１に出力するとともに、内部に保持していた積分値をリセットする。【０１４０】
メモリ１１は、相関積分器２７から入力される１ビット分の相関積分値ＣＩＮを、タイミング生成器１８から入力されるサブフレームカウント値ＣＮＴの示すメモリ空間に記憶されている値に加算する。【０１４１】
認証符号検証器２９は、媒体ＩＤの１ビットに対応したメモリ１１の符号ビットを入力し、付与された認証符号やエラー訂正符号から正常な読み出しができているかを確認する。システムコントローラ２３は、認証符号検証器２９が検証の結果、正常な媒体ＩＤの読み出しを確認した時点で、再生動作を終了する。一方、システムコントローラ２３は、認証符号検証器２９によってデジタル署名検証又はＭＡＣ検証で不正と判断されたり、エラー訂正不能又はエラービット有りと判断された場合には、再生動作を継続して、媒体ＩＤのビット毎の積分動作を継続する。また、システムコントローラ２３は、指定時間範囲内に正常な媒体ＩＤの読み出しが不可能であった場合には、不正ディスクとして排除する。【０１４２】
再生精度算出器２８は、媒体ＩＤの各ビットの積分値をメモリ１１から取得し、各ビット毎の積分値の絶対値の平均値及び標準偏差を算出し、これらをガウス分布に近似して、媒体ＩＤのビットエラーレートを推測し、そのビットエラーレートを基に光ディスクの検証を行う。再生精度算出器２８は、検証結果が規定値以上のビットエラーレートであった場合には、媒体ＩＤの読み出し精度の悪い光ディスクとして判定する。読み出し精度が悪いと判定された光ディスクは、排除される。【０１４３】
なお、媒体ＩＤの読み出し精度を検査する検査工程においては、不正ディスクであると判断する判断基準を十分に低く見積もる必要がある。なぜならば、光ディスク再生装置間で媒体ＩＤの読み出しの信頼性にもばらつきがあるため、これらも十分に考慮した規定値を設定する必要がある。また、本実施の形態では、メモリ１１に記憶された積分値の平均とばらつきとに基づいて、媒体ＩＤの読み出し精度の信頼性を推測しているが、本発明は特にこれに限定されず、ばらつきはある程度光ディスク内では固有に出力されるため、単に平均値だけから推測しても構わない。【０１４４】
また、媒体ＩＤの読み出し精度の信頼性の指標として、媒体ＩＤが認証符号検証器２９によってエラー訂正可能あるいはエラービット無しと判断されるまでの積分時間自体を用いても構わない。なぜならば、媒体ＩＤの記録精度がよい場合には、読み出しのための積分時間が短く、悪い場合には積分時間が多くかかるためである。例えば、媒体ＩＤのビット毎の積分値が完全にガウス分布をなしているとすると、媒体ＩＤの信号成分が半分になれば同じ精度で媒体ＩＤを読み出すための時間は４倍必要となる。【０１４５】
以上のように、本実施の形態の光ディスク再生装置７は、凹凸マーク上の反射膜の反射率を変化させた追記マークによって媒体ＩＤが記録された光ディスクから、凹凸マークの主情報を再生するのと同時に、再生信号の反射光レベルの変動を積分することによって媒体ＩＤを再生する。また、媒体ＩＤのビット毎の積分値の平均値及びばらつき、または媒体ＩＤの読み出しが完了するまでの時間に基づいて媒体ＩＤの記録精度を判定し、記録精度が悪いと判定された光ディスクは、不正ディスクとして排除する。また、媒体ＩＤは、デジタル署名情報、ＭＡＣ、あるいはエラー訂正符号化されることによって記録されており、デジタル署名検証不可のとき、ＭＡＣ検証不可のとき、あるいはエラー訂正不能のときは十分な積分が成されていないとして積分動作を継続するとともに、積分時間が規定時間より長くなった場合には不正ディスクと判断して光ディスクを排除する。【０１４６】
なお、本実施の形態において、媒体ＩＤが記録される記録場所は、コントロール領域ＣＴＬに限定されず、光ディスク上のユーザ領域ＵＳＲであってもよく、凹凸マークでアドレス情報が記録される領域であればいかなる領域でも構わない。【０１４７】
また、本実施の形態における光ディスクは、凹凸マークによって情報が記録されている再生専用の光ディスクとして説明しているが、本発明はこれに限定されない。ウォブルトラックを有し追記膜や相変化膜の付与された追記ディスクや書き換えディスクにおいても、レーザ光を照射することによって主情報を記録した後、再度、同領域にレーザ光を照射して媒体ＩＤを記録することも可能である。これによって、追記ディスクや書き換えディスクにおいても媒体ＩＤを記録することができる。これらのディスクでは、媒体ＩＤを主情報の暗号化の鍵として記録することができれば、記録ごとに鍵を変化させて記録可能な光ディスクを提供することができ著作権保護の強度を向上することができる。【０１４８】
また、本発明を用いれば、再生専用の光ディスクであっても媒体ＩＤが記録できるので、ネットワーク型の著作権管理を実現しうる。すなわち、ネットワークを介して接続された管理サーバによって、光ディスクに記録したコンテンツの再生、移動あるいは複製に関する回数情報を管理する。これにより、再生専用の光ディスクであったとしても、バックアップの目的でコンテンツをハードディスク等の他の媒体に複製したり、ハードディスクにコンテンツを移動させて視聴するというようなユーザにとって利便性のある使用方法を提供することができる。なお、例えば、光ディスクからハードディスクにコンテンツを移動させたときは、移動時に管理サーバに自身の媒体ＩＤを送付し、管理サーバでは媒体ＩＤに関連付けてコンテンツが移動していることを記録する。管理サーバは、媒体ＩＤを含むコンテンツの再生許可願いを受け取ったら自身に記憶した管理情報によってコンテンツが移動済みであると判断して、再生願いを棄却する。このようなシステムを構築することにより、著作権を保護しつつ、コンテンツを移動できる環境を提供できる。【０１４９】
（実施の形態２）
（２−１）実施の形態２の光ディスク
図１０は、実施の形態２に係る光ディスクの構造を示す概念図である。図１０に示す光ディスク１は、光ディスク記録装置や光ディスク再生装置にローディングされるときクランプされるクランプ領域ＣＬＰと、著作権に関する情報、光ディスク１の物理特性あるいは光ディスク１の管理情報が凹凸マークによって記録されている内周側及び外周側の２つのコントロール領域ＣＴＬと、例えば暗号化された映画タイトルやＰＣデータ情報が凹凸マークによって記録されたユーザ領域ＵＳＲとから構成される。【０１５０】
また、光ディスク１の少なくともユーザ領域ＵＳＲとコントロール領域ＣＴＬとは、ポリカなどの光ディスク基板１Ｐに凹凸マークを転写して、その上にレーザ光が照射されることによって反射率の変化する反射膜１Ｌを付与した後、保護膜１Ｃを付与して形成されている。【０１５１】
また、光ディスク１の内周側のコントロール領域ＣＴＬには、レーザ光が照射されることによって凹凸マークＭＫ上の反射膜の反射率を変化させた、あるいは反射膜自体を除去した、光ディスクの半径方向に長く、かつ凹凸マークの成すトラックを横断するプリマークＰＭが、光ディスクの反射膜を付与した後に形成されている。また、プリマークＰＭの円周方向の長さは凹凸マークＭＫの最長マークよりも長く記録されている。このプリマークＰＭは、レーザ光が照射されることによって反射率が向上する、あるいは減少する記録マークとしてもよいし、例えば反射膜を除去する場合には無反射のマークとして記録しても良い。【０１５２】
また、光ディスクのアドレス情報を有する領域、すなわち、少なくともコントロール領域ＣＴＬ及びユーザ領域ＵＳＲには、ディスク整形し、プリマークＰＭを記録した後、実施の形態１の媒体ＩＤの記録方法と同様に、凹凸マークＭＫのトラック上にレーザ光を照射して追記マークを形成することによって、凹凸マークＭＫで記録されたアドレス位置から、プリマークＰＭまでの距離を物理位置情報として記録する。また、物理位置情報は、凹凸マークＭＫの基準位置であるアドレスを含むとともに、１つのプリマークＰＭに対して、一定距離半径方向に乖離した少なくとも２点が１組として記録される。【０１５３】
よって、本実施の形態の光ディスク１のコントロール領域ＣＴＬには、アドレスを含む凹凸マークＭＫが転写され、その反射膜にレーザ光を照射することによって、反射膜の反射率を変化させた、あるいは反射膜を除去したプリマークＰＭが追記される。また、凹凸マークＭＫの基準となるアドレス位置からプリマークＰＭまでの半径方向の距離が物理位置情報として取得される。また、物理位置情報は、１つのプリマークＰＭに対して異なる半径位置で２回以上検出される。そして、少なくともユーザ領域ＵＳＲあるいはコントロール領域ＣＴＬのアドレスの記録された領域の凹凸マークＭＫのトラックに基づいて、レーザが照射され、トラック上の反射膜の反射率を変化させて形成する追記マークとして物理位置情報が記録されている。【０１５４】
本実施の形態におけるプリマークＰＭは、光ディスク半径方向に長い。従って、これを複製する場合には、光ディスクの記録開始位置、回転数及び線速度などをすべてコピー元とコピー先とで同一に必要がある。これらが、多少たりともずれていると、コピー元の再生位置（角度位置）とコピー先の記録位置（角度位置）とにずれが生じ、半径方向に直線的な記録マークとして複製することが不可能になる。従って、このようなマークをそのまま複製することは極めて困難となる。【０１５５】
また、記録時に基準のアドレス位置からプリマークＰＭまでの距離（物理位置情報）が、再生クロックによって計測されて、凹凸マーク上の追記マークとして記録されている。また、１つのプリマークＰＭに対して、少なくとも１つの基準アドレスから、半径方向に数トラック乖離した２点までの物理位置情報が記録されている。再生時には、追記マークを再生して、ターゲットアドレスと少なくとも２点の記録時の物理位置情報が取得されて、取得したターゲットアドレスからプリマークまでの物理位置情報が少なくとも記録時と同様の２点で確認される。【０１５６】
従って、不正に複製された光ディスクでなければ、これら記録時の物理位置情報と、再生時の物理位置情報とには相関があり、光ディスクの再生が許可される。一方、これらに相関が無ければ、不正コピーによって複製された光ディスクであると判断されて光ディスクの再生が許可されない。また、１つのアドレス位置から１つのプリマークＰＭの少なくとも２点の物理位置情報を比較することによって、プリマークＰＭが半径方向に対して直線的であるか否かの判定を行うことができる。通常、不正コピーによってコピー元の記録位置とコピー先の記録位置とがずれれば、半径方向への直線性を失ったプリマークＰＭが複製される。このように少なくとも２点の物理位置情報を検証することによって直線性が判断されるので、不正コピーへの耐性を向上させることができる。【０１５７】
また、プリマークＰＭは、光ディスク１の円周上に複数設けても良い。これら全てのプリマークＰＭの物理位置情報が確認されることにより、不正コピーへの耐性を向上させることができる。【０１５８】
また、本実施の形態におけるプリマークＰＭの記録位置は、内周側のコントロール領域ＣＴＬであると説明しているが、外周側のコントロール領域ＣＴＬ、あるいはユーザ領域ＵＳＲであってもよく、アドレス情報の記録されている領域であればいかなる領域であっても構わない。【０１５９】
また、プリマークＰＭの記録位置と追記マークの記録位置とは、互いに所定半径距離を乖離して記録されることが望ましい。なぜなら、ともに反射膜の反射率を変化させることによって記録するので、同じ領域に記録すればこれらの情報を分離することが困難となるためである。【０１６０】
（２−２）実施の形態２の光ディスク製造方法
図１１は、実施の形態２における光ディスク製造方法を示す模式図である。実施の形態２における光ディスク製造方法は、オーサリング工程１００、第１の製造工程２００、第２の製造工程５００、第３の製造工程６００及び第４の製造工程７００の手順で光ディスクを作成する。【０１６１】
オーサリング工程１００は、実施の形態１のオーサリング工程１００と同様の工程であり、光ディスクに記録するコンテンツデータを、光ディスクのフォーマットにオーサリングする工程であり、記録するコンテンツデータを鍵管理機構によって作成された暗号鍵を用いて暗号化し、暗号化したコンテンツデータをオーサリングして、第１の製造工程２００に出力する。【０１６２】
第１の製造工程２００は、実施の形態１における第１の製造工程２００と同様の工程であり、入力工程２０１、マスタリング工程２０２、スタンプ工程２０３、スパッタリング工程２０４及び保護膜付与工程２０５が順に行われることで、物理位置情報が記録されていない光ディスク４０が成形される。すなわち、入力工程２０１において、オーサリング工程１００でオーサリングされたコンテンツデータが入力され、マスタリング工程２０２において、光ディスク原盤が作成され、スタンプ工程２０３において、スタンパを作成して光ディスク基盤にスタンプすることで、凹凸記録マークが転写され、スパッタリング工程２０４において、凹凸マーク上にレーザが照射されることによって反射率が変化する反射膜が蒸着され、保護膜付与工程２０５において、凹凸マーク上に保護膜が付与されて光ディスク４０が成形される。成形された光ディスク４０は、第２の製造工程５００に移される。【０１６３】
第２の製造工程５００において、プリマーク記録装置７０は、光ディスクの内周側のコントロール領域ＣＴＬに対応した半径位置に、レーザ光を照射することによって半径方向に直線的なプリマークを記録する。プリマーク記録装置７０は、第１の製造工程２００において成形された光ディスク４０をローディングすると、ＣＡＶ（Ｃｏｎｓｔａｎｔ  Ａｎｇｕｌａｒ  Ｖｅｌｏｃｉｔｙ）制御によって光ディスクを回転させる。プリマーク記録装置７０は、光ディスク４０が所定の回転数に達したとき、プリマークを記録する半径位置に光学ヘッドを移動させ、ディスク一回転に同期した回転同期信号に同期して間欠的にレーザ光を照射し、光ディスク一回転ごとに所定量光学ヘッドを外周側に移動させる。これを連続して行うことで、光ディスク４０上に半径方向に長いプリマークが形成される。【０１６４】
なお、プリマーク記録装置７０は、半導体レーザを照射して、反射膜の反射率を変化させてプリマークを形成する形態でもよいし、ＹａＧレーザを用いたイニシャライザによってビームを照射して、反射膜をトリミングすることによってプリマークを記録してもよい。第２の製造工程５００において光ディスクの内周側のコントロール領域ＣＴＬにプリマークの形成された光ディスク５０は、第３の製造工程６００に移される。【０１６５】
第３の製造工程６００は、第２の製造工程５００でプリマークの形成された光ディスク５０から、凹凸マークによるアドレス情報を基準にプリマークの物理位置情報を計測する工程である。【０１６６】
物理位置情報取得装置８０は、第２の製造工程５００においてプリマークが形成された光ディスク５０をローディングすると、内周側のコントロール領域ＣＴＬのプリマークの形成された半径位置に光学ヘッドを移動させる。続いて、物理位置情報取得装置８０は、凹凸マークで記録されているアドレス情報を基準にプリマークの光ディスク上における物理位置情報を計測する。物理位置情報は、凹凸マーク再生時の再生クロックをカウントすることで算出される基準のアドレス位置からプリマークの開始点までのクロック数である。すなわち、物理位置情報取得装置８０は、基準アドレス位置からの距離あるいは角度に関する情報として物理位置情報を取得する。【０１６７】
また、物理位置情報取得装置８０は、１つのアドレス基準位置から半径方向に所定距離だけ乖離した少なくとも２点のプリマーク位置を計測して、基準アドレス情報と対応付けて、第４の製造工程７００に出力する。【０１６８】
また、物理位置情報取得装置８０は、円周方向に複数のプリマークが存在するときは、２つ以上のプリマークの物理位置情報を検出して第４の製造工程７００に出力する。【０１６９】
第４の製造工程７００は、実施の形態１の第２の製造工程３００と同様の工程であり、実施の形態１では所定アドレス位置からレーザ光を照射して反射膜の反射率を変化させることによって媒体ＩＤを記録するが、本実施の形態では、第３の製造工程６００において取得された物理位置情報をさらに記録する点が異なる。なお、第４の製造工程７００では、実施の形態１の第２の製造工程３００と同様の光ディスク記録装置６が用いられるので、本実施の形態では詳細な説明を省略する。【０１７０】
図１２は、第３の製造工程６００で検出されて第４の製造工程７００に出力される、基準アドレス位置からプリマークまでの位置を表す物理位置情報のデータフォーマットを示す図である。物理位置情報９０は、媒体ＩＤ９１、プリマーク位置情報９２及び改竄防止符号９３によって構成される。【０１７１】
媒体ＩＤ９１は、実施の形態１の媒体ＩＤと同様であり、鍵管理機構から発行される光ディスク１枚毎に個別の識別情報である。【０１７２】
プリマーク位置情報９２は、光ディスク製造方法の第３の製造工程６００において、凹凸マークで記録されたアドレス情報を基準として、プリマークの開始位置までの再生クロックのクロック数と、凹凸マークのアドレス位置とを対応させたデータである。なお、円周方向に複数のプリマークが記録されている場合には、それぞれに対応した基準アドレスを含む。また、１つのアドレス位置からは、同じプリマークの所定半径位置乖離した少なくとも２つのプリマーク位置情報９２が検出される。すなわち、図１２のプリマーク位置情報９２は、基準アドレス１に対して、プリマーク開始位置１Ａ及びプリマーク開始位置１Ｂが対応付けられている。プリマーク開始位置１Ａは、基準アドレスと同じトラックで検出したプリマークの開始位置であり、プリマーク開始位置１Ｂは、基準アドレス１から数トラック外周側、あるいは内周側に移動して獲得したプリマークの開始位置である。【０１７３】
改竄防止符号９３は、例えばＭＡＣ（Ｍｅｓｓａｇｅ  Ａｕｔｈｅｎｔｉｃａｔｉｏｎ  Ｃｏｄｅ）で構成される。例えば、媒体ＩＤ９１及びプリマーク位置情報９２のハッシュ値が算出され、このハッシュ値がＭＡＣとして生成される。また、ハッシュ値の生成に用いる鍵情報は鍵管理機構から取得する。再生時には、同じように媒体ＩＤ９１とプリマーク位置情報９２とに基づいてハッシュ値を算出し、算出したハッシュ値と物理位置情報に含まれるハッシュ値（改竄防止符号９３）とを比較することによって、物理位置情報に改竄が無かったかを判定し、改竄がないと判断されたときのみ再生を継続するようにする。【０１７４】
以上のように、実施の形態２における光ディスク製造方法では、凹凸マークによってコンテンツデータが記録された光ディスクが成形された後、内周側のコントロール領域ＣＴＬに半径方向に直線的なプリマークが記録され、このプリマークの物理位置情報が凹凸マークで記録されたアドレス位置を基準に検出され、凹凸マークのトラック上にレーザが照射されることによって反射率の変化した追記マークが形成され、この追記マークで物理位置情報が記録される。【０１７５】
なお、実施の形態２における光ディスク製造方法で用いられるプリマーク記録装置、物理位置情報取得装置及び光ディスク記録装置は同一の装置として構成することが望ましいが、ここでは各機能の説明を簡潔に行うため別装置として説明した。【０１７６】
また、本実施の形態２の光ディスクは、半径方向に長いプリマークを記録しているとともに、このプリマークの物理位置情報を製造工程で測定し、測定した物理位置情報を追記マークとして記録している。前述のように、半径方向に長いプリマークを複製するためには、複製先及び複製元で、記録開始位置、回転数及び線速度を寸分狂わず制御することが必要となる。しかしながら、これらを一致させることは事実上不可能に近いので不正な複製を排除できる。また、そのプリマークの物理位置情報は、実施の形態１の媒体ＩＤと同様の方法で記録するので、実施の形態１に比べ、実施の形態２の光ディスクは、不正な複製に対する耐性が極めて高くなる。【０１７７】
（２−３）実施の形態２のプリマーク記録装置
図１３は、実施の形態２の光ディスク製造方法の第２の製造工程５００で使用するプリマーク記録装置の構成を示すブロック図である。【０１７８】
プリマーク記録装置７０は、スピンドルモータ１２、光学ヘッド１３、アナロク信号処理器１５、サーボ回路１４、ＰＬＬ回路３０、カウンタ３１、記録タイミング生成器３２、レーザ強度変調器２２及びシステムコントローラ２３を備える。【０１７９】
スピンドルモータ１２は、第１の製造工程２００において作成された物理位置情報が未記録の光ディスク４０がドライブに挿入されると、ＣＡＶ（Ｃｏｎｓｔａｎｔ  Ａｎｇｕｌａｒ  Ｖｅｌｏｃｉｔｙ）制御によって、光ディスク４０を回転させる。また、スピンドルモータ１２は、ディスク一回転に同期して複数回出力される回転同期信号ＦＳを生成してＰＬＬ回路３０に出力する。【０１８０】
光学ヘッド１３は、光ディスク４０にレーザ光を照射し、その反射光からチャネル信号ＣＳを生成して、アナログ信号処理器１５に出力する。【０１８１】
アナログ信号処理器１５は、光学ヘッド１３から入力されるチャネル信号ＣＳから、レーザ光を照射するフォーカス位置のズレを示すフォーカスエラー信号ＦＥを生成してサーボ回路１４に出力する。【０１８２】
サーボ回路１４は、アナログ信号処理器１５から入力されるフォーカスエラー信号ＦＥから、フォーカス位置を補正するためのフォーカス制御信号ＦＣを生成して、光学ヘッド１３に出力する。これにより、光学ヘッド１３は、フォーカス位置の補正をしながらレーザ光を照射する。【０１８３】
ＰＬＬ回路３０は、スピンドルモータ１２からのディスク一回転に同期した回転同期信号ＦＳに追従した回転同期クロックＣＡＶＣＫを生成して、カウンタ３１に出力する。なお、回転同期信号ＦＳは、一回転に１出力でも構わないが、複数回出力されることが望ましい。例えば、一回転で４回出力されるとすれば、ディスクの回転角４５度ごとに出力されるし、３６０回出力されれば、ディスクの回転角１度ごとに出力され、ＰＬＬ回路３０は、これらの回転同期信号ＦＳに追従した回転同期クロックＣＡＶＣＫを生成する。また、１回転に１回程度の回転同期信号ＦＳしか得られない場合には、回転同期信号ＦＳに同期した回転同期クロックＣＡＶＣＫを生成した後、逓倍回路を用いて、出力する回転同期クロックＣＡＶＣＫの周波数を上げることが望ましい。【０１８４】
カウンタ３１は、ＰＬＬ回路３０から出力された回転同期クロックＣＡＶＣＫをカウントする。すなわち、カウンタ３１は、ディスクの回転角をカウントしているに等しい。また、カウンタ３１は、ディスク一回転で初期化される。すなわち、回転同期信号ＦＳがディスク１回転で３６０回出力される場合、カウンタ３１は、３６０カウントごとに初期化される。このカウンタ３１のカウント値は、回転同期クロックカウント値ＣＡＶＣＮＴとして記録タイミング生成器３２に出力される。【０１８５】
記録タイミング生成器３２は、カウンタ３１からの回転同期クロックカウント値ＣＡＶＣＮＴに基づいて、記録レーザ光を照射するタイミングを生成する。例えば、記録タイミング生成器３２は、回転同期クロックカウント値ＣＡＶＣＮＴを９０で除算したときの余が０の時を検出してプリマーク記録タイミング信号ＰＭＷＧを生成する。よって、記録タイミング生成器３２は、ディスクの一回転に４回、且つ回転角１度の範囲で、プリマーク記録タイミング信号ＰＭＷＧを生成する。記録タイミング生成器３２によって生成されたプリマーク記録タイミング信号ＰＭＷＧは、レーザ強度変調器２２に出力される。【０１８６】
レーザ強度変調器２２は、記録タイミング生成器３２からのプリマーク記録タイミング信号ＰＭＷＧの出力タイミングで、レーザに流れる電流量を増大させて記録パワーのレーザ光を照射するためのプリマーク記録パルスＰＷＰを生成して光学ヘッド１３に出力する。なお、プリマーク記録タイミング信号ＰＭＷＧの出力されていない部分では、再生強度のレーザ光を照射するためのプリマーク記録パルスＰＷＰを出力する。【０１８７】
また、光学ヘッド１３は、ディスク一回転ごとに所定量だけ外周側にレーザスポット位置を移動させる。なお、所定量は、レーザ光が照射されることによって一回転で記録するプリマークの半径方向の長さ以下にする。これにより、光ディスクの半径方向に直線的、かつ連続的なプリマークが記録可能となる。【０１８８】
以上のように、プリマーク記録装置７０は、凹凸マークが転写された光ディスクの成形後、ＣＡＶ制御により光ディスクの回転を制御し、光ディスクの角度情報（ここでは、回転同期クロックカウント値ＣＡＶＣＮＴ）に基づいてレーザ光を照射する。これにより、半径方向に長いプリマークを記録することができる。【０１８９】
なお、プリマーク記録装置７０は、半導体レーザではなく、高出力のＹａＧレーザ等を用いても構わない。この場合には、レーザ光が照射された部分の反射膜が融解し、除去されることが知られている。【０１９０】
（２−４）実施の形態２の物理位置情報取得装置
図１４は、実施の形態２の光ディスク製造方法の第３の製造工程６００における物理位置情報取得装置の構成を示すブロック図である。【０１９１】
物理位置情報取得装置８０は、実施の形態２の第２の製造工程５００においてプリマークの記録された光ディスクに対して、プリマークの記録された半径位置の凹凸マークのアドレスを抽出し、抽出したアドレスを基準としてプリマークの開始点を物理位置情報として検出する。物理位置情報取得装置８０は、スピンドルモータ１２、光学ヘッド１３、サーボ回路１４、アナログ信号処理器１５、デジタル信号処理器１６、フォーマッタ１７、エラー訂正器２４（Ａ）Ｄ３３、スライサ３４、カウンタ３５、メモリ１１、媒体ＩＤ付与器３６、改竄防止符号付与器３７及びシステムコントローラ２３を備える。【０１９２】
スピンドルモータ１２は、プリマークが記録された光ディスク５０をローディングすると、光ディスク５０に応じた回転数で光ディスク５０を回転させて、光学ヘッド１３をプリマークの記録されている所定の半径位置に移動させる。【０１９３】
光学ヘッド１３は、スピンドルモータ１２が所定の回転数に達したとき、光ディスク５０に再生強度のレーザ光を照射し、その反射光からチャネル信号ＣＳを生成して、アナログ信号処理器１５に出力する。【０１９４】
アナログ信号処理器１５は、光学ヘッド１３から入力されるチャネル信号ＣＳから、凹凸マークのトラックに対してレーザスポットのトラッキング位置の誤差を示すトラッキングエラー信号ＴＥと、レーザスポットのフォーカス位置のズレを示すフォーカスエラー信号ＦＥとを生成して、サーボ回路１４に出力する。また、アナログ信号処理器１５は、光学ヘッド１３から入力されるチャネル信号ＣＳを増幅したり、波形等化したりして、凹凸マークに対応したアナログ再生信号ＡＳを生成して、デジタル信号処理器１６に出力する。【０１９５】
サーボ回路１４は、アナログ信号処理器１５から入力されるトラッキングエラー信号ＴＥから、レーザスポットのトラッキング位置を制御するトラッキング制御信号ＴＣを生成するとともに、フォーカスエラー信号ＦＥからフォーカス位置を制御するためのフォーカス制御信号ＦＣを生成して、光学ヘッド１３に出力する。光学ヘッド１３は、これらの制御信号に基づいてトラッキング位置及びフォーカス位置を制御してレーザ光を照射する。また、サーボ回路１４は、半径位置に対応した回転数と現在の回転数とを比較して、回転制御信号ＳＣを生成してスピンドルモータ１２に出力する。スピンドルモータ１２は、この回転制御信号ＳＣに基づいて回転数を制御して、光ディスク５０を回転させる。【０１９６】
デジタル信号処理器１６は、内部にＰＬＬ回路を有し、アナログ信号処理器１５から入力されるアナログ再生信号ＡＳに同期したクロック信号ＣＫを抽出する。また、デジタル信号処理器１６は、クロック信号ＣＫに同期して、アナログ信号処理器１５から入力されるアナログ再生信号ＡＳを量子化して、２値化したデジタル再生信号ＤＳを生成して、フォーマッタ１７に出力する。【０１９７】
フォーマッタ１７は、デジタル信号処理器１６から入力されるデジタル再生信号ＤＳから、一定周期で付与されている同期符号を検出して、同期符号の付与されたデータ群であるフレーム単位にフォーマットする。そして、フォーマッタ１７は、同期符号の同期パターンを判定してフレーム位置を判別し、フレーム位置に従って、複数フレームからなりアドレス情報ＡＤＲが付与されたアドレスユニット単位に分割する。また、フォーマッタ１７は、アドレス情報ＡＤＲに従って、エラー訂正を行う単位であるＰｈｙｓｉｃａｌ  Ｃｌｕｓｔｅｒ単位にフォーマットして、フォーマットデータＦＤを生成しエラー訂正器２４に出力する。また、フォーマッタ１７は、同期符号のタイミングを示すフレームパルスＦＰＬＳと、アドレスユニット単位に付与されているアドレス情報ＡＤＲとを抽出して、カウンタ３５に出力する。【０１９８】
エラー訂正器２４は、フォーマッタ１７から入力されるフォーマットデータＦＤからエラー訂正のためのパリティを分離して、データのエラー訂正を行うことによって凹凸マークで記録された再生データを出力する。【０１９９】
ＡＤ３３は、一般的なアナログ−デジタル変換器で構成され、アナログ信号処理器１５から入力されるアナログ再生信号ＡＳを、入力されるクロックに同期して量子化を行い、量子化された量子化再生信号ＲＤをスライサ３４に出力する。【０２００】
スライサ３４は、入力される量子化再生信号ＲＤを所定のスライスレベルでスライスして、２値化したプリマーク検出信号ＰＭＤＥＴを生成してカウンタ３５に出力する。なお、所定のスライスレベルは、物理位置情報取得装置８０におけるデジタル信号処理器１６が２値化するためのスライスレベルに比べて、高くあるいは低く設定される。これは、プリマークがレーザ光が照射されることによって反射率を上げて記録されているか、あるいは反射膜を除去する無反射マークとして記録されているかに応じて決定される。なお、所定スライスレベルは、固定値ではなく、数回プリマーク上を走査して、自動的に設定することが望ましい。【０２０１】
カウンタ３５は、デジタル信号処理器１６から入力されるクロック信号ＣＫをカウントするチャネルビットカウンタと、フレーム数をカウントするフレームカウンタから構成される。【０２０２】
チャネルビットカウンタは、デジタル信号処理器１６から入力されるクロック信号ＣＫに同期してクロック数をカウントするとともに、フォーマッタ１７から入力されるフレームの開始位置を示すフレームパルスＦＰＬＳで初期化される。【０２０３】
フレームカウンタは、フォーマッタ１７から入力されるフレームパルスＦＰＬＳをカウントし、フォーマッタ１７から入力されるアドレス情報ＡＤＲの更新されるタイミングで初期化される。【０２０４】
また、カウンタ３５は、スライサ３４からのプリマーク検出信号ＰＭＤＥＴのタイミングで、チャネルビットカウンタ及びフレームカウンタの双方の現在のカウント値と、フォーマッタ１７から入力されるアドレス情報ＡＤＲとに基づいてプリマーク位置情報ＰＯＳを生成してメモリ１１に出力する。【０２０５】
メモリ１１は、カウンタ３５から出力されるプリマーク位置情報ＰＯＳを一時記憶する。なお、光ディスクの円周方向に複数のプリマークが記録されている場合には、それぞれに対応したプリマーク位置情報ＰＯＳを計測して記憶する。【０２０６】
媒体ＩＤ付与器３６は、光ディスクのプリマークの検出の完了にともなって、メモリ１１に記憶されたプリマーク位置情報ＰＯＳに、外部から入力される媒体ＩＤを対応付ける。【０２０７】
改竄防止符号付与器３７は、外部から与えられる、あるいは内部に秘密に記憶している鍵を用いて、媒体ＩＤ及びプリマーク位置情報ＰＯＳのハッシュ値を算出して改竄防止符号（例えばＭＡＣ）を生成し、生成した改竄防止符号を媒体ＩＤ及びプリマーク位置情報ＰＯＳに付与して物理位置情報を生成する。この物理位置情報は、本実施の形態２の第４の製造工程７００に出力される。【０２０８】
なお、前述のように、プリマーク位置情報ＰＯＳは１つのプリマークに対して、同じアドレスから所定半径方向に乖離した２箇所で計測することが、不正な複製をより効果的に防止する。この場合、フォーマッタ１７は、基準アドレス位置と同じトラック上でプリマークの開始位置を検出した後、一旦、内周側に１トラックジャンプして、再度同じアドレス位置のトラックを再生し、再度基準アドレスのタイミングで、数トラック外周側あるいは内周側にトラック位置を移動させるためのトラックジャンプ信号ＴＪを生成して、サーボ回路１４に出力する。【０２０９】
サーボ回路１４は、トラックジャンプ信号ＴＪに基づいて、トラッキング位置を数トラック外周側あるいは内周側に移動させる。トラックジャンプが完了すれば、再生信号からプリマーク位置を判断することによって、１つのプリマークから、所定半径位置乖離した複数箇所でプリマーク位置を検出することができる。【０２１０】
なお、物理位置情報取得装置８０は、再生時のクロック信号ＣＫをカウントすることで基準アドレスからプリマーク開始位置までの物理位置情報を抽出する。従って、トラックジャンプによって再生時のクロック信号ＣＫが乱れれば正しい物理位置情報を検出することが不可能となる。したがって、フォーマッタ１７は、トラックジャンプ信号ＴＪをサーボ回路１４に出力するタイミングで、デジタル信号処理器１６のＰＬＬ回路によって生成されるクロック信号ＣＫの発振帯域を固定するためのＰＬＬホールド信号を生成して、デジタル信号処理器１６に出力する。デジタル信号処理器１６は、ＰＬＬホールド信号の出力区間ではＰＬＬ回路の発信帯域を固定することによって、トラックジャンプがあった場合にも安定したクロック信号ＣＫを供給することが可能となる。【０２１１】
図１５は、実施の形態２の光ディスクをＢｌｕ−ｒａｙディスクとした時の、物理位置情報取得装置８０の特徴的な動作を示すタイミングチャートである。【０２１２】
物理位置情報取得装置８０のデジタル信号処理器１６からフォーマッタ１７に出力されるデジタル再生信号ＤＳは、フォーマッタ１７によって、凹凸マークに対応した主情報のエラー訂正の単位であるＰｈｙｓｉｃａｌ  Ｃｌｕｓｔｅｒ単位にフォーマットされる。１Ｐｈｙｓｉｃａｌ  Ｃｌｕｓｔｅｒは、アドレスを有する１６のアドレスユニットから構成される。さらに、１アドレスユニットは、同期符号を伴う３１のフレームに分割できる。また、１フレームは、先頭に３０チャネルビットの同期符号を有する１９３２チャネルビットで構成されている。【０２１３】
また、物理位置情報取得装置８０のカウンタ３５は、デジタル信号処理器１６からのクロック信号ＣＫに同期したカウンタであり、クロック信号ＣＫをカウントするチャネルビットカウンタと、フォーマッタ１７からのフレーム先頭位置を示したフレームパルスをカウントするフレームカウンタとで構成される。【０２１４】
チャネルビットカウンタは、クロック信号ＣＫに同期してクロック数をカウントするとともに、フレームパルスＦＰＬＳのタイミングで初期化する。すなわち、１フレームで０〜１９３１までカウントするカウンタとして動作する。【０２１５】
フレームカウンタは、フレームパルスをカウントするカウンタで、１アドレスユニットで０〜１５までカウントする。なお、フレームカウンタは、フォーマッタ１７から入力されるアドレス情報ＡＤＲの更新タイミングで初期化される。【０２１６】
次に、プリマークの検出方法について説明する。物理位置情報取得装置８０は、光ディスクの凹凸マークに再生強度のレーザ光を照射し、その反射光からアナログ再生信号ＡＳを生成する。また、デジタル信号処理器１６では、このアナログ再生信号ＡＳから内部に持つＰＬＬ回路によって、アナログ再生信号ＡＳに同期したクロック信号ＣＫを抽出する。また、デジタル信号処理器１６では、このアナログ再生信号ＡＳをクロック信号ＣＫに同期して量子化し、スライスレベルＳＬ１でスライスすることによって２値化し、デジタル再生信号ＤＳを生成する。【０２１７】
光ディスクには、内周側のコントロール領域ＣＴＬに凹凸マークＭＫのトラックを横断する半径方向に直線的なプリマークＰＭが予め記録されている。なお、本実施の形態２では、レーザ光を照射して反射率を向上させることによりプリマークを形成する場合の動作について説明する。【０２１８】
凹凸マーク上をトラッキングして再生中、プリマークがあると、凹凸マークを再生しているときの反射光の最大レベルＨよりも反射率が高いため、アナログ再生信号ＡＳの変調度が向上する。【０２１９】
スライサ３４は、凹凸マークのアナログ再生信号ＡＳを２値化するためのスライスレベルＳＬ１より高く、且つ凹凸マークの反射光の最大レベルＨよりも高いレベルのプリマーク位置を検出するためのスライスレベルＳＬ２でスライスして、プリマーク検出信号ＰＭＤＥＴを生成し、カウンタ３５へ出力する。【０２２０】
カウンタ３５は、プリマーク検出信号ＰＭＤＥＴの立ち上がりを検出すると内部のチャネルビットカウンタ及びフレームカウンタのカウント動作を停止し、各カウント値（チャネルビットカウント値ＢＣＮＴ及びフレームカウント値ＦＣＭＴ）を保持する。【０２２１】
また、保持したフレームカウント値ＦＣＭＴ及びチャネルビットカウント値ＢＣＮＴは、アドレス情報ＡＤＲとともに、プリマーク位置情報ＰＯＳとしてメモリ１１に転送し、メモリ１１で保持する。【０２２２】
以上のように、物理位置情報取得装置８０は、再生信号のアドレスと、フレーム位置と、チャネルビット位置とにより、基準アドレスからプリマーク開始位置までのプリマーク位置情報を抽出できる。アナログ再生信号ＡＳを２値化するときのスライスレベルを凹凸マークとプリマークとでそれぞれ設定することによって、凹凸マークとプリマークとを区別して検出することができる。また、本実施の形態２では、レーザ光が照射されることによって反射率を上げたプリマークで説明したが、反射膜を除去して無反射状態にするプリマークの場合には、逆に、凹凸マークの反射光の最小レベルより低いレベルをプリマーク検出のためのスライス値ＳＬ２として設定する。【０２２３】
また、凹凸マークの反射光の最大レベルとプリマークの反射光の最大レベルに大きな差が認められない場合、凹凸マークの反射光の最小レベルとプリマークの反射光の最小レベルに大きな差が認められない場合、あるいはプリマーク部分の雑音が大きく、正常にスライスできない場合には、凹凸マークのスライスレベルＳＬ１をプリマーク検出のためのスライスレベルＳＬ２と設定しても良い。この場合、プリマーク検出信号の出力区間（＝プリマーク幅）が、凹凸マークの円周方向の最大幅より広いことを検出して、プリマークと凹凸マークとの区別を行うことができる。【０２２４】
次に、実施の形態２に係る光ディスク再生装置の構成について説明する。図１６は、実施の形態２に係る光ディスク再生装置の構成を示すブロック図である。図１６に示す光ディスク再生装置７１は、スピンドルモータ１２、光学ヘッド１３、サーボ回路１４、アナログ信号処理器１５、デジタル信号処理器１６、フォーマッタ１７、エラー訂正器２４、タイミング生成器１８、乱数発生器１９、ＰＥ変調器２１、ＬＰＦ２５、２値化器２６、相関積分器２７、メモリ１１、認証符号検証器２９、ＡＤ３３、スライサ３４、カウンタ３５及びシステムコントローラ２３を備える。【０２２５】
なお、実施の形態２に係る光ディスク再生装置７１は、図８に示す光ディスク再生装置７と、図１４に示す物理位置情報取得装置８０とを組み合わせた構成であり、各構成要素は、光ディスク再生装置７及び物理位置情報取得装置８０と同一であるので、説明を省略する。【０２２６】
なお、本実施の形態において、フォーマッタ１７、メモリ１１、認証符号検証器２９、ＡＤ３３、スライサ３４及びカウンタ３５が位置確認部の一例に相当し、システムコントローラ２３が比較部及び再生制限部の一例に相当する。【０２２７】
図１７及び図１８は、実施の形態２に係る光ディスク再生装置における不正ディスク判定処理を説明するためのフローチャートである。光ディスク再生装置７１では、電源がＯＮされ、光ディスクの挿入されていない状態から光ディスクが挿入された時点で、不正ディスク判定処理が開始される。なお、開始タイミングは、暗号化されたプログラムへのアクセス前、あるいは一定期間ごとに周期的に行っても良い。【０２２８】
まず、光ディスク２４１が光ディスク再生装置７１にローディングされる（ステップＳ１）。ローディング完了後、システムコントローラ２３は、トラック方向にレーザ光を照射して反射膜の反射率を変化させることによって形成される追記マークにより物理位置情報の記録されたアドレスＮの位置（例えば、ユーザエリア内）に光学ヘッド１３をシークさせる（ステップＳ２）。【０２２９】
シーク完了後、システムコントローラ２３は、光ディスクに記録されている副情報（物理位置情報）を再生する（ステップＳ３）。なお、この物理位置情報の再生手順は、実施の形態１の光ディスク再生装置７１の媒体ＩＤを再生する手順と同様であるので、ここでは説明を省略する。【０２３０】
次に、システムコントローラ２３は、エラー訂正器２４によって、再生した物理位置情報に付与しているエラー訂正のためのパリティに基づいて物理位置情報のエラー訂正を行い、エラー訂正が正常に行われたか否かを判断する（ステップＳ４）。この結果、エラー訂正が不可能であると判断された場合（ステップＳ４でＮＯ）、積分時間が短いとして、ステップＳ２の処理へ戻り、副情報の再生動作が継続される。【０２３１】
一方、エラー訂正が正常に行われたと判断された場合（ステップＳ４でＹＥＳ）、システムコントローラ２３は、メモリ１１に副情報（物理位置情報）を記憶する（ステップＳ５）。【０２３２】
システムコントローラ２３は、物理位置情報から新たに検証用の改竄防止符号（検証用ハッシュ値）を生成し、生成した検証用の改竄防止符号と、物理位置情報に付与されている改竄防止符号（再生ハッシュ値）とが整合するか否かを判断する。これにより、システムコントローラ２３は、物理位置情報が改竄されているか否かを判断する（ステップＳ６）。互いの改竄防止符号に整合がある場合、システムコントローラ２３は、物理位置情報に不正な改竄がないと判断して処理を継続する。一方、互いの改竄防止符号に整合が無い場合、システムコントローラ２３は、途中で物理位置情報が改竄されたか、不正メーカによって作成された光ディスクであると判断して、処理の中断動作に移行する。【０２３３】
改竄があると判断された場合（ステップＳ６でＹＥＳ）、ステップＳ１５以降の再生停止処理に移行する。一方、改竄がないと判断された場合（ステップＳ６でＮＯ）、システムコントローラ２３は、物理位置情報の中から、記録時に抽出したプリマーク位置情報を検出するための基準アドレスＭを取得する（ステップＳ７）。次に、システムコントローラ２３は、取得した基準アドレスＭに、光学ヘッド１３をシークさせる（ステップＳ８）。【０２３４】
光学ヘッド１３が基準アドレスＭに達したとき、プリマーク検出動作に移行する。なお、プリマーク検出動作は、本実施の形態２の物理位置情報取得装置８０の動作と同様であるので、ここでは説明を省略する。プリマーク位置情報を検出するプリマーク検出動作が完了すれば、前述の説明の通り、基準アドレスＭからのフレーム位置情報（フレームカウント値ＦＣＮＴ）及びチャネルビット位置情報（チャネルビットカウント値ＢＣＮＴ）が出力される（ステップＳ９）。【０２３５】
次に、システムコントローラ２３は、ステップＳ３において再生された副情報（物理位置情報）に含まれるフレームカウント値ＦＣＮＴと、プリマーク検出動作で取得したフレームカウント値ＦＣＮＴとを比較し、互いのフレームカウント値ＦＣＮＴに整合があるか否かを判断する（ステップＳ１０）。互いのフレームカウント値ＦＣＮＴに整合がないと判断された場合（ステップＳ１０でＮＯ）、ステップＳ１３以降のリトライ処理に移行する。【０２３６】
互いのフレームカウント値ＦＣＮＴに整合があると判断された場合（ステップＳ１０でＹＥＳ）、システムコントローラ２３は、ステップＳ３において再生された副情報（物理位置情報）に含まれるチャネルビットカウント値ＢＣＮＴと、プリマーク検出動作で取得したチャネルビットカウント値ＢＣＮＴを比較し、互いのチャネルビットカウント値ＢＣＮＴに整合があるか否かを判断する（ステップＳ１１）。互いのチャネルビットカウント値ＢＣＮＴに整合がないと判断された場合（ステップＳ１１でＮＯ）、ステップＳ１３以降のリトライ処理に移行する。整合があれば次の処理に進み、整合が無ければリトライ処理に移行する（ステップＳ１１）。【０２３７】
一方、互いのチャネルビットカウント値ＢＣＮＴに整合があると判断された場合（ステップＳ１１でＹＥＳ）、システムコントローラ２３は、全てのプリマークを検出したか否かを判断する（ステップＳ１２）。ここで、全てのプリマークを検出していないと判断された場合（ステップＳ１２でＮＯ）、ステップＳ８の処理へ戻り、システムコントローラ２３は、次のプリマークの位置情報を確認するための基準アドレスに光学ヘッド１３をシークさせる。全てのプリマークを検出したと判断された場合（ステップＳ１２でＹＥＳ）、システムコントローラ２３は、再生動作を許可して、不正ディスク判定処理を終了する。【０２３８】
次に、ステップＳ１３以降のリトライ処理について説明する。ステップＳ１０，Ｓ１１において互いのチャネルビットカウント値ＢＣＮＴ又は互いのフレームカウント値ＦＣＮＴに整合がないと判断された場合、システムコントローラ２３は、予め記憶されているリトライ回数をインクリメントする（ステップＳ１３）。【０２３９】
次に、システムコントローラ２３は、リトライ回数をインクリメントした結果、リトライ回数が予め設定されている許容範囲内であるか否かを判断する（ステップＳ１４）。リトライ回数が許容範囲内であると判断された場合（ステップＳ１４でＹＥＳ）、再度ステップＳ８の処理へ戻り、システムコントローラ２３は、基準アドレスＭに光学ヘッド１３をシークさせて、プリマーク検出動作を行う。一方、リトライ回数が許容範囲を超えたと判断された場合（ステップＳ１４でＮＯ）、ステップＳ１５以降の再生停止処理に移行する。【０２４０】
次に、ステップＳ１５以降の再生停止処理について説明する。再生停止処理は、リトライ回数の許容範囲を上回ったとき、あるいは改竄有無判定で改竄が有ると判定されたときに、光ディスクを不正なディスクとして排除する処理である。まず、システムコントローラ２３は、現在の再生動作を停止させる（ステップＳ１５）。このとき、光ディスクの送出以外の全てのコマンドを受け付けないようにすることが望ましい。【０２４１】
再生動作を停止したとき、システムコントローラ２３は、エラー情報を生成して、出力する。このエラー情報は、再生動作が停止に陥った原因を含むことが望ましい（ステップＳ１６）。なお、エラー情報は、モニタなどの表示部に出力されて表示され、ユーザに通知される。【０２４２】
以上のように、光ディスク再生装置による不正ディスク判定処理によって、追記マークで記録した物理位置情報に改竄などがあった場合、不正ディスクとして判定され、再生動作を停止することができる。また、物理位置情報に含まれる記録時のプリマークの位置情報と、光ディスク再生装置で検出したプリマークの位置情報とが一致しなければ、不正にコピーされた光ディスクとして再生を停止できる。よって、不正に物理位置情報を改竄して記録した光ディスクや、正規の光ディスクを複製した光ディスクに対して再生の停止が可能となり、光ディスクに記録された著作物の権利を守ることができる。【０２４３】
また、光ディスク再生装置７１の構成は、前述の実施の形態２の光ディスク製造方法における第３の製造工程６００の物理位置情報取得装置８０の構成と、実施の形態１の光ディスク再生装置７の構成とを併せ持つ構成として実現される。すなわち、実施の形態２における光ディスク再生装置は、物理位置情報取得装置８０におけるプリマークの物理位置情報の検出機能と、実施の形態１の光ディスク再生装置７の副情報の再生機能を併せ持つことによって実現できる。但し、本実施の形態２の光ディスク再生装置には、前述の不正ディスク判定処理を実現するためのプログラムが格納されている。【０２４４】
また、前述の不正ディスク判定処理では、説明の簡略化のため同じ基準アドレスで、半径方向に所定距離乖離した２点で、プリマークの位置情報を検出する説明を省いたが、１つの基準アドレスから半径方向に向かって２点の位置情報を検出して、プリマークの直線性を判断してもよい。具体的には、一旦、基準アドレスの記録された同じトラック上でプリマーク位置を検出して、トラックを内側に一本移動して、もう一度同じアドレス位置にシークする。再度、ターゲットアドレス位置に到達した時点で、トラック位置を内側あるいは外側に数トラック移行してプリマークの位置を確認する。不正にコピーされてプリマークが半径方向に直線的でない場合であったとしても、基準アドレスに基づいてプリマークの有無を判断した後、半径方向に数トラックジャンプし、再度プリマークの有無を判断することによって、プリマークが直線状でない、あるいは物理位置情報の整合性がないと判断し、光ディスクの再生が停止される。【０２４５】
また、本実施の形態２の不正ディスク判定処理では、全てのプリマークの位置情報を確認しているが、本発明は特にこれに限定されず、再生起動時間の短縮のために、記録されているプリマークのうち、部分的に確認しても良い。例えば、放射状に形成された８本のプリマークのうち、４本のプリマークの位置情報のみを確認してもよい。【０２４６】
（実施の形態３）
（３−１）実施の形態３の光ディスク
図１９は、実施の形態３に係る光ディスクの構成を示す概念図である。実施の形態３の光ディスク１５０は、コンテンツデータの記録されたユーザ領域１５１と、光ディスク１５０の識別情報が記録された副情報記録領域１５２とで構成される。【０２４７】
ユーザ領域１５１には、予めコンテンツデータが凹凸マークで記録されており、副情報記録領域１５２には、凹凸マークあるいはウォブル案内溝は記録されていない。また、光ディスク１５０の反射膜は、レーザ光が照射されることによって反射率が変化する記録膜で構成される。【０２４８】
光ディスク１５０の識別情報の記録された副情報記録領域１５２には、特別な同期符号は含まれておらず、ユーザ領域１５１の基準となるアドレスを有するアドレスユニット１５３の先頭位置の角度位置と同じ角度位置から識別情報が記録されている。【０２４９】
光ディスクの角度位置情報は、光ディスク記録装置あるいは光ディスク再生装置のスピンドルモータから出力される回転同期信号に基づいて決定される。光ディスク記録装置あるいは光ディスク再生装置は、ディスク１回転に同期した回転同期信号のＰＬＬ制御によって、一回転に同期したクロック信号を生成する。このクロックをカウントした値（ＦＧ  Ｃｏｕｎｔｅｒ）によって光ディスクの角度位置を算出する。【０２５０】
図１９の例では、ディスク一回転について３６０カウントする例を示している。すなわち、ディスクの回転角１°ごとに１周期のクロックが生成され、これに同期したカウンタは、クロックごとに１カウントして、角度情報を抽出している。また、本例では、カウント値が“３００”の時にアドレス値Ｍの基準となるアドレスユニットが開始している。よって、光ディスク記録装置は、アドレス値Ｍを持ったアドレスユニットの先頭位置を予め再生して、回転同期のカウント値を抽出した後、副情報記録領域に対応した半径位置に光学ヘッドを移動し、回転同期のカウント値“３００”から、識別情報を１ビットずつ回転同期信号のクロックに同期して記録する。【０２５１】
以上より、本実施の形態３における光ディスク１５０は、ユーザ領域１５１に凹凸マークによってコンテンツデータが予め記録された後、ユーザ領域１５１における基準アドレス位置の角度が抽出され、副情報記録領域１５２における抽出された角度から光ディスクの識別情報が追加記録される。【０２５２】
なお、識別情報は、媒体固有情報の記録に使用できる。凹凸マークが予め転写された光ディスクに識別情報を記録することができるため、スタンパなどで凹凸マークを転写して作成する再生専用光ディスクであっても光ディスク１枚ごとに固有の情報を追加記録することが可能となる。【０２５３】
また、本実施の形態３では、一回転で３６０カウントする、すなわち光ディスクが１°回転するごとに１カウントする例を説明したがこれに限られない。基準となるアドレス位置を、確実に判別することが可能な分解能であれば、どのような分解能であっても構わない。例えば、Ｂｌｕ−ｒａｙディスクの場合、半径位置２３ｍｍ付近では、一回転辺り３２のアドレスユニットが記録される。従って、この場合、３２のアドレス位置を確実に判別することのできる一回転あたり６４カウント（５．６°ごとに１カウント）程度以上の分解能でよい。【０２５４】
（３−２）実施の形態３の光ディスク記録装置
次に、実施の形態３の光ディスク記録装置について説明する。図２０は、実施の形態３に係る光ディスク記録装置の構成を示すブロック図である。図２０に示す光ディスク記録装置２５０は、スピンドルモータ１２、光学ヘッド１３、サーボ回路１４、アナログ信号処理器１５、デジタル信号処理器１６、フォーマッタ１７、ＰＬＬ回路３８、角度計測器３９、乱数発生器１９、ＥＯＲ４０、メモリ１１、レーザ強度変調器２２及びシステムコントローラ２３を備える。【０２５５】
スピンドルモータ１２は、光ディスク記録装置２５０に光ディスクがローディングされると、光ディスクを回転させる。光学ヘッド１３は、光ディスクに再生強度のレーザ光を照射して、その反射光からチャネル信号ＣＳを生成して、アナログ信号処理器１５に出力する。【０２５６】
アナログ信号処理器１５は、光学ヘッド１３から入力されるチャネル信号ＣＳから、光学ヘッド１３のレーザ光が照射される位置のフォーカス位置のズレを示すフォーカスエラー信号ＦＥと、凹凸マークのトラック位置とレーザ光が照射されると位置との半径方向のズレを示すトラッキングエラー信号ＴＥとを生成して、サーボ回路１４に出力する。また、アナログ信号処理器１５は、光学ヘッド１３から入力されるチャネル信号ＣＳから凹凸マークに対応した信号成分を抽出して、増幅したり波形等化したりしてアナログ再生信号ＡＳを生成して、デジタル信号処理器１６に出力する。【０２５７】
サーボ回路１４は、アナログ信号処理器１５から入力されるフォーカスエラー信号ＦＥから、フォーカス位置のズレを補正するためのフォーカス制御信号ＦＣを生成するとともに、トラッキングエラー信号ＴＥからトラッキング位置のズレを補正するためのトラッキング制御信号ＴＣを生成して光学ヘッド１３に出力する。また、サーボ回路１４は、チャネル信号ＣＳに基づいて、再生している半径位置における線速度を算出して、再生信号から回転速度を求め、最適な回転数と成るように回転制御信号ＳＣを生成してスピンドルモータ１２に出力する。【０２５８】
なお、光ディスク記録装置２５０は、光ディスクがローディングされると、まず、予めシステムコントローラ２３に設定されている基準アドレス位置にシークし、一回転ごとに内周側に１本トラックを移動することで、基準アドレス位置のトラック位置を保持し、基準アドレス位置の半径位置に対応する回転数を保持する。【０２５９】
デジタル信号処理器１６は、内部に持つＰＬＬ回路によって、アナログ信号処理器１５から入力されるアナログ再生信号ＡＳに同期したクロック信号ＣＫを抽出して、クロック信号ＣＫに同期して、入力されるアナログ再生信号ＡＳを量子化し、２値化したデジタル再生信号ＤＳを生成してフォーマッタ１７に出力する。【０２６０】
フォーマッタ１７は、デジタル信号処理器１６から入力されるデジタル再生信号ＤＳから一定間隔ごとに付与されている同期符号を検出して、検出タイミングでフレーム単位に再構成し、同期符号の同期パターンによって、アドレス情報を含むアドレスユニット単位にフレームを分割して、アドレスユニット単位に付与されているアドレス情報ＡＤＲを抽出して、角度計測器３９に出力する。【０２６１】
ＰＬＬ回路３８は、一般的なＰＬＬ回路で構成され、スピンドルモータ１２から入力される回転同期信号ＦＳと内部で発生したクロック信号ＣＫとの位相誤差を算出して、位相誤差が“０”になるように、内部で発生させたクロック信号ＣＫの周波数を変更する。従って、ＰＬＬ回路３８では、光ディスクの回転に同期したクロック信号ＣＫを生成することができ、このクロック信号ＣＫを角度計測器３９、乱数発生器１９及びメモリ１１に出力する。【０２６２】
角度計測器３９は、ＰＬＬ回路３８からのクロック信号ＣＫをカウントし、光ディスクの角度位置を測定する。角度計測器３９は、ＰＬＬ回路３８からのクロック信号ＣＫをカウントして、フォーマッタ１７からのアドレス情報ＡＤＲが、予めシステムコントローラ２３に設定された基準アドレス情報である場合には、基準アドレス情報を持ったアドレスユニットの先頭位置のタイミングでのカウント値を記憶する。すなわち、角度計測器３９は、基準アドレス位置の角度位置を抽出して保持する。【０２６３】
角度計測器３９によって、基準アドレス位置の角度位置が測定されれば、システムコントローラ２３は、角速度の一定となるＣＡＶ制御によってスピンドルモータ１２を制御し、ディスク内周の副情報記録領域に対応した半径位置に光学ヘッド１３を移動させる。【０２６４】
副情報記録領域に光学ヘッド１３が移動された後、ＰＬＬ回路３８は、前記と同様に、スピンドルモータ１２からの回転同期信号ＦＳに同期したクロック信号ＣＫを生成して、角度計測器３９に出力する。【０２６５】
角度計測器３９は、ＰＬＬ回路３８から入力されるクロック信号ＣＫをカウントするとともに、記憶している基準アドレスの角度位置を示すカウント値を角度位置情報ＡＮＧとして生成して、乱数発生器１９及びメモリ１１に出力する。【０２６６】
メモリ１１は、予め入力された副情報（媒体固有情報）ＳＤを記憶しており、角度計測器３９からの角度位置情報ＡＮＧに従って、副情報ＳＤを１ビットずつ、入力されるクロック信号ＣＫに同期して、ＥＯＲ４０に出力する。なお、メモリ１１は、角度位置情報ＡＮＧの“０”の位置、すなわち基準アドレスの角度位置から、副情報のビット順に１ビットずつ出力する。【０２６７】
乱数発生器１９は、メモリ１１と同様に、角度計測器３９から入力される角度位置情報ＡＮＧの先頭位置で初期化して、クロック信号ＣＫに同期して１ビットずつ擬似乱数系列ＲＮを生成してＥＯＲ４０に出力する。なお、乱数発生器１９は、シフトレジスタによって構成される一般的なＭ系列生成器であり、ＰＬＬ回路３８から入力されるクロック信号ＣＫに同期して内部のシフトレジスタをシフトして、１ビットずつ擬似乱数系列ＲＮを生成する。【０２６８】
ＥＯＲ４０は、一般的な排他的論理和ゲートであり、メモリ１１からの副情報ＳＤと、乱数発生器１９からの擬似乱数系列ＲＮの排他的論理和を算出して、記録データＷＤを生成して、レーザ強度変調器２２に出力する。【０２６９】
レーザ強度変調器２２は、ＥＯＲ４０から入力される記録データＷＤに従って、記録レーザを照射するタイミングや強度を示す記録パルスＷＰを生成して光学ヘッド１３に出力する。【０２７０】
光学ヘッド１３は、レーザ強度変調器２２から入力される記録パルスＷＰに従って、レーザに流す電流値を制御して、レーザ光を照射することによって、光ディスクの副情報記録領域に追記マークを形成し、副情報（媒体識別情報）を記録する。【０２７１】
以上により、光ディスク記録装置２５０は、回転同期信号ＦＳから生成したクロック信号ＣＫに基づいて、予め凹凸マークで記録された基準アドレスの角度位置をカウンタによって算出した後、光学ヘッド１３を副情報記録領域に移動させ、基準アドレスの角度位置情報と同じ角度位置から、副情報を回転同期信号ＦＳに同期したクロック信号ＣＫに同期して記録する。これによって、スタンパによって転写することによって作成された光ディスクであっても、媒体固有情報などを記録することができる。【０２７２】
また、本実施の形態３の光ディスク記録装置２５０は、凹凸マークによって記録されたアドレスの角度位置を元に擬似乱数系列ＲＮを発生させて、擬似乱数系列ＲＮでスクランブルした副情報を記録している。よって、光ディスクが不正に複製された場合、基準アドレスの角度位置と、副情報を記録した開始位置の角度位置とに誤差が生じ、正しいタイミングで擬似乱数系列ＲＮを発生することができないので、このような不正ディスクの再生動作を停止することができる。【０２７３】
なお、本実施の形態において、ＰＬＬ回路３８がクロック生成部の一例に相当し、角度計測器３９が基準角度抽出部の一例に相当し、光学ヘッド１３、乱数発生器１９、ＥＯＲ４０、メモリ１１及びレーザ強度変調器２２が副情報記録部の一例に相当する。【０２７４】
図２１は、実施の形態３の光ディスク記録装置の特徴的な動作を示すタイミングチャートである。まず、光ディスク記録装置２５０に光ディスクがローディングされると、スピンドルモータ１２によって光ディスクが回転し、基準となるアドレス（Ｍ）の位置に光学ヘッド１３が移動する。【０２７５】
また、スピンドルモータ１２から出力した回転同期信号ＦＳに基づいて、ＰＬＬ回路３８によって回転同期信号ＦＳに同期したクロック信号ＣＫが生成される。【０２７６】
光学ヘッド１３は、光ディスクに再生強度のレーザ光を照射し、その反射光からチャネル信号ＣＳを抽出して、アナログ信号処理器１５に出力する。アナログ信号処理器１５は、チャネル信号ＣＳに基づいてアナログ再生信号ＡＳを生成して、デジタル信号処理器１６に出力する。デジタル信号処理器１６は、アナログ再生信号ＡＳを量子化して、２値化したデジタル再生信号ＤＳを生成する。フォーマッタ１７は、デジタル再生信号ＤＳから、一定間隔ごとに付与された同期符号を検出して、フレーム単位にフォーマットし、フレームを、同期信号の同期パターンに基づいてアドレス情報ＡＤＲを持つアドレスユニットに分割する。【０２７７】
角度計測器３９は、ＰＬＬ回路３８から入力されるクロック信号ＣＫに同期したカウンタであり、フォーマッタ１７から入力されるアドレス情報ＡＤＲが、予めシステムコントローラ２３に設定されている基準アドレスである場合には、そのアドレスの示すアドレスユニットの先頭位置に対応した、クロックのカウント値を抽出して記憶する。本例では、基準アドレスは“Ｍ”であり、基準アドレスのアドレスユニットの先頭位置に対応したカウント値は“３００”である。【０２７８】
基準アドレス位置のカウント値（角度位置）の計測が完了した後、ＣＡＶ制御によりスピンドルモータ１２の回転を制御し、光ディスク内周の副情報記録領域に対応した半径位置に光学ヘッド１３を移動させる。光学ヘッド１３が副情報記録領域に到達した後も同様に、角度計測器３９は、回転同期信号ＦＳに同期したクロック信号ＣＫをカウントする。【０２７９】
メモリ１１は、カウント値が、角度計測器３９に記憶している基準アドレスのカウント値となる位置から、クロック信号ＣＫに同期して、内部に予め記憶した副情報を１ビットずつ出力する。すなわち、メモリ１１は、基準アドレスの角度位置と同じ角度位置から、１ビットずつ副情報を出力する。【０２８０】
乱数発生器１９も同様に、基準アドレスの角度位置と同じ角度位置から、１ビットずつ擬似乱数系列ＲＮを出力する。ＥＯＲ４０は、メモリ１１からの副情報ＳＤと、乱数発生器１９からの擬似乱数系列ＲＮとの排他的論理和を算出することによって、副情報ＳＤをスクランブルした記録データＷＤを生成する。【０２８１】
レーザ強度変調器２２は、ＥＯＲ４０から入力される記録データＷＤに従って、記録レーザを照射するタイミングや、記録パワーを示した記録パルスＷＰを生成する。光学ヘッド１３は、記録パルスＷＰを基に光ディスクにレーザ光を照射し、ディスク表面に反射率の変化した追記マークＳＭＫを形成することで、副情報を追記する。【０２８２】
以上のように、光ディスク記録装置２５０を用いれば、凹凸マークを転写した再生型光ディスクであっても、光ディスクを作成後、凹凸マークの基準アドレスの角度位置と同じ角度位置を開始点として、副情報記録領域に光ディスク１枚ごとに固有の媒体固有情報を記録することができる。【０２８３】
複製元光ディスクと複製先光ディスクとの記録開始点のずれや、線速度や回転速度のずれによって、基準アドレス位置と媒体固有情報を記録する開始点とにずれが生じる。ずれが生じれば、媒体固有情報を再生する開始点がずれ、正しい情報を再生することはできない。よって、不正に複製された光ディスクの再生を禁止することができる。【０２８４】
（３−３）実施の形態３の光ディスク再生装置
次に、実施の形態３の光ディスク再生装置について説明する。図２２は、実施の形態３の光ディスク再生装置３５０の構成を示すブロック図である。図２２に示す光ディスク再生装置３５０は、スピンドルモータ１２、光学ヘッド１３、サーボ回路１４、アナログ信号処理器１５、デジタル信号処理器１６、フォーマッタ１７、ＰＬＬ回路３８、角度計測器３９、乱数発生器１９、ＡＤ４１、２値化器４２、ＥＯＲ４３、メモリ１１及びシステムコントローラ２３を備える。【０２８５】
スピンドルモータ１２は、光ディスク再生装置３５０に光ディスクがローディングされると、光ディスクを回転させる。光学ヘッド１３は、光ディスクに再生レーザを照射して、その反射光からチャネル信号ＣＳを生成して、アナログ信号処理器１５に出力する。【０２８６】
アナログ信号処理器１５は、光学ヘッド１３から入力されるチャネル信号ＣＳから、レーザ光のフォーカス位置のズレを示すフォーカスエラー信号ＦＥと、凹凸マークのトラック位置に対してレーザ光の半径位置のズレを示すトラッキングエラー信号ＴＥとを生成して、サーボ回路１４に出力する。また、アナログ信号処理器１５は、チャネル信号ＣＳの凹凸マークに対応した信号成分を抽出して、増幅したり波形等化したりしてアナログ再生信号ＡＳを生成してデジタル信号処理器１６に出力する。【０２８７】
サーボ回路１４は、アナログ信号処理器１５から入力されるフォーカスエラー信号ＦＥに基づいて、フォーカス位置のズレを補正するためのフォーカス制御信号ＦＣを生成し、トラッキングエラー信号ＴＥに基づいて、トラッキング位置を補正するためのトラッキング制御信号ＴＣを生成して、光学ヘッド１３に出力する。また、サーボ回路１４は、チャネル信号ＣＳに基づいて、再生している半径位置における線速度を算出して、現在の線速度とのずれを判定して、回転数を補正するための回転制御信号ＳＣを生成してスピンドルモータ１２に出力する。【０２８８】
デジタル信号処理器１６は、内部に持つＰＬＬ回路によって、アナログ信号処理器１５から入力されるアナログ再生信号ＡＳに同期したクロック信号ＣＫを抽出して、クロック信号ＣＫに同期して、入力されるアナログ再生信号ＡＳを量子化し、２値化したデジタル再生信号ＤＳを生成してフォーマッタ１７に出力する。【０２８９】
フォーマッタ１７は、デジタル信号処理器１６から入力されるデジタル再生信号ＤＳに一定間隔ごとに付与された同期符号を検出してフレーム単位にフォーマットして、同期符号の同期パターンによって、アドレス情報を含むアドレスユニット単位にフレームを分割して、アドレスユニット単位に付与されているアドレス情報ＡＤＲを抽出して、角度計測器３９に出力する。【０２９０】
ＰＬＬ回路３８は、一般的なＰＬＬ回路で構成され、スピンドルモータ１２からの回転同期信号ＦＳと内部で発生するクロック信号ＣＫとの位相誤差を算出して、位相誤差が“０”になるように、クロック信号ＣＫの周波数を制御する。したがって、ＰＬＬ回路３８は、回転同期信号ＦＳに同期したクロック信号ＣＫを生成して、ＡＤ４１、角度計測器３９及び乱数発生器１９に出力する。【０２９１】
角度計測器３９は、ＰＬＬ回路３８から入力されるクロック信号ＣＫをカウントするカウンタで構成され、システムコントローラ２３に予め設定された基準アドレスと、フォーマッタ１７から入力されるアドレス情報ＡＤＲとが等しいときに、基準アドレスのアドレスユニットの先頭位置における、カウンタのカウント値を抽出して記憶する。すなわち、カウンタは、回転同期信号ＦＳに同期したクロック信号ＣＫをカウントしているため、光ディスクの角度位置を計測していることとなる。基準アドレスの示すアドレスユニットの先頭位置におけるカウント値は、基準アドレスの示すアドレスユニットの先頭位置の角度位置を抽出していることとなる。【０２９２】
角度計測器３９によって、基準アドレスの角度位置が抽出された後、システムコントローラ２３は、角速度が一定となるＣＡＶ制御によってスピンドルモータ１２を制御し、ディスク内周の副情報記録領域に対応した半径位置に光学ヘッド１３を移動させる。【０２９３】
副情報記録領域に光学ヘッド１３が移動された後、ＰＬＬ回路３８は、前記と同様に、スピンドルモータ１２からの回転同期信号ＦＳに同期したクロック信号ＣＫを生成して、角度計測器３９に出力する。角度計測器３９は、ＰＬＬ回路３８から入力されるクロック信号ＣＫをカウントして、そのカウント値を角度位置情報ＡＮＧとして乱数発生器１９に出力する。【０２９４】
乱数発生器１９は、角度計測器３９に記憶された基準アドレスでのカウント値と、現在のカウント値とが同じである場合、すなわち、基準アドレス位置の角度位置と、現在の角度位置とが同じである場合に、その位置を開始点として、クロック信号ＣＫに同期して、擬似乱数系列ＲＮを１ビットずつ生成してＥＯＲ４３に出力する。【０２９５】
ＡＤ４１は、一般的なアナログ−デジタル変換器で構成され、ＰＬＬ回路３８からのクロック信号ＣＫに同期して、アナログ信号処理器１５からのアナログ再生信号ＡＳをサンプリングして量子化し、量子化再生信号ＤＡＳを生成して、２値化器４２に出力する。【０２９６】
２値化器４２は、ＡＤ４１から入力される量子化再生信号ＤＡＳを２値化して２値化再生信号ＢＳを生成してＥＯＲ４３に出力する。光ディスク再生装置３５０は、副情報記録領域の再生時において追記マークへのトラッキング制御を行わないので、副情報記録領域の再生信号は、追記マークの存在しない反射光と、追記マークを横断あるいは走査する反射光とに切り分けることができる。２値化器４２は、この２つの反射光の違いを２値化して出力する。よって、低域通過フィルタを用いて量子化再生信号ＤＡＳを所定帯域で平均化した後、２値化すれば、より効率的に２値化することができる。【０２９７】
ＥＯＲ４３は、一般的な、排他的論理和ゲートで構成され、２値化器４２からの２値化再生信号ＢＳと、乱数発生器１９からの擬似乱数系列ＲＮとの排他的論理和を算出する。乱数発生器１９は、実施の形態３の光ディスク記録装置２５０と同様の構成であるので、記録時に擬似乱数系列ＲＮによってスクランブルされた副情報ＳＤは、ＥＯＲ４３によりデスクランブルされることになる。よって、ＥＯＲ４３は、デスクランブルした副情報ＳＤを生成してメモリ１１に出力する。メモリ１１は、デスクランブルされた副情報ＳＤを１ビットずつ記憶する。【０２９８】
以上のように、光ディスク再生装置３５０は、基準となるアドレスの示すアドレスユニットの先頭位置の角度位置を予め抽出し、抽出した角度位置を記録開始点として、光ディスクの副情報記録領域から副情報を再生する。不正に複製された光ディスクは、記録開始点のずれや、線速度や回転数のずれによって基準アドレス位置と副情報の記録開始点とがずれる。よって、正しい開始点で副情報を再生することが不可能となり、不正に複製された光ディスクから正しい副情報を再生することはできない。【０２９９】
なお、光ディスク再生装置３５０は、正しい副情報が再生されていないと判断したときは、再生動作を停止させる。正しい副情報であるかの判定方法は、記録時に副情報をエラー訂正符号化して記録しておき、副情報の再生後にエラー訂正を行い、訂正不能やエラーが検出されたときには、正しい副情報が再生できていないとして再生動作を停止する。また、副情報の記録時にＭＡＣなどの改竄防止符号を付与して、再生時において検出した副情報からＭＡＣを算出して、算出したＭＡＣと副情報に付与されているＭＡＣとの整合を確認して、整合が無いときは、正しい副情報が記録されていないとして、再生動作を停止する。【０３００】
なお、本実施の形態において、ＰＬＬ回路３８がクロック生成部の一例に相当し、角度計測器３９が基準角度抽出部の一例に相当し、乱数発生器１９、ＡＤ４１、２値化器４２、ＥＯＲ４３及びメモリ１１が副情報再生部の一例に相当する。【０３０１】
図２３は、実施の形態３の光ディスク再生装置の特徴的な動作を示したタイミングチャートである。ＰＬＬ回路３８は、スピンドルモータ１２の回転同期信号ＦＳに同期したクロック信号ＣＫを生成する。【０３０２】
また、光学ヘッド１３は、光ディスクに再生レーザを照射して、その反射光からチャネル信号ＣＳを生成し、アナログ信号処理器１５に出力する。アナログ信号処理器１５は、チャネル信号ＣＳに基づいてアナログ再生信号ＡＳを生成して、デジタル信号処理器１６に出力する。デジタル信号処理器１６のＰＬＬ回路は、アナログ再生信号ＡＳに同期したクロック信号ＣＫを抽出するとともに、アナログ再生信号ＡＳを量子化して、２値化したデジタル再生信号ＤＳを生成する。【０３０３】
フォーマッタ１７は、デジタル信号処理器１６から入力されるデジタル再生信号ＤＳから、一定間隔ごとに付与された同期符号を検出して、フレーム単位にフォーマットし、フレームを、同期符号の同期パターンに基づいて、アドレス情報ＡＤＲを含むアドレスユニットに分割する。【０３０４】
角度計測器３９は、ＰＬＬ回路３８からの光ディスクの回転に同期したクロック信号ＣＫをカウントして、光ディスクの回転位置（角度位置）を計測する。また、予めシステムコントローラに設定された基準アドレスの示すアドレスユニットの先頭位置におけるカウント値、すなわち基準アドレスの角度位置を算出して記憶する。本例では、基準アドレスが“Ｍ”であり、基準アドレスの角度位置が“３００”である。【０３０５】
基準アドレスの角度位置の計測が完了した後、角速度が一定となるＣＡＶ制御によりスピンドルモータ１２の回転を制御し、光ディスク内周の副情報記録領域に対応した半径位置に光学ヘッド１３を移動させる。【０３０６】
副情報記録領域では、追記マークＳＭＫへのトラッキング制御は行わないで、光ディスクに再生強度のレーザ光を照射し、その反射光からアナログ再生信号ＡＳが生成される。また、アナログ再生信号ＡＳは、２値化器４２で２値化され、追記マークＳＭＫの存在しない領域と追記マークＳＭＫの存在する領域とに分離される。【０３０７】
また、副情報記録領域の再生においても同様に、ＰＬＬ回路３８は、光ディスクの回転に同期したクロック信号ＣＫを生成し、角度計測器３９は、クロック信号ＣＫをカウントして、光ディスクの角度位置を算出する。【０３０８】
乱数発生器１９は、角度計測器３９のカウント値を基に、基準アドレスの角度位置と同等の角度位置から、クロック信号ＣＫに同期して擬似乱数系列ＲＮを１ビットずつ生成する。ＥＯＲ４３は、乱数発生器１９で発生した擬似乱数系列ＲＮによって、再生される２値化再生信号ＢＳのデスクランブルを行って副情報ＳＤを再生する。【０３０９】
以上のように、光ディスク再生装置３５０は、基準アドレス位置の示すアドレスユニットの先頭位置の角度位置を予め抽出し、抽出した角度位置を開始点として、光ディスクの副情報記録領域から副情報を再生する。不正に複製された光ディスクは、記録開始位置のずれや、線速度や回転数のずれによって基準アドレス位置と副情報の記録開始位置がずれる。よって、正しい開始点で副情報を再生することが不可能となり、不正に複製されたディスクから正しい副情報を再生することはできない。【０３１０】
なお、光ディスク再生装置３５０は、正しい副情報が再生されていないと判断したときは、再生動作を停止させる。正しい副情報であるかの判定方法は、記録時に副情報をエラー訂正符号化して記録しておき、副情報の再生後にエラー訂正を行い、訂正不能やエラーが検出されたときには、正しい副情報が再生できていないとして再生動作を停止する。また、副情報の記録時にＭＡＣなどの改竄防止符号を付与して、再生時において検出した副情報からＭＡＣを算出して、算出したＭＡＣと副情報に付与されているＭＡＣとの整合を確認して、整合が無いときは、正しい副情報が記録されていないとして、再生動作を停止する。【０３１１】
本実施の形態の光ディスク、光ディスク記録装置及び光ディスク再生装置によれば、副情報の記録は、転写された凹凸マークで示されるアドレスのうち基準アドレスの角度位置を再生して、基準アドレスの角度位置を開始点として、副情報記録領域に副情報が記録される。【０３１２】
また、副情報の再生も同様に、転写された凹凸マークで示される記録時と同様の基準アドレスの角度位置を算出して、基準アドレスの角度位置を開始点として、副情報記録領域から副情報を再生することができる。【０３１３】
すなわち、副情報の再生動作によって、凹凸マークの基準アドレスの角度位置が、記録時と再生時とで整合しているか否かが判定される。通常、光ディスクが不正に複製されれば、記録位置のずれや、線速度や回転数の誤差によって、基準アドレスの角度位置と副情報記録位置の角度位置とがずれる。これらの関係がずれれば、副情報を再生する正しいタイミングが生成できないので副情報の再生が不可能となる。これによって、不正な光ディスクの再生を禁止することができる。【０３１４】
また、実施の形態３における光ディスクは、副情報記録領域に副情報を記録する際、角度計測器３９のカウンタ値に基づいて、追記マークＳＭＫを記録しない追記マーク未記録領域を設定してもよい。このようにすれば、副情報記録領域内の一部に扇形の領域として、追記マークＳＭＫも、凹凸マークＭＫも記録されない、いわゆるミラー領域が形成される。また、このミラー領域は、トラッキングを行うトラッキングサーボの追従帯域より広く設けることが望ましい。このようにすれば、例え追記マークＳＭＫにトラッキング制御を行って、追記マークＳＭＫを複製しようとしても、追記マーク未記録領域でトラッキング制御が不可能となって追記マークＳＭＫを複製することが不可能となる。【０３１５】
また、本実施の形態３では、角度位置を抽出するための基準アドレスを予めシステムコントローラ２３に設定される固定値として説明したが、これに限らない。例えば、記録時には任意のアドレスを選択しておいて、実施の形態１で説明した媒体ＩＤの変わりに、選択したアドレスを基準アドレスとして記録する。これにより、光ディスク１枚ごとに異なるアドレス位置を基準として副情報が記録されるため、光ディスクの不正な解析を防止することができる。この場合、アドレスは、改竄防止符号を付与したり、暗号化したりして記録することが望ましい。これによって、正式な暗号鍵を持たない海賊版メーカでは、アドレス情報の記録が実質不可能となる。【０３１６】
また、副情報記録領域の再生には、追記マークへＳＭＫのトラッキング制御が行われないので、副情報は、光ディスクの半径方向に複数トラックの範囲で記録することが望ましい。【０３１７】
また、追記マークＳＭＫへのトラッキングを行って副情報を読み出しても、もちろん構わない。この場合は、そもそも追記マーク未記録領域を設けないか、追記マーク未記録領域内ではトラッキング制御を行わないようにして追記マークＳＭＫの再生を行う。また、追記マーク未記録領域も、実施の形態１の媒体ＩＤのように、凹凸マークＭＫのトラック上の反射膜にレーザ光を照射し、反射率を変化させて記録しても構わない。この場合には、媒体ごとに固有の追記マーク未記録領域を設定することができる。【０３１８】
また、実施の形態３では、角度計測器３９によって一回転に３６０のカウントを行う形態で説明した。これは、光ディスク一回転を円周方向に３６０分割したブロックで、ブロック内に追記マークが存在するか否かを判定して副情報を抽出している。よって、このブロックの任意ブロックに追記マークＳＭＫや、反射膜を除去した傷ブロックを形成して、どのブロックに追記マークＳＭＫあるいは傷ブロックが存在するかを、例えば実施の形態１の媒体ＩＤとして記録しても良い。【０３１９】
また、実施の形態３では、副情報記録領域の一回転で副情報を再生する形態で説明したが、これに限られない。通常、トラッキング制御なしに追記マークＳＭＫを再生すると、一部の領域では追記マーク間のミラー領域を再生してしまう可能性があるので、このときは正しい副情報の再生は行えない。従って、一回転に半径方向の内周側、あるいは外周側に移動させながら、一回転のタイミングに同期して、再生された２値化再生信号ＢＳを積算して抽出すれば、安定した副情報の再生が可能となる。【０３２０】
また、副情報記録領域を、半径位置に従って複数の領域に分割して、それぞれに異なる基準アドレスを設定したり、異なる乱数系列を設定したりすれば、セキュリティ強度を高めることができる。【０３２１】
また、同様に半径位置に従った複数領域にそれぞれ異なる情報を記録すれば、副情報の記録容量を向上させることが可能となる。【０３２２】
また、実施の形態３では、副情報記録領域には凹凸マークＭＫが形成されていない形態で説明したが、これに限られない。凹凸マークＭＫ上に追記マークＳＭＫを記録しても、凹凸マークＭＫの記録帯域は、追記マーク帯域より十分高いので、これらを簡単に分離できるので、安定して追記マークＳＭＫの再生を行うことが可能である。【０３２３】
（４）その他の実施の形態
ここで、実施の形態１及び実施の形態２で説明を省いたが、追記マークの他の記録形態について説明する。実施の形態１では追記マークにより媒体ＩＤが記録され、実施の形態２では追記マークにより物理位置情報が記録される。図２４は、その他の実施の形態の追記マークの記録形態を示す概念図である。【０３２４】
実施の形態１及び２において、追記マークの形状及び形成位置は、種々の変更が可能である。図２４（Ａ）は、トラック間に間欠的に形成された追記マークを示す図であり、図２４（Ｂ）は、凹凸マーク状に蛇行して形成された追記マークを示す図であり、図２４（Ｃ）は、円周方向の間隔が短く、かつ間欠的に形成された追記マークを示す図であり、図２４（Ｄ）は、凹凸マークの半径方向の長さよりも長く、かつ連続的に形成された追記マークを示す図であり、図２４（Ｅ）は、凹凸マークの半径方向の長さよりも長く、かつ間欠的に形成された追記マークを示す図である。【０３２５】
図２４（Ａ）において、追記マークＳＭＫは、凹凸マークＭＫのトラック間に、凹凸マークの円周方向の最長マークより低い帯域で、かつ間欠的に形成されている。実施の形態１では、凹凸マークの円周方向の最長マークより低い帯域で１つの追記マークＳＭＫを記録する例を説明したが、間欠的な追記マークにすれば、より一層凹凸マークＭＫの再生精度への影響を低減することが可能となる。また、トラック間は、凹凸マークＭＫのトラック間の中心とは限らない。凹凸マークＭＫのトラック間にトラッキングするとき、トラック位置を予めオフセットさせておくことによって、トラック間の中心位置から外れた位置に追記マークＭＫが形成される。よって、再生時には、凹凸マークＭＫのトラックにトラッキングして追記マークＳＭＫを検出するので、追記マークＳＭＫの検出精度を向上することができる。【０３２６】
図２４（Ｂ）において、追記マークＳＭＫは、凹凸マークＭＫ上に蛇行して形成されている。実施の形態１では、追記マークＳＭＫを円周方向に直線状に形成しているが、本発明は特にこれに限定されず、追記マークＳＭＫを円周方向に蛇行して形成してもよい。【０３２７】
図２４（Ｃ）において、追記マークＳＭＫは、半径方向に太さが不均一になるように形成されている。このような追記マークＳＭＫは、追記マークＳＭＫを記録するときにレーザ強度を上げたり下げたりして、複数の記録パルス（マルチパルス）で記録して、１つ１つのマルチパルス幅を狭くする、すなわち記録強度のレーザ光が照射される時間を短くすることによって形成される。間欠的ではあるものの、円周方向の追記マークＳＭＫの間隔が接近しているため、追記マークＳＭＫが繋がっている。【０３２８】
図２４（Ｄ）において、追記マークＳＭＫは、凹凸マークＭＫよりも半径方向の長さが長く形成されている。追記マークＳＭＫの特性によっては、記録時に凹凸マークＭＫよりも半径方向に太い追記マークＳＭＫを形成しても、再生時に凹凸マークＭＫの変調度の方が高くなるケースが知られている。よって、このようなときは凹凸マークＭＫよりも半径方向に太い追記マークＳＭＫを形成してもよい。【０３２９】
図２４（Ｅ）において、追記マークＳＭＫは、図２４（Ｄ）と同様に凹凸マークよりも半径方向の長さが長く、かつ間欠的に形成されている。この場合、間欠的に追記マークＳＭＫが形成されているので、凹凸マークＭＫの再生精度への影響を低減することが可能となる。【０３３０】
図２４（Ａ）〜（Ｅ）に示すどのような形態も、本発明の範囲であり、各実施の形態で説明した効果と同様の効果を得るものである。また、本発明は、このような形状には限定されない。凹凸マークを記録して、ディスクを成形後、ディスクの反射率を変化させて追記マークを記録する発明は、全て本発明の範囲である。【０３３１】
また、実施の形態１では追記マークによって媒体ＩＤを記録し、実施の形態２では追記マークによって物理位置情報を記録しているが、本発明はこれに限られない。例えば、ユーザ領域に記録された暗号化コンテンツを復号化するための鍵情報などの復号化に関する情報や、光ディスクが正当であることを示した証明書データ、コンテンツの移動又は複製の許可されている回数、時間及び期間に関する情報、不正ディスクであることを示す情報など、記録されるデジタル著作物に関する情報であればどのような情報でも記録することができる。【０３３２】
なお、上述した具体的実施形態には以下の構成を有する発明が主に含まれている。【０３３３】
本発明の一局面に係る光ディスクは、変調された主情報に従って、チャネルビット長の整数倍に同期した凹凸マークを形成した後、前記凹凸マーク上に反射膜を形成した光ディスクであって、前記光ディスクが成形された後、前記凹凸マークの円周方向に形成された螺旋状のトラックに従って、前記凹凸マークの最長マークよりも長い間隔で、かつ前記チャネルビット長の整数倍に同期した連続的又は間欠的なレーザ光が照射されることによって、前記反射膜の光学的特性を変化させて追記マークが形成され、前記主情報を再生するのに必要な副情報が重畳記録される。【０３３４】
この構成によれば、光ディスクの凹凸マーク上に反射膜が形成された後、凹凸マークの円周方向に形成された螺旋状のトラックに従って、凹凸マークの最長マークよりも長い間隔で、かつチャネルビット長の整数倍に同期した連続的又は間欠的なレーザ光が照射される。これによって、反射膜の光学的特性を変化させて追記マークが形成され、主情報を再生するのに必要な副情報が重畳記録される。【０３３５】
したがって、主情報の読み取り精度を悪化させることなく、主情報を再生するのに必要な副情報を記録することができ、光ディスクの不正な複製を防止することができる。【０３３６】
また、上記の光ディスクにおいて、前記追記マークの半径方向の幅は、前記凹凸マークの半径方向の幅に比べて狭いことが好ましい。この構成によれば、追記マークの半径方向の幅は、凹凸マークの半径方向の幅に比べて狭いので、再生時において、追記マークを形成することによる反射光レベルの変動を凹凸マークの変調度より小さくすることができ、凹凸マークの再生精度の悪化を軽減することができる。【０３３７】
また、上記の光ディスクにおいて、前記追記マークは、前記凹凸マークの円周方向に形成された螺旋状のトラック上に形成されていることが好ましい。この構成によれば、凹凸マークの円周方向に形成された螺旋状のトラック上に追記マークを形成することができる。【０３３８】
また、上記の光ディスクにおいて、前記追記マークは、前記凹凸マークの円周方向に形成された螺旋状のトラック間に形成されていることが好ましい。この構成によれば、凹凸マークの円周方向に形成された螺旋状のトラック間に追記マークを形成することができる。また、半径方向に隣接するトラック間に追記マークが形成されるので、凹凸マークの再生精度に影響を与えることなく追記マークを形成することができる。また、凹凸マークのトラック間の反射率を変化させて追記マークか形成されるので、主情報である凹凸マークの再生に何ら影響を与えることがない上、凹凸マークのトラックピッチは追記マークの有無に関係なく同じトラックピッチで形成されるためディスク容量が削減されることはない。【０３３９】
また、上記の光ディスクにおいて、前記追記マークは、前記凹凸マークを有する第１のトラックと前記第１のトラックに隣接する第２のトラックとの中間位置に形成されていることが好ましい。この構成によれば、凹凸マークを有する第１のトラックと第１のトラックに隣接する第２のトラックとの中間位置に追記マークが形成されるので、凹凸マークの再生精度に影響を与えることなく追記マークを形成することができる。なお、中間位置には、第１のトラックと第２のトラックとの中央部分だけでなく、第１のトラックと第２のトラックとの略中央部分も含まれる。【０３４０】
また、上記の光ディスクにおいて、前記追記マークは、前記凹凸マークを有する第１のトラックと前記第１のトラックに隣接する第２のトラックとの中間位置より、前記第１のトラック側に形成されていることが好ましい。この構成によれば、凹凸マークを有する第１のトラックと第１のトラックに隣接する第２のトラックとの中間位置より、第１のトラック側に追記マークを形成することができる。【０３４１】
また、上記の光ディスクにおいて、前記副情報の１ビットは、複数の追記マークを伴って記録されていることが好ましい。この構成によれば、複数の追記マークを伴って、１ビットの副情報を記録することができる。【０３４２】
また、上記の光ディスクにおいて、前記副情報の１ビットは、間欠的に形成された前記追記マークの集合として記録されていることが好ましい。この構成によれば、副情報の１ビットは、間欠的に形成された追記マークの集合として、１ビットの副情報を記録することができる。【０３４３】
また、上記の光ディスクにおいて、前記追記マークの円周方向の長さは、前記凹凸マークの円周方向の最短マーク長以下であることが好ましい。この構成によれば、追記マークの円周方向の長さは、凹凸マークの円周方向の最短マーク長以下であるので、凹凸マークの再生精度を悪化させることなく、追記マークを形成することができる。【０３４４】
また、上記の光ディスクにおいて、前記追記マークの円周方向の長さは、前記チャネルビット長以下であることが好ましい。この構成によれば、追記マークの円周方向の長さは、チャネルビット長以下であるので、凹凸マークの再生精度を悪化させることなく、追記マークを形成することができる。【０３４５】
また、上記の光ディスクにおいて、前記追記マークを形成することによって生じる反射光レベルの変動である追記マークの変調度は、前記凹凸マークの反射光レベルと前記凹凸マーク以外の前記反射膜の反射光レベルとの差である凹凸マークの変調度より小さいことが好ましい。【０３４６】
この構成によれば、追記マークを形成することによって生じる反射光レベルの変動である追記マークの変調度は、凹凸マークの反射光レベルと凹凸マーク以外の反射膜の反射光レベルとの差である凹凸マークの変調度より小さいので、追記マークによる影響を抑えつつ、凹凸マークを再生することができる。【０３４７】
また、上記の光ディスクにおいて、前記追記マークの変調度は、前記凹凸マークの変調度の１／２より平均的に小さいことが好ましい。この構成によれば、追記マークの変調度は、凹凸マークの変調度の１／２より平均的に小さいので、凹凸マークの再生信号のエッジ位置を誤って再生することがなくなり、凹凸マークの再生精度に影響を与えることなく、追記マークを形成することができる。【０３４８】
また、上記の光ディスクにおいて、前記追記マークは、前記レーザ光が照射された部分の前記反射膜の反射率を高くすることにより形成されることが好ましい。この構成によれば、追記マークは、レーザ光が照射された部分の反射膜の反射率を高くすることにより形成される。通常、再生専用の光ディスクの金属膜はレーザ光が照射されることによって反射率が下がってしまうので、レーザ光が照射された部分の反射膜の反射率を高くする光ディスクでなければ副情報を記録することができず、光ディスクの不正な複製を防止することができる。【０３４９】
また、上記の光ディスクにおいて、前記副情報は、擬似乱数系列によって周波数拡散されて記録されていることが好ましい。この構成によれば、副情報は、擬似乱数系列によって周波数拡散されて記録されているので、反射率の変動を周波数的に解析しようとしても雑音成分と区別することが困難となり、副情報を解析して不正に光ディスクを複製することを防止することができる。【０３５０】
また、上記の光ディスクにおいて、前記副情報は、ＰＥ変調が施されて記録されていることが好ましい。この構成によれば、副情報は、ＰＥ変調が施されて記録されているので、反射率を変化させる部分と変化させない部分との出現確率が略等しくなり、再生時のトラッキング信号や再生信号に直流成分が付与されてしまうことを回避することができる。【０３５１】
また、上記の光ディスクにおいて、前記追記マークは、前記凹凸マーク上の前記トラックに直交する方向に形成され、前記副情報は、前記追記マークが形成された領域の前記光ディスクにおける物理的な位置を表す物理位置情報を含むことが好ましい。【０３５２】
この構成によれば、追記マークは、凹凸マーク上のトラックに直交する方向に形成され、副情報には、追記マークが形成された領域の光ディスクにおける物理的な位置を表す物理位置情報が含まれる。したがって、再生時において、凹凸マーク上のトラックに直交する方向に形成された追記マークの物理的な位置を検出し、予め記録されている物理位置情報と比較することにより、不正に複製された光ディスクであるか否かを判断することができ、不正に複製された光ディスクの再生を禁止することができる。【０３５３】
本発明の他の局面に係る光ディスク製造方法は、変調された主情報に従って、チャネルビット長の整数倍に同期した凹凸マークを形成した光ディスク原盤を作成するマスタリングステップと、前記光ディスク原盤の凹凸マークを、光ディスク基板に転写するスタンプステップと、前記光ディスク基板上に反射膜を形成するスパッタリングステップと、前記スパッタリングステップにおいて前記光ディスクの凹凸マーク上に反射膜が形成された後、前記凹凸マークの円周方向に形成された螺旋状のトラックに従って、前記凹凸マークの最長マークより長い間隔で、かつ前記チャネルビット長の整数倍に同期した連続的又は間欠的なレーザ光が照射されることによって、前記反射膜の光学的特性を変化させて追記マークを形成し、前記主情報を再生するのに必要な副情報を重畳記録する副情報記録ステップとを含む。【０３５４】
この構成によれば、マスタリングステップにおいて、変調された主情報に従って、チャネルビット長の整数倍に同期した凹凸マークを形成した光ディスク原盤が作成される。そして、スタンプステップにおいて、光ディスク原盤の凹凸マークが、光ディスク基板に転写され、スパッタリングステップにおいて、光ディスク基板上に反射膜が形成される。スパッタリングステップにおいて光ディスクの凹凸マーク上に反射膜が形成された後、副情報記録ステップにおいて、凹凸マークの円周方向に形成された螺旋状のトラックに従って、凹凸マークの最長マークより長い間隔で、かつチャネルビット長の整数倍に同期した連続的又は間欠的なレーザ光が照射されることによって、反射膜の光学的特性を変化させて追記マークが形成され、主情報を再生するのに必要な副情報が重畳記録される。【０３５５】
したがって、主情報の読み取り精度を悪化させることなく、主情報を再生するのに必要な副情報を記録することができ、光ディスクの不正な複製を防止することができる。【０３５６】
本発明の他の局面に係る光ディスク記録装置は、予め主情報が凹凸マークによって記録された光ディスクに、前記主情報を再生するのに必要な副情報を重畳記録する光ディスク記録装置であって、前記凹凸マークの円周方向に形成された螺旋状のトラックに従ってレーザ光が照射される位置を制御するトラッキング部と、前記凹凸マークに再生レーザ光を照射した反射光から再生信号を抽出する再生信号抽出部と、前記凹凸マークのチャネルビット長に同期したチャネルクロックを抽出するクロック抽出部と、前記チャネルクロックの整数倍で、かつ前記再生信号の帯域よりも低い帯域に同期した記録レーザ光を照射し、前記光ディスクの記録面に形成された反射膜の光学的特性を変化させて追記マークを形成し、前記光ディスクに前記副情報を重畳記録する副情報記録部とを備える。【０３５７】
この構成によれば、トラッキング部によって、予め主情報が記録された凹凸マークの円周方向に形成された螺旋状のトラックに従ってレーザ光が照射される位置が制御される。そして、再生信号抽出部によって、凹凸マークに再生レーザ光を照射した反射光から再生信号が抽出され、クロック抽出部によって、凹凸マークのチャネルビット長に同期したチャネルクロックが抽出される。続いて、副情報記録部によって、チャネルクロックの整数倍で、かつ再生信号の帯域よりも低い帯域に同期した記録レーザ光が照射され、光ディスクの記録面に形成された反射膜の光学的特性を変化させて追記マークが形成され、光ディスクに主情報を再生するのに必要な副情報が重畳記録される。【０３５８】
したがって、主情報の読み取り精度を悪化させることなく、主情報を再生するのに必要な副情報を記録することができ、光ディスクの不正な複製を防止することができる。【０３５９】
本発明の他の局面に係る光ディスク再生装置は、光ディスクの凹凸マークから主情報を再生するとともに、レーザ光が照射されることによって前記光ディスクの反射膜の光学的特性を変化させて形成された追記マークから前記主情報を再生するのに必要な副情報を再生する光ディスク再生装置であって、前記凹凸マークの円周方向に形成された螺旋状のトラックに従って前記レーザ光が照射される位置を制御するトラッキング部と、前記凹凸マークに再生レーザを照射した反射光から再生信号を抽出する再生信号抽出部と、前記再生信号からチャネルビット長に同期したチャネルクロックを抽出するクロック抽出部と、前記再生信号から凹凸マークに対応した凹凸マーク再生信号と、前記追記マークに対応した追記マーク再生信号とを分離する分離部と、前記チャネルクロックの整数倍で、かつ前記凹凸マーク再生信号の帯域よりも低い帯域に同期した前記追記マーク再生信号から前記副情報を再生する副情報再生部とを備える。【０３６０】
この構成によれば、トラッキング部によって、予め主情報が記録された凹凸マークの円周方向に形成された螺旋状のトラックに従ってレーザ光が照射される位置が制御される。そして、再生信号抽出部によって、凹凸マークに再生レーザを照射した反射光から再生信号が抽出され、クロック抽出部によって、再生信号からチャネルビット長に同期したチャネルクロックが抽出される。続いて、分離部によって、再生信号から凹凸マークに対応した凹凸マーク再生信号と、追記マークに対応した追記マーク再生信号とが分離され、副情報再生部によって、チャネルクロックの整数倍で、かつ凹凸マーク再生信号の帯域よりも低い帯域に同期した追記マーク再生信号から、主情報を再生するのに必要な副情報が再生される。【０３６１】
したがって、主情報の読み取り精度を悪化させることなく、主情報を再生するのに必要な副情報を再生することができ、光ディスクの不正な複製を防止することができる。【０３６２】
また、上記の光ディスク再生装置において、前記再生信号から所定間隔で付与されている同期符号を検出する同期符号検出部をさらに備え、前記副情報再生部は、前記同期符号検出部による前記同期符号の検出タイミングに同期して前記副情報を再生することが好ましい。【０３６３】
この構成によれば、同期符号検出部によって、再生信号から所定間隔で付与されている同期符号が検出され、副情報再生部によって、同期符号検出部による同期符号の検出タイミングに同期して副情報が再生される。したがって、再生信号には所定間隔で同期符号が予め付与されており、この同期符号の検出タイミングに同期して副情報が再生されるので、容易に副情報を再生することができる。【０３６４】
また、上記の光ディスク再生装置において、前記副情報再生部は、相関系列を生成する相関系列生成部と、前記相関系列生成部によって生成された前記相関系列と、前記追記マーク再生信号との相関値を検出する相関検出部と、前記相関検出部によって検出された前記相関値に基づいて前記副情報を再生する再生部とを含むことが好ましい。【０３６５】
この構成によれば、相関系列生成部によって、相関系列が生成され、相関検出部によって、相関系列生成部により生成された相関系列と、追記マーク再生信号との相関値が検出され、再生部によって、相関検出部により検出された相関値に基づいて副情報が再生されるので、生成された相関系列と追記マーク再生信号との相関値に基づいて副情報を再生することができる。【０３６６】
また、上記の光ディスク再生装置において、前記再生信号から所定間隔で付与されている同期符号を検出する同期符号検出部をさらに備え、前記相関系列生成部は、前記同期符号検出部によって検出された前記同期符号の検出タイミングに同期して前記相関系列を生成することが好ましい。【０３６７】
この構成によれば、同期符号検出部によって、再生信号から所定間隔で付与されている同期符号が検出され、相関系列生成部によって、同期符号検出部により検出された同期符号の検出タイミングに同期して相関系列が生成される。したがって、再生信号には所定間隔で同期符号が予め付与されており、この同期符号の検出タイミングに同期して相関系列が生成されるので、同期符号の検出タイミングに同期して生成された相関系列と追記マーク再生信号との相関値に基づいて副情報を再生することができる。【０３６８】
また、上記の光ディスク再生装置において、前記分離部は、前記再生信号から、前記凹凸マークに対応した帯域より低い帯域の信号成分を前記追記マーク再生信号として抽出する帯域制限フィルタを含むことが好ましい。【０３６９】
この構成によれば、帯域制限フィルタによって、再生信号から、凹凸マークに対応した帯域より低い帯域の信号成分が追記マーク再生信号として抽出される。したがって、帯域制限フィルタによって、凹凸マーク再生信号と追記マーク再生信号とを分離することが可能となり、互いの再生精度を確保することができる。【０３７０】
また、上記の光ディスク再生装置において、前記追記マークは、前記凹凸マーク上の前記トラックに直交する方向に形成され、前記副情報は、前記追記マークが形成された領域の前記光ディスクにおける物理的な位置を表す物理位置情報を含み、前記トラックに直交して形成された前記追記マークの前記凹凸マーク位置を基準とした物理位置情報を確認する位置確認部と、前記副情報再生部によって再生された前記副情報に含まれる前記物理位置情報と、前記位置確認部によって確認された前記物理位置情報とを比較する比較部と、前記比較部による比較の結果、前記物理位置情報が一致しない場合、前記主情報の再生を制限する再生制限部とをさらに備えることが好ましい。【０３７１】
この構成によれば、追記マークは、凹凸マーク上のトラックに直交する方向に形成され、副情報は、追記マークが形成された領域の光ディスクにおける物理的な位置を表す物理位置情報を含む。そして、位置確認部によって、トラックに直交して形成された追記マークの凹凸マーク位置を基準とした物理位置情報が確認され、比較部によって、副情報再生部により再生された副情報に含まれる物理位置情報と、位置確認部によって確認された物理位置情報とが比較される。その後、再生制限部によって、比較部による比較の結果、物理位置情報が一致しない場合、主情報の再生が制限される。【０３７２】
したがって、不正に複製された光ディスクの場合、記録時の物理位置情報と、再生時の物理位置情報とには相関がなく、これらの物理位置情報は一致しないので、主情報の再生が制限され、不正に複製された光ディスクから情報を再生することを防止することができる。【０３７３】
本発明の他の局面に係る光ディスクは、凹凸マークにより主情報が記録されている主情報記録領域と、前記凹凸マークの形成後にレーザ光が照射されることによって形成される追記マークにより前記主情報を再生するのに必要な副情報が記録されている副情報記録領域とを含む光ディスクであって、前記副情報記録領域は、前記主情報記録領域における基準位置の角度位置に基づいた記録開始点から、前記レーザ光が照射されることによって反射膜の反射率を変えるように追記マークが形成され、前記副情報が重畳記録される。【０３７４】
この構成によれば、光ディスクは、凹凸マークにより主情報が記録されている主情報記録領域と、凹凸マークの形成後にレーザ光が照射されることによって形成される追記マークにより主情報を再生するのに必要な副情報が記録されている副情報記録領域とが含まれる。そして、副情報記録領域は、主情報記録領域における基準位置の角度位置に基づいた記録開始点から、レーザ光が照射されることによって反射膜の反射率を変えるように追記マークが形成され、副情報が重畳記録される。【０３７５】
したがって、不正に複製された光ディスクは、記録開始点のずれや、線速度や回転数のずれによって基準位置と副情報の記録開始点とがずれるため、正しい記録開始点で副情報を再生することが不可能となり、不正に複製された光ディスクから正しい副情報を再生することはできず、不正に複製された光ディスクから主情報を再生することを防止することができる。【０３７６】
また、上記の光ディスクにおいて、前記副情報記録領域は、前記副情報記録領域における所定角度範囲で、前記追記マークを形成しない追記マーク未記録領域を含むことが好ましい。この構成によれば、副情報記録領域には、追記マークを形成しない追記マーク未記録領域が所定角度範囲で含まれるので、追記マークにトラッキング制御を行って、追記マークを複製しようとしても、追記マーク未記録領域でトラッキング制御が不可能となり、追記マークを複製することが不可能となり、光ディスクの不正な複製を防止することができる。【０３７７】
また、上記の光ディスクにおいて、前記基準位置を特定する情報は、前記凹凸マークの円周方向の螺旋状のトラック上にレーザ光が照射されることによって反射膜の反射率を変えて記録されていることが好ましい。【０３７８】
この構成によれば、基準位置を特定する情報は、凹凸マークの円周方向の螺旋状のトラック上にレーザ光が照射されることによって反射膜の反射率を変えて記録されているので、例えば、記録時において、任意の基準位置を選択し、選択した基準位置を反射膜の反射率を変えて記録する。これにより、光ディスク１枚ごとに異なる基準位置が記録されるため、光ディスクの不正な解析を防止することができる。【０３７９】
本発明の他の局面に係る光ディスク記録装置は、凹凸マークにより主情報が記録されている主情報記録領域と、前記凹凸マークの形成後にレーザ光が照射されることによって形成される追記マークにより前記主情報を再生するのに必要な副情報が記録されている副情報記録領域とを含む光ディスクに前記主情報及び前記副情報を記録する光ディスク記録装置であって、前記光ディスクの回転に同期したクロック信号を生成するクロック生成部と、前記主情報記録領域における基準位置の角度位置を抽出する基準角度抽出部と、前記基準角度抽出部によって抽出された前記角度位置に基づいて特定される前記副情報記録領域における記録開始点から、前記クロック生成部によって生成された前記クロック信号に同期したレーザ光が照射されることによって前記副情報を重畳記録する副情報記録部とを備える。【０３８０】
この構成によれば、光ディスクには、凹凸マークにより主情報が記録されている主情報記録領域と、凹凸マークの形成後にレーザ光が照射されることによって形成される追記マークにより主情報を再生するのに必要な副情報が記録されている副情報記録領域とが含まれている。そして、クロック生成部によって、光ディスクの回転に同期したクロック信号が生成され、基準角度抽出部によって、主情報記録領域における基準位置の角度位置が抽出される。続いて、副情報記録部によって、基準角度抽出部により抽出された角度位置に基づいて特定される副情報記録領域における記録開始点から、クロック生成部により生成されたクロック信号に同期したレーザ光が照射され、副情報が重畳記録される。【０３８１】
したがって、不正に複製された光ディスクは、記録開始点のずれや、線速度や回転数のずれによって基準位置と副情報の記録開始点とがずれるため、正しい記録開始点で副情報を再生することが不可能となり、不正に複製された光ディスクから正しい副情報を再生することはできず、不正に複製された光ディスクから主情報を再生することを防止することができる。【０３８２】
また、上記の光ディスク記録装置において、前記基準位置は、前記凹凸マークで記録されるアドレスにより特定されることが好ましい。この構成によれば、主情報記録領域における基準位置を凹凸マークで記録されるアドレスにより特定することができる。【０３８３】
また、上記の光ディスク記録装置において、前記クロック信号の周期は、前記アドレスの記録されている周期より短いことが好ましい。この構成によれば、クロック信号の周期は、アドレスの記録されている周期より短いので、アドレス周期内に１つ以上の追記マークを記録することができる。【０３８４】
本発明の他の局面に係る光ディスク再生装置は、凹凸マークにより主情報が記録されている主情報記録領域と、前記凹凸マークの形成後にレーザ光が照射されることによって形成される追記マークにより前記主情報を再生するのに必要な副情報が記録されている副情報記録領域とを含む光ディスクから前記主情報及び前記副情報を再生する光ディスク再生装置であって、前記光ディスクの回転に同期したクロック信号を生成するクロック生成部と、前記主情報記録領域における基準位置の角度位置を抽出する基準角度抽出部と、前記基準角度抽出部によって抽出された前記角度位置に基づいて特定される前記副情報記録領域における再生開始点から、前記クロック生成部によって生成された前記クロック信号に同期して前記副情報を再生する副情報再生部とを備える。【０３８５】
この構成によれば、光ディスクには、凹凸マークにより主情報が記録されている主情報記録領域と、凹凸マークの形成後にレーザ光が照射されることによって形成される追記マークにより主情報を再生するのに必要な副情報が記録されている副情報記録領域とが含まれている。そして、クロック生成部によって、光ディスクの回転に同期したクロック信号が生成され、基準角度抽出部によって、主情報記録領域における基準位置の角度位置が抽出される。続いて、副情報再生部によって、基準角度抽出部により抽出された角度位置に基づいて特定される副情報記録領域における再生開始点から、クロック生成部により生成されたクロック信号に同期して副情報が再生される。【０３８６】
したがって、不正に複製された光ディスクは、記録開始点のずれや、線速度や回転数のずれによって基準位置と副情報の記録開始点とがずれるため、正しい記録開始点で副情報を再生することが不可能となり、不正に複製された光ディスクから正しい副情報を再生することはできず、不正に複製された光ディスクから主情報を再生することを防止することができる。【０３８７】
また、上記の光ディスク再生装置において、前記基準位置は、前記凹凸マークで記録されるアドレスにより特定されることが好ましい。この構成によれば、主情報記録領域における基準位置を凹凸マークで記録されるアドレスにより特定することができる。【０３８８】
また、上記の光ディスク再生装置において、前記クロック信号の周期は、前記アドレスの記録されている周期より短いことが好ましい。この構成によれば、クロック信号の周期は、アドレスの記録されている周期より短いので、アドレス周期内に１つ以上の追記マークを記録することができる。
【産業上の利用可能性】
【０３８９】
本発明に係る光ディスク、光ディスク製造方法、光ディスク記録装置及び光ディスク再生装置は、例え再生専用の光ディスクであったとしても、副情報を記録することができるばかりでなく、その副情報は、不正に他の光ディスクへ複製できないので、光ディスクに記録する主情報の著作権を不正に侵害することのない光ディスク、光ディスク製造方法、光ディスク記録装置及び光ディスク再生装置を提供することが可能となる。
【図１】
2007139077.tif 000003
【図２】
2007139077.tif 000004
【図３】
2007139077.tif 000005
【図４】
2007139077.tif 000006
【図５】
2007139077.tif 000007
【図６】
2007139077.tif 000008
【図７】
2007139077.tif 000009
【図８】
2007139077.tif 000010
【図９】
2007139077.tif 000011
【図１０】
2007139077.tif 000012
【図１１】
2007139077.tif 000013
【図１２】
2007139077.tif 000014
【図１３】
2007139077.tif 000015
【図１４】
2007139077.tif 000016
【図１５】
2007139077.tif 000017
【図１６】
2007139077.tif 000018
【図１７】
2007139077.tif 000019
【図１８】
2007139077.tif 000020
【図１９】
2007139077.tif 000021
【図２０】
2007139077.tif 000022
【図２１】
2007139077.tif 000023
【図２２】
2007139077.tif 000024
【図２３】
2007139077.tif 000025
【図２４】
2007139077.tif 000026
【手続補正書】
【提出日】平成20年11月11日(2008.11.11)
【手続補正１】
【補正対象書類名】特許請求の範囲
【補正対象項目名】全文
【補正方法】変更
【補正の内容】
【特許請求の範囲】
【請求項１】
変調された主情報に従って、チャネルビット長の整数倍に同期した凹凸マークを形成した後、前記凹凸マーク上に反射膜を形成した光ディスクであって、
前記光ディスクが成形された後、前記凹凸マークの円周方向に形成された螺旋状のトラックに従って、前記凹凸マークの最長マークよりも長い間隔で、かつ前記チャネルビット長の整数倍に同期した連続的又は間欠的なレーザ光が照射されることによって、前記反射膜の光学的特性を変化させて追記マークが形成され、前記主情報を再生するのに必要な副情報が重畳記録されることを特徴とする光ディスク。
【請求項２】
前記追記マークの半径方向の幅は、前記凹凸マークの半径方向の幅に比べて狭いことを特徴とする請求項１記載の光ディスク。
【請求項３】
前記追記マークは、前記凹凸マークの円周方向に形成された螺旋状のトラック上に形成されていることを特徴とする請求項１記載の光ディスク。
【請求項４】
前記追記マークは、前記凹凸マークの円周方向に形成された螺旋状のトラック間に形成されていることを特徴とする請求項１記載の光ディスク。
【請求項５】
前記追記マークは、前記凹凸マークを有する第１のトラックと前記第１のトラックに隣接する第２のトラックとの中間位置に形成されていることを特徴とする請求項４記載の光ディスク。
【請求項６】
前記追記マークは、前記凹凸マークを有する第１のトラックと前記第１のトラックに隣接する第２のトラックとの中間位置より、前記第１のトラック側に形成されていることを特徴とする請求項４記載の光ディスク。
【請求項７】
前記副情報の１ビットは、複数の追記マークを伴って記録されていることを特徴とする請求項１記載の光ディスク。
【請求項８】
前記副情報の１ビットは、間欠的に形成された前記追記マークの集合として記録されていることを特徴とする請求項１記載の光ディスク。
【請求項９】
前記追記マークの円周方向の長さは、前記凹凸マークの円周方向の最短マーク長以下であることを特徴とする請求項８記載の光ディスク。
【請求項１０】
前記追記マークの円周方向の長さは、前記チャネルビット長以下であることを特徴とする請求項８記載の光ディスク。
【請求項１１】
前記追記マークを形成することによって生じる反射光レベルの変動である追記マークの変調度は、前記凹凸マークの反射光レベルと前記凹凸マーク以外の前記反射膜の反射光レベルとの差である凹凸マークの変調度より小さいことを特徴とする請求項１記載の光ディスク。
【請求項１２】
前記追記マークの変調度は、前記凹凸マークの変調度の１／２より平均的に小さいことを特徴とする請求項１１記載の光ディスク。
【請求項１３】
前記追記マークは、前記レーザ光が照射された部分の前記反射膜の反射率を高くすることにより形成されることを特徴とする請求項１記載の光ディスク。
【請求項１４】
前記副情報は、擬似乱数系列によって周波数拡散されて記録されていることを特徴とする請求項１記載の光ディスク。
【請求項１５】
前記副情報は、ＰＥ変調が施されて記録されていることを特徴とする請求項１記載の光ディスク。
【請求項１６】
前記追記マークは、前記凹凸マーク上の前記トラックに直交する方向に形成され、
前記副情報は、前記追記マークが形成された領域の前記光ディスクにおける物理的な位置を表す物理位置情報を含むことを特徴とする請求項１記載の光ディスク。
【請求項１７】
変調された主情報に従って、チャネルビット長の整数倍に同期した凹凸マークを形成した光ディスク原盤を作成するマスタリングステップと、
前記光ディスク原盤の凹凸マークを、光ディスク基板に転写するスタンプステップと、
前記光ディスク基板上に反射膜を形成するスパッタリングステップと、
前記スパッタリングステップにおいて前記光ディスクの凹凸マーク上に反射膜が形成された後、前記凹凸マークの円周方向に形成された螺旋状のトラックに従って、前記凹凸マークの最長マークより長い間隔で、かつ前記チャネルビット長の整数倍に同期した連続的又は間欠的なレーザ光が照射されることによって、前記反射膜の光学的特性を変化させて追記マークを形成し、前記主情報を再生するのに必要な副情報を重畳記録する副情報記録ステップとを含むことを特徴とする光ディスク製造方法。
【請求項１８】
予め主情報が凹凸マークによって記録された光ディスクに、前記主情報を再生するのに必要な副情報を重畳記録する光ディスク記録装置であって、
前記凹凸マークの円周方向に形成された螺旋状のトラックに従ってレーザ光が照射される位置を制御するトラッキング部と、
前記凹凸マークに再生レーザ光を照射した反射光から再生信号を抽出する再生信号抽出部と、
前記凹凸マークのチャネルビット長に同期したチャネルクロックを抽出するクロック抽出部と、
前記チャネルクロックの整数倍で、かつ前記再生信号の帯域よりも低い帯域に同期した記録レーザ光を照射し、前記光ディスクの記録面に形成された反射膜の光学的特性を変化させて追記マークを形成し、前記光ディスクに前記副情報を重畳記録する副情報記録部とを備えることを特徴とする光ディスク記録装置。
【請求項１９】
光ディスクの凹凸マークから主情報を再生するとともに、レーザ光が照射されることによって前記光ディスクの反射膜の光学的特性を変化させて形成された追記マークから前記主情報を再生するのに必要な副情報を再生する光ディスク再生装置であって、
前記凹凸マークの円周方向に形成された螺旋状のトラックに従って前記レーザ光が照射される位置を制御するトラッキング部と、
前記凹凸マークに再生レーザを照射した反射光から再生信号を抽出する再生信号抽出部と、
前記再生信号からチャネルビット長に同期したチャネルクロックを抽出するクロック抽出部と、
前記再生信号から凹凸マークに対応した凹凸マーク再生信号と、前記追記マークに対応した追記マーク再生信号とを分離する分離部と、
前記チャネルクロックの整数倍で、かつ前記凹凸マーク再生信号の帯域よりも低い帯域に同期した前記追記マーク再生信号から前記副情報を再生する副情報再生部とを備えることを特徴とする光ディスク再生装置。
【請求項２０】
前記再生信号から所定間隔で付与されている同期符号を検出する同期符号検出部をさらに備え、
前記副情報再生部は、前記同期符号検出部による前記同期符号の検出タイミングに同期して前記副情報を再生することを特徴とする請求項１９記載の光ディスク再生装置。
【請求項２１】
前記副情報再生部は、
相関系列を生成する相関系列生成部と、
前記相関系列生成部によって生成された前記相関系列と、前記追記マーク再生信号との相関値を検出する相関検出部と、
前記相関検出部によって検出された前記相関値に基づいて前記副情報を再生する再生部とを含むことを特徴とする請求項１９記載の光ディスク再生装置。
【請求項２２】
前記再生信号から所定間隔で付与されている同期符号を検出する同期符号検出部をさらに備え、
前記相関系列生成部は、前記同期符号検出部によって検出された前記同期符号の検出タイミングに同期して前記相関系列を生成することを特徴とする請求項２１記載の光ディスク再生装置。
【請求項２３】
前記分離部は、前記再生信号から、前記凹凸マークに対応した帯域より低い帯域の信号成分を前記追記マーク再生信号として抽出する帯域制限フィルタを含むことを特徴とする請求項１９記載の光ディスク再生装置。
【請求項２４】
前記追記マークは、前記凹凸マーク上の前記トラックに直交する方向に形成され、
前記副情報は、前記追記マークが形成された領域の前記光ディスクにおける物理的な位置を表す物理位置情報を含み、
前記トラックに直交して形成された前記追記マークの前記凹凸マーク位置を基準とした物理位置情報を確認する位置確認部と、
前記副情報再生部によって再生された前記副情報に含まれる前記物理位置情報と、前記位置確認部によって確認された前記物理位置情報とを比較する比較部と、
前記比較部による比較の結果、前記物理位置情報が一致しない場合、前記主情報の再生を制限する再生制限部とをさらに備えることを特徴とする請求項１９記載の光ディスク再生装置。
【請求項２５】
凹凸マークにより主情報が記録されている主情報記録領域と、前記凹凸マークの形成後にレーザ光が照射されることによって形成される追記マークにより前記主情報を再生するのに必要な副情報が記録されている副情報記録領域とを含む光ディスクであって、
前記副情報記録領域は、前記主情報記録領域における基準位置の角度位置に基づいた記録開始点から、前記レーザ光が照射されることによって反射膜の反射率を変えるように追記マークが形成され、前記副情報が重畳記録されることを特徴とする光ディスク。
【請求項２６】
前記副情報記録領域は、前記副情報記録領域における所定角度範囲で、前記追記マークを形成しない追記マーク未記録領域を含むことを特徴とする請求項２５記載の光ディスク。
【請求項２７】
前記基準位置を特定する情報は、前記凹凸マークの円周方向の螺旋状のトラック上にレーザ光が照射されることによって反射膜の反射率を変えて記録されていることを特徴とする請求項２５記載の光ディスク。
【請求項２８】
凹凸マークにより主情報が記録されている主情報記録領域と、前記凹凸マークの形成後にレーザ光が照射されることによって形成される追記マークにより前記主情報を再生するのに必要な副情報が記録されている副情報記録領域とを含む光ディスクに前記主情報及び前記副情報を記録する光ディスク記録装置であって、
前記光ディスクの回転に同期したクロック信号を生成するクロック生成部と、
前記主情報記録領域における基準位置の角度位置を抽出する基準角度抽出部と、
前記基準角度抽出部によって抽出された前記角度位置に基づいて特定される前記副情報記録領域における記録開始点から、前記クロック生成部によって生成された前記クロック信号に同期したレーザ光が照射されることによって前記副情報を重畳記録する副情報記録部とを備えることを特徴とする光ディスク記録装置。
【請求項２９】
前記基準位置は、前記凹凸マークで記録されるアドレスにより特定されることを特徴とする請求項２８記載の光ディスク記録装置。
【請求項３０】
凹凸マークにより主情報が記録されている主情報記録領域と、前記凹凸マークの形成後にレーザ光が照射されることによって形成される追記マークにより前記主情報を再生するのに必要な副情報が記録されている副情報記録領域とを含む光ディスクから前記主情報及び前記副情報を再生する光ディスク再生装置であって、
前記光ディスクの回転に同期したクロック信号を生成するクロック生成部と、
前記主情報記録領域における基準位置の角度位置を抽出する基準角度抽出部と、
前記基準角度抽出部によって抽出された前記角度位置に基づいて特定される前記副情報記録領域における再生開始点から、前記クロック生成部によって生成された前記クロック信号に同期して前記副情報を再生する副情報再生部とを備えることを特徴とする光ディスク再生装置。
【請求項３１】
前記基準位置は、前記凹凸マークで記録されるアドレスにより特定されることを特徴とする請求項３０記載の光ディスク再生装置。
【手続補正２】
【補正対象書類名】明細書
【補正対象項目名】全文
【補正方法】変更
【補正の内容】
【発明の詳細な説明】
【技術分野】
【０００１】
本発明は、ＣＤ、ＤＶＤ及びＢｌｕ−ｒａｙディスク等の光ディスク、光ディスクを製造する光ディスク製造方法、光ディスクに情報を記録する光ディスク記録装置及び光ディスクから情報を再生する光ディスク再生装置に関するものである。
【背景技術】
【０００２】
従来、光ディスクは、安価なデジタル情報の記録媒体として、幅広く利用されている。例えば、Ｂｌｕ−ｒａｙディスクは、単層で２５ギガバイト、２層で５０ギガバイトの容量を持ち、ハイビジョンの良質な映像コンテンツを、２〜４．５時間程度記録することができる。従って、光ディスク容量が増す毎に、１枚の光ディスクに記録されるデジタルコンテンツの価値は高まり、記録されるデジタルコンテンツの著作権の保護が極めて重要な技術課題となっている。
【０００３】
しかしながら、昨今では、光ディスクから不正にデジタルコンテンツを複製する海賊版メーカのような違法な光ディスク製造業者が氾濫している。このことは、デジタル著作物の健全な流通を阻害するとともに、著作権者への正当な利益分配が成されない状況を作り出している。
【０００４】
そこで、例えば、特許文献１には、凹凸マークによってデジタル著作物が記録された光ディスクにおいて、案内溝にトラッキングを行ったレーザ照射によって凹凸マーク上の再生膜の反射率を変化させる技術が開示されている。
【０００５】
この特許文献１に記載の光ディスクを用いることにより、例えばレンタル等に利用される光ディスクであっても、回収を必要としない光ディスクを提供することができる。
【０００６】
また、例えば、特許文献２には、凹凸マークの内、所定長さ以上のマークまたはスペースについて、副のデータ列に基づいて、マークまたはスペースのエッジより所定距離だけ離間した箇所で、局所的に情報記録面の反射率を変化させて、副情報を記録する技術が開示されている。
【０００７】
この特許文献２に記載の発明によれば、凹凸マークのエッジの位置情報に影響を与えないタイミングで、マークまたはスペースの反射率を局所的に変化させる。したがって、マーク列で表される主のデータ列の光ピックアップによる再生に何ら影響を与えることなく、かつ違法コピーを困難にする副情報を記録することができる。
【０００８】
また、例えば、特許文献３には、照射するレーザの光量の強弱で光学的変化を生ずる記録媒体を用い、レーザの光量の強弱によって映像やデータ信号などの信号を変調した第１の信号を既に記録した記録媒体上の同一情報トラックに、第１の信号と帯域の等しい信号によって強度変調され、かつ第１の信号より帯域の低い第２の信号で記録状態のＯＮ／ＯＦＦ制御されたレーザ光を２回以上複数回、記録媒体上の位置を同期して照射し、レーザ光が照射された部分の光学的変化をさらに変化させるよう、第２の信号を重畳記録し、再生時に、第２の信号を分離、再生する情報記録再生方法が開示されている。
【０００９】
この特許文献３に記載の発明によれば、第１の信号の情報の消去を示す情報、あるいは、第１の信号の情報に代わる情報トラックの位置を示す情報として第２の信号を同一情報トラック上に重畳記録することで、その情報トラックの情報の有効／無効、あるいは、その情報トラックの代わりとなり情報トラックの位置を管理するための特別な情報トラックを設けることなく、記録媒体上の情報トラックの管理を実現できる。
【００１０】
また、例えば、特許文献４には、所定のデータが記録されているスパイラル状の第１の情報トラックと、この第１の情報トラックの間の一部領域に形成されており、コピー検出情報が記録されているスパイラル状の第２の情報トラックとを含む光ディスクが開示されている。
【００１１】
この特許文献４に記載の発明によれば、コピーディスク判別のための検出情報を、データ用の第１の情報トラックとは異なる第２の情報トラックに記録することによって、通常の動作に影響を与えることなく、効果的に不正コピーディスクをチェックすることができる。また、第２の情報トラックにセキュリティ情報を記録することによって、セキュリティ情報の不正複製を防止することができる。
【特許文献１】特開平９−３０６０３０号公報
【特許文献２】特許第３４５４４１０号公報
【特許文献３】特許第２９０３４２２号公報
【特許文献４】特開平８−１４７７６７号公報
【発明の開示】
【発明が解決しようとする課題】
【００１２】
しかしながら、これらいかなる方法によっても、光ディスクの製造に要するコストを増大させることなく、かつ主情報の読み取り精度を悪化させることなく、不正複製を防止しながら光ディスクの媒体固有情報を記録することは困難である。また、主情報の記録領域を犠牲にすること無しに、かつ効率的に、不正複製を防止しながら光ディスクの媒体固有情報を記録することは困難である。
【００１３】
何故ならば、特許文献１で開示された発明においては、光ディスク上に一定以上の強度の記録レーザを照射して、その照射部分の反射率を変化させるために予め光ディスク上に案内溝を形成することが開示されている。通常、案内溝と凹凸マークとが形成された光ディスクを作成する場合、光ディスク原盤上に、凹凸マークを記録した後に、凹凸マークを真ん中の位置にするように再度、案内溝を記録するか、案内溝を記録した後に凹凸マークを記録する必要がある。しかしながら、Ｂｌｕ−ｒａｙディスクの場合、これらトラック間の位置あわせは、半径方向に数十ナノメートルオーダーの精度が必要となり、通常のマスタリング装置では案内溝と凹凸マークとをともに記録することは困難である。これを実現するためには、特殊なマスタリング装置が必要になり、光ディスクの製造に要するコストの増大は避けられない。
【００１４】
また、特許文献２で開示された発明においては、所定長さ以上のマークまたはスペースのマークエッジから所定距離だけ離間した箇所にレーザ照射を行っている。そのため、予め所定長さ以上のマーク又はスペースを検索して記憶する必要があり、副情報を記録する記録時間を無駄に消費し、光ディスクの製造に要するコストが増大する。また、予め所定長さ以上のマーク又はスペースの存在が分かっている例えば同期符号部のみに副情報を記録する場合、百数十ビットもの媒体固有情報を記録するためには、それ相応の記録領域が必要となる。そのため、この場合においても記録時間又は再生時間を無駄に消費してしまう。
【００１５】
また、特許文献３で開示された発明においては、予め第１の信号が記録された部分を第２の信号で複数回重畳記録し、第２の信号が正常に読み出し可能となるまで繰り返す。従って、予め記録された第１の信号の読み出し精度が悪化し、エラー訂正などで救済可能なディフェクトマージンが悪化する。
【００１６】
また、特許文献４で開示された発明においては、第１の情報トラックの間の一部領域にセキュリティ情報を記録した第２の情報トラックを形成し、第１の情報トラックから１トラックピッチ移動したときに、第２の情報トラックの位置となるように、第１の情報トラック及び第２の情報トラックが配置されることが開示されている。しかしながら、第１の情報トラックの間に第２の情報トラックを形成することは、隣接する第１の情報トラックのトラックピッチを２倍にすることを意味するので、第２の情報トラックを形成することによって主情報を記録する領域を犠牲にすることになる。すなわち、第２の情報トラックの形成によって光ディスク１枚あたりの記録容量は小さくなってしまう。
【００１７】
本発明は、上記の問題を解決するためになされたもので、主情報の読み取り精度を悪化させることなく、主情報を再生するのに必要な副情報を記録することができ、光ディスクの不正な複製を防止することができる光ディスク、光ディスク製造方法、光ディスク記録装置及び光ディスク再生装置を提供することを目的とするものである。
【課題を解決するための手段】
【００１８】
本発明の一局面に係る光ディスクは、変調された主情報に従って、チャネルビット長の整数倍に同期した凹凸マークを形成した後、前記凹凸マーク上に反射膜を形成した光ディスクであって、前記光ディスクが成形された後、前記凹凸マークの円周方向に形成された螺旋状のトラックに従って、前記凹凸マークの最長マークよりも長い間隔で、かつ前記チャネルビット長の整数倍に同期した連続的又は間欠的なレーザ光が照射されることによって、前記反射膜の光学的特性を変化させて追記マークが形成され、前記主情報を再生するのに必要な副情報が重畳記録される。
【００１９】
本発明の他の局面に係る光ディスク製造方法は、変調された主情報に従って、チャネルビット長の整数倍に同期した凹凸マークを形成した光ディスク原盤を作成するマスタリングステップと、前記光ディスク原盤の凹凸マークを、光ディスク基板に転写するスタンプステップと、前記光ディスク基板上に反射膜を形成するスパッタリングステップと、前記スパッタリングステップにおいて前記光ディスクの凹凸マーク上に反射膜が形成された後、前記凹凸マークの円周方向に形成された螺旋状のトラックに従って、前記凹凸マークの最長マークより長い間隔で、かつ前記チャネルビット長の整数倍に同期した連続的又は間欠的なレーザ光が照射されることによって、前記反射膜の光学的特性を変化させて追記マークを形成し、前記主情報を再生するのに必要な副情報を重畳記録する副情報記録ステップとを含む。
【００２０】
本発明の他の局面に係る光ディスク記録装置は、予め主情報が凹凸マークによって記録された光ディスクに、前記主情報を再生するのに必要な副情報を重畳記録する光ディスク記録装置であって、前記凹凸マークの円周方向に形成された螺旋状のトラックに従ってレーザ光が照射される位置を制御するトラッキング部と、前記凹凸マークに再生レーザ光を照射した反射光から再生信号を抽出する再生信号抽出部と、前記凹凸マークのチャネルビット長に同期したチャネルクロックを抽出するクロック抽出部と、前記チャネルクロックの整数倍で、かつ前記再生信号の帯域よりも低い帯域に同期した記録レーザ光を照射し、前記光ディスクの記録面に形成された反射膜の光学的特性を変化させて追記マークを形成し、前記光ディスクに前記副情報を重畳記録する副情報記録部とを備える。
【００２１】
本発明の他の局面に係る光ディスク再生装置は、光ディスクの凹凸マークから主情報を再生するとともに、レーザ光が照射されることによって前記光ディスクの反射膜の光学的特性を変化させて形成された追記マークから前記主情報を再生するのに必要な副情報を再生する光ディスク再生装置であって、前記凹凸マークの円周方向に形成された螺旋状のトラックに従って前記レーザ光が照射される位置を制御するトラッキング部と、前記凹凸マークに再生レーザを照射した反射光から再生信号を抽出する再生信号抽出部と、前記再生信号からチャネルビット長に同期したチャネルクロックを抽出するクロック抽出部と、前記再生信号から凹凸マークに対応した凹凸マーク再生信号と、前記追記マークに対応した追記マーク再生信号とを分離する分離部と、前記チャネルクロックの整数倍で、かつ前記凹凸マーク再生信号の帯域よりも低い帯域に同期した前記追記マーク再生信号から前記副情報を再生する副情報再生部とを備える。
【００２２】
本発明の他の局面に係る光ディスクは、凹凸マークにより主情報が記録されている主情報記録領域と、前記凹凸マークの形成後にレーザ光が照射されることによって形成される追記マークにより副情報が記録されている副情報記録領域とを含む光ディスクであって、前記副情報記録領域は、前記主情報記録領域における基準位置の角度位置に基づいた記録開始点から、前記レーザ光が照射されることによって反射膜の反射率を変えるように追記マークが形成され、前記副情報が重畳記録される。
【００２３】
本発明の他の局面に係る光ディスク記録装置は、凹凸マークにより主情報が記録されている主情報記録領域と、前記凹凸マークの形成後にレーザ光が照射されることによって形成される追記マークにより副情報が記録されている副情報記録領域とを含む光ディスクに前記主情報及び前記副情報を記録する光ディスク記録装置であって、前記光ディスクの回転に同期したクロック信号を生成するクロック生成部と、前記主情報記録領域における基準位置の角度位置を抽出する基準角度抽出部と、前記基準角度抽出部によって抽出された前記角度位置に基づいて特定される前記副情報記録領域における記録開始点から、前記クロック生成部によって生成された前記クロック信号に同期したレーザ光が照射されることによって前記副情報を重畳記録する副情報記録部とを備える。
【００２４】
本発明の他の局面に係る光ディスク再生装置は、凹凸マークにより主情報が記録されている主情報記録領域と、前記凹凸マークの形成後にレーザ光が照射されることによって形成される追記マークにより副情報が記録されている副情報記録領域とを含む光ディスクから前記主情報及び前記副情報を再生する光ディスク再生装置であって、前記光ディスクの回転に同期したクロック信号を生成するクロック生成部と、前記主情報記録領域における基準位置の角度位置を抽出する基準角度抽出部と、前記基準角度抽出部によって抽出された前記角度位置に基づいて特定される前記副情報記録領域における再生開始点から、前記クロック生成部によって生成された前記クロック信号に同期して前記副情報を再生する副情報再生部とを備える。
【発明の効果】
【００２５】
本発明によれば、主情報の読み取り精度を悪化させることなく、主情報を再生するのに必要な副情報を記録することができ、光ディスクの不正な複製を防止することができる。
【発明を実施するための最良の形態】
【００２６】
以下本発明の実施の形態について、図面を参照しながら説明する。なお、本発明はその要点を変更しない範囲において適宜変更して実施することができる。
【００２７】
（実施の形態１）
（１−１）実施の形態１の光ディスク
図１は、実施の形態１に係る光ディスク１の構造を示す概念図である。図１に示す光ディスク１は、クランプ領域ＣＬＰ、内周側／外周側のコントロール領域ＣＴＬ及びユーザ領域ＵＳＲから構成される。
【００２８】
クランプ領域ＣＬＰは、光ディスク１をローディングするときの送り部であり、通常、なんら情報を記録していない。
【００２９】
コントロール領域ＣＴＬは、ユーザ領域ＵＳＲの内周側及び外周側の２箇所設けられ、凹凸記録マークによって、光ディスク１の管理情報、著作権情報または物理特性情報などが記録されている。また、光ディスク１の特徴は、内周側のコントロール領域ＣＴＬの凹凸マークの成すトラックと同一トラックの凹凸マーク上の反射膜１Ｌの反射率をレーザ光が照射されることによって局所的に変更することによって媒体ＩＤ（媒体固有情報）が記録されている点である。媒体ＩＤは、光ディスクを識別するための情報である。
【００３０】
光ディスク１は、スタンパによる凹凸マークを光ディスク基板１Ｐに転写して、転写された凹凸マーク上にレーザ照射に応じて反射率の変化する反射膜１Ｌを蒸着（スパッタリング）して、さらにその上を例えば薄膜シートの付与やスピンコート工法によってカバー層１Ｃで覆うことによって成形される。光ディスク１の成形後、内周側のコントロール領域ＣＴＬの凹凸マークへのレーザ照射によって、媒体ＩＤが、光ディスク１枚１枚に固有の情報として重畳記録される。
【００３１】
光ディスク１の反射膜１Ｌは、レーザ光が照射されることによって不可逆的な反射率変化をする有機系材料の色素膜で構成されても構わないし、無機の合金材料やＴｅ−Ｏ−Ｐｄ記録膜などの相変化膜を用いても実現可能である。これらの記録膜は全てある所定強度のレーザ光が照射されることによる熱変動で反射率を変化させることによって情報が記録できる。
【００３２】
図２〜４は、実施の形態１に係る光ディスク１の内周側のコントロール領域ＣＴＬの記録面を示す概念図である。
【００３３】
前述のように、本実施の形態１に係る光ディスク１は、例えばポリカなどによってなる光ディスク基板１Ｐに凹凸マークＭＫを転写し、その凹凸マーク上にレーザ照射によって反射率が変化する反射膜１Ｌを蒸着し、内周側のコントロール領域ＣＴＬに、レーザ照射によって再生可能な管理情報、著作権情報または物理特性情報などが主情報として記録される。
【００３４】
これら主情報を転写して光ディスクが成形された後、レーザ光が照射されることによって局所的に反射膜１Ｌの反射率を変化させることによって追記マークＳＭＫを光ディスクに形成して、媒体ＩＤが副情報として重畳記録される。
【００３５】
図２に示す追記マークＳＭＫの特徴は、凹凸マークＭＫのなすトラック上にレーザ光が照射されることによって追記マークＳＭＫが形成されている。また、追記マークＳＭＫの光ディスクの半径方向における幅は、凹凸マークＭＫの光ディスクの半径方向における幅よりも狭くなるように形成されている。これによって、再生時の凹凸マークＭＫの変調度に対して、追記マークＳＭＫを追記することによる反射光レベルの変動を小さくすることができ、凹凸マークＭＫの再生精度の悪化を小さくすることができる。
【００３６】
また、追記マークＳＭＫを形成することによって生じる反射光レベルの変動である追記マークＳＭＫの変調度は、凹凸マークＭＫの反射光レベルと凹凸マークＭＫ以外の反射膜の反射光レベルとの差である凹凸マークＭＫの変調度の１／２より平均的に小さくすることにより、凹凸マークＭＫの再生信号のエッジ位置を誤って再生することがなくなるので、凹凸マークＭＫの再生精度に影響を与えない。
【００３７】
また、追記マークＳＭＫの記録帯域は、凹凸マークＭＫの最長マークの記録帯域より低い。これにより、再生時において帯域制限回路（フィルタ）によって、凹凸マークＭＫ及び追記マークＳＭＫを分離することが可能となり、互いの再生精度を確保することができる。
【００３８】
図３に示す追記マークの特徴は、凹凸マークＭＫのなすトラック上にレーザ光が照射されることによって追記マークＳＭＫが形成されている。また、追記マークＳＭＫは、凹凸マークＭＫの最長マークの記録帯域より低い帯域で、離散的に形成される。また、この離散的に形成される１つの追記マークＳＭＫのトラック方向の幅は、凹凸マークＭＫの最短マークより小さくなるように形成され、凹凸マークＭＫを記録するチャネルビット長より小さくなるように形成される。これによって、追記マークＳＭＫは、ミクロ視点では凹凸マークＭＫより記録帯域が高く、マクロ視点では凹凸マークＭＫより記録帯域が低くなる。したがって、再生時において、帯域制限回路（フィルタ）によって凹凸マークＭＫと追記マークＳＭＫとを分離することが可能となり、互いの再生精度を確保することができる。
【００３９】
また、図３に示す追記マークＳＭＫは、離散的に形成されるので、反射光レベルの変動量を図２に示す追記マークＳＭＫの反射光レベルの変動量よりも小さくすることが可能となり、凹凸マークＭＫの再生精度の影響をさらに軽減することができる一方、図３に示す追記マークＳＭＫの再生精度は、図２に示す追記マークＳＭＫの再生精度よりも劣る。
【００４０】
図４に示す追記マークＳＭＫの特徴は、凹凸マークＭＫのトラック間の反射膜１Ｌの反射率をレーザ照射によって変化させて追記マークＳＭＫが形成される。また、図４に示す追記マークＳＭＫも、図２，３に示す追記マークＳＭＫと同様、凹凸マークＭＫの最長マークの記録帯域より低い記録帯域で記録される。したがって、図４に示す追記マークＳＭＫは、凹凸マークＭＫの再生精度になんら影響を与えない点で図２，３に示す追記マークＳＭＫより優れている一方、記録時において、トラック間にトラッキング制御を行うための構成を追加する必要がある点で劣る。
【００４１】
以上、図２〜４に示した追記マークＳＭＫによって、凹凸マークＭＫの再生精度の影響を軽減しつつも、成形後の光ディスク１に対して媒体ごとに固有の識別情報を記録することができる。
【００４２】
また、本実施の形態１の光ディスク１は、レーザ光が照射されることによって反射率が向上する反射膜１Ｌを用いることが望ましい。なぜなら、通常の再生専用光ディスクの金属膜などによる反射膜は、レーザ光が照射されることによってその反射率が低減するため、レーザ光が照射されることによって反射率を向上させる光ディスクであれば、不正な複製を防止する効果が向上する。このような反射膜は、有機系の色素膜を利用したり、相変化膜を用いて上記特性となるよう初期化しておくことによって実現可能である。
【００４３】
（１−２）実施の形態１の光ディスク製造方法
図５は、実施の形態１における光ディスク製造方法を示す模式図である。実施の形態１における光ディスク製造方法は、オーサリング工程１００、第１の製造工程２００、第２の製造工程３００及び検査工程４００を含む。
【００４４】
オーサリング工程１００は、光ディスクに記録されるコンテンツデータを鍵管理機構により作成される暗号鍵（マスター鍵）で暗号化した後、光ディスクフォーマットにオーサリングする工程である。オーサリングされたコンテンツデータは、第１の製造工程２００に出力される。
【００４５】
第１の製造工程２００は、入力工程２０１、マスタリング工程２０２、スタンプ工程２０３、スパッタリング工程２０４及び保護膜付与工程２０５の手順で行われ、媒体ＩＤが記録されていない光ディスクを成形する工程である。
【００４６】
入力工程２０１は、オーサリング工程１００において作成されたコンテンツデータが入力される工程である。
【００４７】
マスタリング工程２０２は、オーサリング工程１００から入力されるオーサリングされたコンテンツデータを基に、ホトレジストを付与したガラス原盤にレーザあるいは電子ビームを露光して現像することで凹凸マークをカッティングしたディスク原盤を作成する工程である。
【００４８】
マスタリング工程２０２によって作成されたディスク原盤は、その後凹凸マークの形成された記録面側にメッキされスタンパが作成される。スタンプ工程２０３は、このスタンパを複製する、いわゆる複製工程であって、透明樹脂を射出成形することによって凹凸マークを転写した光ディスク基板１Ｐを作成する工程である。
【００４９】
スパッタリング工程２０４は、スタンプ工程２０３で作成された凹凸マークの転写された光ディスク原盤の凹凸マーク上に反射膜をスパッタリングあるいは蒸着する工程である。この反射膜は、色素膜で構成されても構わないし、無機の合金材料やＴｅ−Ｏ−Ｐｄ記録膜などの相変化膜でも構わない。すなわち、これらの反射膜は、一定強度のレーザ光が照射されることによって記録膜の反射率が変化し、不可逆的な記録マークを形成可能な反射膜である。本実施の形態の光ディスク製造方法は、通常の光ディスク製造方法と比較しこの部分が特徴的である。
【００５０】
保護膜付与工程２０５は、スパッタリング工程２０４において反射膜の付与された光ディスク基板１Ｐに対して、薄膜の保護シートを付与したり、スピンコートによって薄膜形成したりして、凹凸マーク上に保護膜１Ｃを形成する工程である。
【００５１】
以上の工程２０１〜２０５からなる第１の製造工程２００によって、凹凸マークが形成され、その上にレーザ光が照射されることで反射率を変化させることのできる反射膜が付与された光ディスクが製造され、第２の製造工程３００へと移行する。
【００５２】
第２の製造工程３００は、鍵管理機構から発行されるデジタル証明書やメッセージ識別子（ＭＡＣ：Ｍｅｓｓａｇｅ  Ａｕｔｈｅｎｔｉｃａｔｉｏｎ  Ｃｏｄｅ）などの認証符号が付与された媒体ＩＤを光ディスク記録装置（副情報記録装置）６によって第１の製造工程２００において作成された光ディスクに記録する工程である。
【００５３】
光ディスク記録装置６は、光ディスクの凹凸マークを再生するとともに、凹凸マークのアドレスに基づく所定タイミングで記録強度のレーザ光を照射することで、凹凸マーク上の反射膜の反射率を変化させることによって媒体ＩＤを記録する。なお、光ディスク記録装置６の構成については、“（１−３）実施の形態１の光ディスク記録装置”で詳細に説明する。本工程によって媒体ＩＤが光ディスクに記録され、次の検査工程４００に移行する。
【００５４】
検査工程４００は、第２の製造工程３００において記録された媒体ＩＤが正常に記録されたか否かを光ディスク再生装置７によって検査する工程である。なお、光ディスク再生装置７は、第２の製造工程３００における光ディスク記録装置６と同じ装置を用いて実現してもよいし、異なる２つの装置を用いて実現してもよい。
【００５５】
光ディスク再生装置７は、光ディスクの凹凸マークを再生し、凹凸マークのアドレスに基づく所定タイミングから、相関系列を生成し、照射されたレーザ光の反射光から得られる再生信号と、相関系列との相関積分を行うことによって媒体ＩＤを検出する。なお、本検査工程４００における正常な媒体ＩＤが記録されているか否かの判定方法は、予め媒体ＩＤに付与されているパリティビットによってエラー訂正を行い、その結果のエラービット数から判定してもよいし、相関積分を所定時間内で行い、その結果の相関積分値を予め定められた閾値によって閾値判定し、閾値よりも高い相関積分値が検出された場合に正常であると判断してもよい。また、光ディスク再生装置７の構成については、“（１−４）実施の形態１の光ディスク再生装置”で詳細に説明する。
【００５６】
最後に、本検査工程４００において、正常に媒体ＩＤの記録された光ディスク５は、完成品として出荷される。
【００５７】
以上より、本実施の形態１の光ディスク製造方法を用いれば、入力工程、マスタリング工程、スタンプ工程、スパッタリング工程及び保護膜付与工程によって製造される再生専用光ディスクであったとしても、光ディスク１枚ごとに固有の媒体ＩＤを追加記録することができる。しかも、通常の光ディスク記録装置、光ディスク再生装置から大きく構成要素を変えることの無い装置によって、光ディスクに媒体ＩＤを記録する第２の製造工程や光ディスクに媒体ＩＤが記録されていることを検査する検査工程４００を実現することができるので、光ディスクの製造コストが増大することは無い。また、媒体ＩＤは、凹凸マーク再生時の反射光の微少変化を検出することにより抽出され、具体的には、凹凸マークの再生信号と、内部で秘密に発生させる相関系列との相関積分によって抽出される。そのため、媒体ＩＤを知りえない海賊版メーカによって光ディスクが作成されたり、複製されたりすることを防止できる。また、媒体ＩＤを記録する追記マークは、レーザ光が照射されることによって反射率を変化させて記録するため、保護膜１Ｃを剥離して転写する不正複製方法にも十分な耐性がある。
【００５８】
（１−３）実施の形態１の光ディスク記録装置
図６は、実施の形態１の光ディスク製造方法の第２の製造工程において用いられる光ディスク記録装置の構成を示すブロック図である。光ディスク記録装置６は、第１の製造工程２００において光ディスクが成形された後、凹凸マーク上にレーザ光が照射されることによって反射率が変化する反射膜が付与された光ディスクに、鍵管理機構によって認証符号の付与された媒体ＩＤを重畳記録する。
【００５９】
図６に示す光ディスク記録装置６は、メモリ１１、スピンドルモータ１２、光学ヘッド１３、サーボ回路１４、アナログ信号処理器１５、デジタル信号処理器１６、フォーマッタ１７、タイミング生成器１８、乱数発生器１９、ＥＯＲ２０、ＰＥ変調器２１、レーザ強度変調器２２及びシステムコントローラ２３を備える。
【００６０】
メモリ１１は、予め鍵管理機構から受信した媒体ＩＤを記憶する。なお、媒体ＩＤは、通常、媒体ごとに固有になるように一枚一枚に更新する情報である。
【００６１】
スピンドルモータ１２は、第１の製造工程２００において作成された媒体ＩＤが未記録の光ディスク２４１がドライブに挿入されると、挿入された光ディスク２４１に対応した回転数で光ディスク２４１を回転させる。
【００６２】
光学ヘッド１３は、光ディスク２４１の回転数が目的の回転数に達したときに再生強度のレーザ光を光ディスク２４１に照射して、その反射光からチャネル信号ＣＳを生成してアナログ信号処理器１５に出力する。
【００６３】
アナログ信号処理器１５は、光学ヘッド１３から入力されるチャネル信号ＣＳに基づいて、フォーカス位置のズレを示したフォーカスエラー信号ＦＥ及び凹凸マークに対するトラッキング位置のズレを示したトラッキングエラー信号ＴＥを生成してサーボ回路１４に出力する。また、アナログ信号処理器１５は、光学ヘッド１３から入力されるチャネル信号ＣＳを波形等化したり、増幅したりして凹凸マークに対応したアナログ再生信号ＡＳを生成してデジタル信号処理器１６に出力する。
【００６４】
サーボ回路１４は、アナログ信号処理器１５から入力されるトラッキングエラー信号ＴＥ及びフォーカスエラー信号ＦＥに基づいて、レーザ光のスポット位置のフォーカス位置及びトラッキング位置を制御するフォーカス制御信号ＦＣ及びトラッキング制御信号ＴＣを生成して光学ヘッド１３に出力する。光学ヘッド１３は、これらの制御信号を基にフォーカス位置及びトラッキング位置を微調整する。また、サーボ回路１４は、半径位置に従って回転数を微調整するための回転制御信号ＳＣを生成してスピンドルモータ１２に出力する。スピンドルモータ１２は、サーボ回路１４から入力される回転制御信号ＳＣに従って回転数を微調整する。
【００６５】
デジタル信号処理器１６は、アナログ信号処理器１５から入力されるアナログ再生信号ＡＳから２値のデジタル再生データを抽出する。デジタル信号処理器１６は、内部にＰＬＬ（Ｐｈａｓｅ  Ｌｏｃｋｅｄ  Ｌｏｏｐ）回路を備え、アナログ信号処理器１５から入力されるアナログ再生信号ＡＳに基づいて、同期するクロック信号ＣＫを抽出するとともに、抽出したクロック信号ＣＫでアナログ再生信号ＡＳをサンプリングして量子化した後、２値化してデジタル再生信号ＤＳを生成し、フォーマッタ１７に出力する。また、デジタル信号処理器１６は、抽出したクロック信号ＣＫをタイミング生成器１８に出力する。
【００６６】
フォーマッタ１７は、デジタル信号処理器１６から入力されるデジタル再生信号ＤＳから一定間隔で付与されている同期符号を検出して、フレーム構造にフォーマットし、複数フレームからなりアドレス情報を持ったセクタ（アドレスユニット）単位に分割して、アドレス情報ＡＤＲを再生するとともに、アドレス情報ＡＤＲをタイミング生成器１８及び乱数発生器１９へ出力する。また、フォーマッタ１７は、同期符号の検出タイミングを示す同期符号検出タイミング信号ＳＹをタイミング生成器１８に出力する。
【００６７】
タイミング生成器１８は、デジタル信号処理器１６から入力されるクロック信号ＣＫに同期して入力されるアドレス情報ＡＤＲから媒体ＩＤを記録するタイミングを生成する。タイミングは、媒体ＩＤの１ビットを記録する区間を示すサブフレームのタイミングを示し、クロック信号ＣＫと同期符号検出タイミング信号ＳＹとに同期したカウンタによって生成される。カウンタによって生成されたサブフレーム位置を示すサブフレームカウント値ＣＮＴは、乱数発生器１９及びメモリ１１に出力される。また、タイミング生成器１８は、同様のカウンタにて、記録する媒体ＩＤに、追記マークの外周側への変位確率と内周側への変位確率を略等しくするためのＰＥ変調を施すためのＰＥ変調信号ＰＥを生成して、ＰＥ変調器２１に出力する。また、タイミング生成器１８は、乱数系列に初期値をプリセットするためのタイミングである初期値セットタイミング信号ＳＥＴを生成して、乱数発生器１９に出力する。
【００６８】
乱数発生器１９は、タイミング生成器１８から入力される初期値セットタイミング信号ＳＥＴの出力タイミングで、フォーマッタ１７からのアドレス情報ＡＤＲを初期値としてプリセットする。また、乱数発生器１９は、タイミング生成器１８から入力されるサブフレームカウント値ＣＮＴが更新されるタイミングで１ビットずつ擬似乱数系列ＲＮを生成してＥＯＲ２０に出力する。なお、本実施の形態では、初期値としてアドレス情報ＡＤＲを用いているが、本発明はこれに限らない。アドレス情報ＡＤＲを一方向性関数などでデータ変換すれば、この方法を知らない海賊版メーカは同様の乱数系列を生成することができないので不正に媒体ＩＤを記録されることへの耐性は向上する。また、内部に秘密に持った初期値で実現してもよいし、媒体上に凹凸マークとして記録してもよい。また、乱数発生器１９は、シフトレジスタで構成される一般的なＭ系列発生器で構成され、サブフレームカウント値が更新されるタイミングで、内部のシフトレジスタをシフトして、擬似乱数系列を１ビットずつ生成する。
【００６９】
メモリ１１は、予め記憶している鍵管理機構から受信した媒体ＩＤを、タイミング生成器１８からのサブフレームカウント値ＣＮＴに基づいて、カウント値に対応するビットを取り出して、副情報ＳＤとしてＥＯＲ２０に出力する。
【００７０】
ＥＯＲ２０は、一般的な排他的論理和ゲートで構成され、乱数発生器１９から入力される擬似乱数系列ＲＮの１ビットと、メモリ１１から入力される媒体ＩＤの１ビットとの排他的論理和を算出して拡散副情報ＲＳＤを生成して、ＰＥ変調器２１に出力する。
【００７１】
ＰＥ変調器２１もＥＯＲ２０と同様に、一般的な排他的論理和ゲートで構成され、ＥＯＲ２０から入力される拡散副情報ＲＳＤと、タイミング生成器１８から入力されるＰＥ変調信号ＰＥとの排他的論理和を算出することによって拡散副情報ＲＳＤにＰＥ変調を施してＰＥ変調後拡散副情報ＰＲＳＤを生成してレーザ強度変調器２２に出力する。
【００７２】
レーザ強度変調器２２は、ＰＥ変調器２１から入力されるＰＥ変調後拡散副情報ＰＲＳＤの“Ｈ”の区間で、レーザに流れる電流を上げ、記録強度のレーザ光を照射するための記録パルスＷＰに変調し、光学ヘッド１３に出力する。このレーザ照射強度変調は、レーザ強度を高速に上下させるマルチパルスの形態でも良いし、再生強度より強い一定強度のレーザ光を照射する形態でも構わない。少なくとも、レーザ光が照射されることによって反射膜の反射率が変化する形態であればどのようなレーザ照射方法でも構わない。
【００７３】
光学ヘッド１３は、サーボ回路１４によって凹凸マークのトラックにトラッキング制御しつつ、レーザ強度変調器２２からの記録パルスＷＰによってレーザに流れる電流量をコントロールすることでレーザ強度の強弱を調整して光ディスク２４１の反射膜に照射し、凹凸マーク上に反射率が変化した追記マークを形成することによって媒体ＩＤを重畳記録する。
【００７４】
なお、本実施の形態において、スピンドルモータ１２、光学ヘッド１３、サーボ回路１４及びアナログ信号処理器１５がトラッキング部の一例に相当し、アナログ信号処理器１５が再生信号抽出部の一例に相当し、デジタル信号処理器１６がクロック抽出部の一例に相当し、メモリ１１、光学ヘッド１３、フォーマッタ１７、タイミング生成器１８、乱数発生器１９、ＥＯＲ２０、ＰＥ変調器２１及びレーザ強度変調器２２が副情報記録部の一例に相当する。
【００７５】
次に、光ディスク記録装置６の動作について、本実施の形態の光ディスクがＢｌｕ−ｒａｙ  ＲＯＭディスクである場合を例に詳細に説明する。図７は、実施の形態１における光ディスク記録装置の特徴的な動作を示すタイミングチャートである。
【００７６】
Ｂｌｕ−ｒａｙ  ＲＯＭディスクは、１つのエラー訂正を行う単位（ユーザデータで６４キロバイト）であるＰｈｙｓｉｃａｌ  Ｃｌｕｓｔｅｒがトラック上に連続して記録される。また、Ｐｈｙｓｉｃａｌ  Ｃｌｕｓｔｅｒは、アドレス情報ＡＤＲを持った１６のアドレスユニットからなる。また、アドレスユニットは、同期符号を持った３１のフレームによって構成される。また、１フレームは、１９３２チャネルビットで構成される。
【００７７】
従って、光ディスク記録装置６のフォーマッタ１７は、デジタルリードチャネルからのデジタル再生信号ＤＳから同期符号を検出してフレーム構造にフォーマットするとともに、同期符号のパターンによってアドレスユニット中の何番目のフレームかを判定しながら、アドレス情報ＡＤＲの記録されている単位であるアドレスユニットに分割する。
【００７８】
また、光ディスク記録装置６のタイミング生成器１８は、１フレームを１３８チャネルビット単位に“＋１”のカウントすることによって、媒体情報の１ビットを記録するサブフレームをカウントして、サブフレームカウント値ＣＮＴを生成して乱数発生器１９とメモリ１１に出力する。また、タイミング生成器１８は、信号として図示しないがサブフレーム内の前半の６９チャネルビットが“Ｌ”で、後半の６９チャネルビットが“Ｈ”となるようなＰＥ変調信号ＰＥを生成してＰＥ変調器２１に出力する。
【００７９】
メモリ１１は、予め記憶した媒体ＩＤを、タイミング生成器１８から入力されるサブフレームカウント値ＣＮＴの更新されるタイミングで、１ビットずつサブフレームカウント値ＣＮＴに対応した副情報ＳＤとして取り出してＥＯＲ２０に出力する。
【００８０】
乱数発生器１９は、同様に入力されるサブフレームカウント値ＣＮＴの更新されるタイミングで１ビットずつ擬似乱数系列ＲＮを発生して、ＥＯＲ２０に出力する。なお、本実施の形態では、媒体ＩＤの記録を開始するターゲットアドレスを“Ｎ”として説明する。よって、タイミング生成器１８から乱数発生器１９の初期値をセットする初期値セットタイミング信号ＳＥＴは、アドレスＮのアドレスユニットの開始先頭より前に出力され、乱数発生器１９のＭ系列発生シフトレジスタに初期値がセットされている。なお、本初期値は前述のように、予め一方向性関数などによってデータ変換されたアドレスを用いても良いし、内部で秘密に記憶している初期値を用いても良い。また、Ｂｌｕ−ｒａｙは、実際にはアドレスユニットの先頭にアドレスが記録されているわけではなくＢＩＳ  Ｃｌｕｓｔｅｒというアドレスユニット内の離散的な領域に記録されているため、アドレスユニット先頭では、これから来るアドレスを確定していない。従って、追記マークを記録するターゲットアドレスのアドレスユニット直前のアドレスユニットからアドレスを抽出して、それに“＋２”をしたアドレスを乱数発生器１９の初期値として用いる（Ｂｌｕ−ｒａｙディスクでは、アドレスユニットごとにアドレスが“＋２”されている為）。
【００８１】
ＥＯＲ２０は、乱数発生器１９から入力される疑似乱数系列ＲＮと副情報ＳＤとのサブフレーム内の１ビットごとに排他的論理和を算出して拡散副情報ＲＳＤを生成し、ＰＥ変調器２１に出力する。
【００８２】
ＰＥ変調器２１は、入力されるＰＥ変調信号ＰＥと拡散副情報ＲＳＤとの排他的論理和を算出することによって拡散副情報ＲＳＤにＰＥ変調を施してＰＥ変調後拡散副情報ＰＲＳＤを生成してレーザ強度変調器２２に出力する。
【００８３】
レーザ強度変調器２２は、ＰＥ変調器２１から入力されるＰＥ変調後拡散副情報ＰＲＳＤの“Ｌ”の部分で再生強度のレーザ光を照射し、“Ｈ”の部分で記録強度のレーザ光を照射する。レーザ強度変調器２２は、ＰＥ変調後拡散副情報ＰＲＳＤの“Ｈ”のタイミングで記録レーザ光を照射して反射膜の反射率を変化させることによって追記マークを形成する。
【００８４】
以上のように、光ディスク記録装置６は、複写によって形成される凹凸マークＭＫのトラック上に、レーザ光を照射することによって追記マークを形成することによって媒体ＩＤを重畳記録する。よって、媒体ＩＤを記録していない凹凸マークのトラック上に追記マークを形成して媒体ＩＤの記録された光ディスクを作成することができる。
【００８５】
なお、本実施の形態のように凹凸マーク上に、凹凸マークの最長マーク長よりも大きい追記マークを形成する場合においては、凹凸マークの再生精度の影響を避けるためにも、再生時の凹凸マークの変調度特性に比べ、追記マークを記録することによる反射光レベルの変動を小さくする必要がある。これには、半径方向の追記マーク幅を凹凸マークの幅より小さくすることによって実現することが可能となる。一般的に、照射するレーザ光の強度の特定領域では、レーザ強度に応じて単調増加的に記録マーク幅が変化することが知られているので、レーザ強度を小さくして凹凸マーク幅以下の追記マーク形成を実現することができる。レーザ強度の調整には、高出力のパワー照射を行う時間を調整したり、レーザに流す電流値を制御してパワーの強度自体を調整したりして、凹凸マークの幅より小さい追記マークを記録することが可能となる。
【００８６】
次に、図４あるいは図７に示すように、レーザ光を照射することによって反射率を変化させて記録する追記マークが、凹凸マークで構成されるトラック間に形成されるときの光ディスク記録装置６の動作について補完的に説明する。
【００８７】
この場合も上述と同様に追記マークを形成するターゲットアドレスが“Ｎ”であった場合は、図６の光ディスク記録装置の追加動作として、フォーマッタ１７は、アドレス“Ｎ”を持つアドレスユニットの先頭位置でトラックジャンプ信号ＴＪを生成し、サーボ回路１４及びデジタル信号処理器１６に出力する。
【００８８】
サーボ回路１４は、フォーマッタ１７から入力されるトラックジャンプ信号ＴＪに基づいて、トラッキング位置を半トラック分移動させる。このときのサーボ回路１４のトラッキング制御方法は、レーザスポットの反射光に対してディスクの内周側の明度と外周側の明度の差が“０”になるようにトラッキング位置を制御するプッシュプル法が望ましい。なぜなら、プッシュプル法では、内周側及び外周側の明度差に基づいた制御であるのでスポットの中心に凹凸マークが無くても安定してトラッキング制御が可能となる。つまり、中心に凹凸マークがないトラック間でも安定にトラッキング制御を行うことができる。また、プッシュプル法では、凹凸マークのトラック間にトラッキング制御を行ったときと、トラック中心に制御を行ったときとでは、内周側／外周側の明度差と、実際にスポット位置を内周／外周に制御する関係が反転するため、プッシュプル制御の極性をトラックジャンプ時に反転させて制御を行う。
【００８９】
また、デジタル信号処理器１６は、フォーマッタ１７から入力されるトラックジャンプ信号ＴＪのタイミングから、追記マークを記録する領域内で、内部に持つＰＬＬ回路の発振周波数を固定し、出力するクロック周波数を保持する。通常、トラック間にトラッキング制御をしたとき、凹凸マークの安定した再生信号が得られず、ＰＬＬ回路の発振を固定することができず、追記マークを意図した位置に形成できないという問題があるが、クロック周波数を固定することによってこの問題を解決することができる。
【００９０】
また、通常、ＰＬＬ回路の発振周波数をロックしたとしても、記録時間が長ければ凹凸マークとクロックとの同期がはずれ、追記マークの形成位置がずれるという問題がある。このため、追記マークを例えば複数のＰｈｙｓｉｃａｌ  Ｃｌｕｓｔｅｒ単位、あるいは複数のアドレスユニット単位で形成し、追記マークを形成する度に、ターゲットアドレスの手前でＰＬＬ回路の周波数を凹凸マークの周波数に追従させる。これにより、記録時間は多少増大するものの、安定して追記マークの形成が可能となる。
【００９１】
サーボ回路１４は、追記マークを形成するターゲットアドレスを持つアドレスユニットの先頭位置で、トラック間にトラック位置を制御させる。その後、ＰＥ変調器２１は、乱数発生器１９で発生された擬似乱数系列ＲＮによって副情報ＳＤをスクランブルした拡散副情報ＲＳＤにＰＥ変調を施す。そして、レーザ強度変調器２２は、ＰＥ変調後拡散副情報ＰＲＳＤに基づいて、光ディスクに照射するレーザ強度を変調して照射し、凹凸マークによるトラックのトラック間に追記マークを形成する。このようにして、媒体ＩＤをトラック間に記録することが可能となる。
【００９２】
このようにすれば、追記マークを凹凸マークのトラック間に形成することが可能となり、凹凸マークの再生精度に一切影響を与えることなく、媒体ＩＤを記録することが可能となる。
【００９３】
なお、通常、トラック間に反射率を変化させた追記マークを形成した場合、再生時に凹凸マークにトラッキングを制御するときのトラッキング誤差信号に直流成分が入り込み、正常にトラッキング動作を行うことができるか懸念される。しかしながら、本実施の形態では、トラック間に形成する追記マークにＰＥ変調を施した記録パルスを使用するので、追記マークが形成された領域と形成されない領域が５０％の確率で存在する。トラッキング制御を行う帯域では、トラック間の反射率は、常に追記マークの反射率と追記マーク以外の反射率の平均となるため余計な直流成分は出力されない。
【００９４】
次に、図３あるいは図７に示すように、レーザ光を照射することによって凹凸マークのトラック上に間欠的な追記マークを形成することによって媒体ＩＤを記録する時の光ディスク記録装置６の記録動作について補完的に説明する。
【００９５】
この場合も上述と同様に追記マークを形成するターゲットアドレスが“Ｎ”であった場合は、図６の光ディスク記録装置の追加動作として、タイミング生成器１８は、アドレス“Ｎ”を持つアドレスユニットの先頭位置から、追記マークの形成を行う領域内で、１３８チャネルビット単位に“＋１”のカウントを行う前述のサブフレームカウンタから、３チャネルビットに１発の記録ゲート信号ＷＧを生成して、レーザ強度変調器２２に出力する。記録ゲート信号ＷＧは、サブフレームカウンタのカウント値を３で除算した余が“０”となるタイミングで出力すれば生成可能である。
【００９６】
ＰＥ変調器２１は、乱数発生器１９で発生した擬似乱数系列ＲＮによって副情報ＳＤをスクランブルした拡散副情報ＲＳＤにＰＥ変調を施し、ＰＥ変調後拡散副情報ＰＲＳＤをレーザ強度変調器２２に出力する。レーザ強度変調器２２は、ＰＥ変調後拡散副情報ＰＲＳＤと、タイミング生成器１８からの記録ゲート信号ＷＧとの論理積を算出した信号に基づいて、レーザ光を照射するための記録パルスＷＰを生成し、記録パルスＷＰを光学ヘッド１３へ出力する。光学ヘッド１３は、記録パルスＷＰに基づいて光ディスク上の凹凸マークのトラック上に記録強度のレーザ光を照射することによって、間欠的に追記マークを形成する。このようにして、トラック上に媒体ＩＤを間欠的に記録することができる。
【００９７】
このようにすれば、追記マークを凹凸マークの３チャネルビット間に１チャネルビット分だけ記録することができ、凹凸マークの再生精度への影響を低減させることが可能となる。また、追記マークを間欠的に記録することにより、目視による追記マークの判別をより困難にすることができ、副情報が光ディスクのどの位置に記録されているかの判別をより困難にすることができる。
【００９８】
なお、本実施の形態では、追記マーク長を凹凸マークの１チャネルビット分で説明したがこれに限るものではない。例えば、通常、光ディスク記録装置は、チャネルクロックより細かい単位で記録パルスの照射タイミングを変調するタイミング変調器（記録補償回路）を有している。これを用いれば、チャネルビット長よりも小さい領域にレーザ光を照射し、追記マークを形成できる。また、追記マーク長が凹凸マークの最短マーク長（Ｂｌｕ−ｒａｙディスクでは２チャネルビット）以下であれば、凹凸マークと追記マークとの分離が可能である。そのため、追記マーク長が凹凸マークの最短マーク長以下となるようにレーザ光を照射し、追記マークを形成してもよい。
【００９９】
また、凹凸マークの最短マーク長より大きい追記マークを離散的に形成することも本発明の範囲である。凹凸マークの最長マーク長より長い追記マークの記録方法については前述の通りである。しかしながらこの場合には、凹凸マーク長より半径方向に幅の狭い追記マークを形成することが望ましい。
【０１００】
以上のように、本実施の形態の光ディスク記録装置によって、凹凸マークのトラック上の反射膜にレーザ光を照射し、媒体固有の媒体ＩＤを光ディスクに記録することができる。また、本実施の形態の光ディスク記録装置は、一般的な光ディスク記録装置に対して、絶大なコストアップとなる構成要素を必要としないで媒体ＩＤの記録を実現できる。また、光ディスク１枚ごとに異なる媒体ＩＤを利用すれば、ネットワーク越しの認証サーバによって媒体を管理する、ネットワークベースの著作権管理を実現可能な光ディスクを提供することができる。
【０１０１】
なお、本実施の形態では、１フレームに１４ビットの媒体ＩＤを記録する方法を開示したが、本発明はこれに限るものではない。本発明の主眼は、フレーム構造に同期して媒体ＩＤを記録することであり、例えば、１フレームに１ビットの媒体ＩＤを記録してもよいし（この場合は、フレーム＝サブフレームとなる）、２フレームに１ビットの媒体ＩＤを記録してもよい（この場合は、フレーム＜サブフレーム）。
【０１０２】
また、フレーム同期に重要な役割のある同期符号の記録されている領域、アドレスの記録されている領域または特定フレームの領域には追記マークを記録しない方法も考えられる。このようにすれば、凹凸マークの再生精度の悪化を極力防ぐことが可能となる。
【０１０３】
また、追記マークの再生信頼性を向上させるために、同じビットを複数の離散した領域に複数回記録してもよい。これによって、光ディスク上に傷や埃などがあって読み取り精度の悪い領域があったとしても、繰り返し同じビットが記録されているので、媒体ＩＤのリーダビリティを向上させることができる。
【０１０４】
さらに、媒体ＩＤにエラー訂正符号が付与されていれば、媒体ＩＤの再生信頼性をさらに向上させることが可能である。この場合、エラー訂正のためのパリティビットは、本実施の形態で開示した光ディスク記録装置内で付与してもよいし、鍵管理機構で付与してもよい。また、エラー検出コードが付与されている場合、パリティによる誤訂正を判断できるためなおよい。
【０１０５】
（１−４）実施の形態１の光ディスク再生装置
図８は、実施の形態１の光ディスク製造方法の検査工程において用いられる光ディスク再生装置（検査装置）の構成を示すブロック図である。第２の製造工程３００では、凹凸マーク上にレーザ光を照射し、反射膜の反射率を変化させることにより追記マークを形成し、媒体ＩＤが重畳記録された光ディスクを作成している。光ディスク再生装置７は、第２の製造工程３００において媒体ＩＤが記録された光ディスクから媒体ＩＤを再生し、光ディスクに正常に媒体ＩＤが記録されているかを検査する。
【０１０６】
図８に示す光ディスク再生装置７は、スピンドルモータ１２、光学ヘッド１３、サーボ回路１４、アナログ信号処理器１５、デジタル信号処理器１６、フォーマッタ１７、エラー訂正器２４、タイミング生成器１８、乱数発生器１９、ＰＥ変調器２１、ＬＰＦ２５、２値化器２６、相関積分器２７、メモリ１１、再生精度算出器２８、認証符号検証器２９及びシステムコントローラ２３を備える。なお、光ディスク再生装置７の構成要素は、前述の実施の形態１の光ディスク記録装置６と同一装置内に実装されても良い。
【０１０７】
スピンドルモータ１２は、光ディスク再生装置７に光ディスク２４１が挿入されると、挿入された光ディスク２４１に対応した回転数で光ディスク２４１を回転させる。
【０１０８】
光学ヘッド１３は、スピンドルモータ１２によって挿入された光ディスク２４１の回転数が目的の回転数に達した後、光ディスク２４１に再生強度のレーザ光を照射し、その反射光からチャネル信号ＣＳを生成してアナログ信号処理器１５に出力する。
【０１０９】
アナログ信号処理器１５は、光学ヘッド１３から入力されるチャネル信号ＣＳに基づいて、レーザスポット位置の半径方向のズレを示すトラッキングエラー信号ＴＥとレーザスポットのフォーカス位置のズレを示すフォーカスエラー信号ＦＥとを抽出して、サーボ回路１４に出力する。また、アナログ信号処理器１５は、光学ヘッド１３から入力されるチャネル信号ＣＳを波形等化したり、増幅したりして凹凸マークに対応したアナログ再生信号ＡＳを抽出してデジタル信号処理器１６及びＬＰＦ２５に出力する。
【０１１０】
サーボ回路１４は、アナログ信号処理器１５から入力されるフォーカスエラー信号ＦＥに基づいてフォーカス位置のズレ量を補正するためのフォーカス制御信号ＦＣを算出するとともに、トラッキングエラー信号ＴＥに基づいてトラッキング位置のズレ量を補正するためのトラッキング制御信号ＴＣを算出して光学ヘッド１３に出力する。光学ヘッド１３は、これらの制御信号を基にレーザスポットのフォーカス位置とトラッキング位置を補正してレーザ光を照射する。また、サーボ回路１４は、再生信号に基づいて線速度を算出し、回転数を制御するための回転制御信号ＳＣを生成してスピンドルモータ１２に出力する。スピンドルモータ１２は、サーボ回路１４から入力される回転制御信号ＳＣに基づいて回転数を補正する。
【０１１１】
デジタル信号処理器１６は、内部にＰＬＬ（Ｐｈａｓｅ  Ｌｏｃｋｅｄ  Ｌｏｏｐ）回路を備え、アナログ信号処理器１５から入力されるアナログ再生信号ＡＳに同期したクロック信号ＣＫを抽出するとともに、抽出したクロック信号ＣＫでアナログ再生信号ＡＳをサンプリングして量子化した後、２値化してデジタル再生信号ＤＳを生成し、フォーマッタ１７に出力する。また、デジタル信号処理器１６は、抽出したクロック信号ＣＫをタイミング生成器１８及び２値化器２６に出力する。
【０１１２】
フォーマッタ１７は、デジタル信号処理器１６から入力されるデジタル再生信号ＤＳから一定周期ごとに付与されている同期パターンを検出し、デジタル再生信号ＤＳをフレーム構造にフォーマットする。また、フォーマッタ１７は、同期パターンに基づいて、所定数のフレームのアドレスを含む集合をアドレスユニット単位にフォーマットする。また、フォーマッタ１７は、アドレスを基に、エラー訂正を行うＰｈｙｓｉｃａｌ  Ｃｌｕｓｔｅｒ単位にフォーマットする。このようにフォーマットされた再生信号はフォーマットデータＦＤとしてエラー訂正器２４に出力される。また、フォーマッタ１７は、フレーム単位の同期パターンの検出タイミングである同期符号検出タイミング信号ＳＹをタイミング生成器１８に出力する。また、フォーマッタ１７は、アドレスユニット単位に付与されたアドレス情報ＡＤＲを乱数発生器１９に出力する。
【０１１３】
タイミング生成器１８は、媒体ＩＤを再生するターゲットアドレスを持つアドレスユニットの先頭位置で乱数発生器１９へ初期値をセットするタイミングを示す初期値セットタイミング信号ＳＥＴを生成して、乱数発生器１９に出力する。なお、本実施の形態では、ターゲットアドレスが予めシステムコントローラ２３に設定されているものとして説明する。
【０１１４】
タイミング生成器１８は、デジタル信号処理器１６から入力されるクロック信号ＣＫと、フォーマッタ１７から入力される同期符号検出タイミング信号ＳＹとに基づいて動作するカウンタを備える。カウンタは、クロック信号ＣＫに同期してフレーム内のクロックをカウントするとともに、同期符号検出タイミング信号ＳＹのタイミングで、保持しているカウント値をリセットする。また、カウンタは、媒体ＩＤ（副情報）の１ビットを検出するためのサブフレーム単位に１を加算するカウンタを併設しており、このサブフレームカウント値ＣＮＴを乱数発生器１９、相関積分器２７及びメモリ１１に出力する。また、タイミング生成器１８は、サブフレーム内で前の半分が“Ｌ”、後の半分が“Ｈ”となるようなＰＥ変調信号ＰＥを生成してＰＥ変調器２１に出力する。
【０１１５】
乱数発生器１９は、シフトレジスタからなる一般的なＭ系列発生回路で構成され、タイミング生成器１８から入力される初期値セットタイミング信号ＳＥＴの出力されるタイミングで、フォーマッタ１７から入力されるアドレス情報ＡＤＲを、擬似乱数系列ＲＮを発生させる初期値としてＭ系列発生回路のシフトレジスタにセットする。また、乱数発生器１９は、タイミング生成器１８から入力されるサブフレームカウント値ＣＮＴが更新されるタイミングでシフトレジスタをシフトして１ビットの擬似乱数系列ＲＮを生成してＰＥ変調器２１に出力する。なお、乱数発生器１９は、本実施の形態の光ディスク記録装置６における乱数発生器１９と同一の形態を有する。
【０１１６】
ＰＥ変調器２１は、乱数発生器１９から入力される擬似乱数系列ＲＮに、タイミング生成器１８から入力されるＰＥ変調信号ＰＥに基づいてＰＥ変調を施す。ＰＥ変調器２１は、一般的な排他的論理和ゲートで構成され、擬似乱数系列ＲＮとＰＥ変調信号ＰＥとの排他的論理和を算出することで相関系列ＰＥＲを生成して相関積分器２７に出力する。
【０１１７】
ＬＰＦ２５は、アナログ信号処理器１５から入力されるアナログ再生信号ＡＳの帯域制限を行う一般的な低域通過フィルタで構成され、アナログ再生信号ＡＳの低域成分のみを抽出して帯域制限再生信号ＬＰＳを生成して２値化器２６に出力する。なお、ＬＰＦ２５は、凹凸マークの最長マークよりも遅い帯域を通過させるためのフィルタである。これによって、再生信号から凹凸マークを示す帯域を制限した帯域制限再生信号ＬＰＳがＬＰＦ２５から２値化器２６に出力される。２値化器２６は、ＬＰＦ２５から入力される帯域制限再生信号ＬＰＳの直流成分をカットして、デジタル信号処理器１６から入力されるクロック信号ＣＫに同期して帯域制限再生信号ＬＰＳのゼロクロス点を検出して２値化再生信号ＢＳを生成して相関積分器２７に出力する。
【０１１８】
相関積分器２７は、内部にアップダウンカウンタを有し、ＰＥ変調器２１からの相関系列ＰＥＲと、２値化器２６からの２値化再生信号ＢＳとの相関を算出して積分する。アップダウンカウンタは、相関系列ＰＥＲと２値化再生信号ＢＳとに相関が認められるとき、すなわち相関系列ＰＥＲが“Ｈ”でありかつ２値化再生信号ＢＳが“Ｈ”であるとき、あるいは相関系列ＰＥＲが“Ｌ”でありかつ２値化再生信号ＢＳが“Ｌ”であるときに内部のカウンタをインクリメントする。
【０１１９】
一方、アップダウンカウンタは、相関系列ＰＥＲと２値化再生信号ＢＳとに相関が認められないとき、すなわち相関系列ＰＥＲが“Ｈ”でありかつ２値化再生信号ＢＳが“Ｌ”であるとき、あるいは相関系列ＰＥＲが“Ｌ”でありかつ２値化再生信号ＢＳが“Ｈ”であるときに内部のカウンタをデクリメントする。また、相関積分器２７は、タイミング生成器１８から入力されるサブフレームカウント値ＣＮＴが更新されるタイミングで、保持している相関積分値ＣＩＮをメモリ１１に出力した後、相関積分値を“０”に初期化する。従って、媒体ＩＤの１ビットを検出する範囲であるサブフレーム内での、相関系列ＰＥＲと２値化再生信号ＢＳとの積分値がメモリ１１に出力される。
【０１２０】
メモリ１１は、タイミング生成器１８から入力されるサブフレームカウント値ＣＮＴに対応したメモリ空間に記憶されている値に、相関積分器２７から入力される相関積分値ＣＩＮを加算して記憶する。よって、メモリ１１は、媒体ＩＤの全ビットに対応したそれぞれのメモリ空間を持ち、媒体ＩＤの再生中には、媒体ＩＤの１ビットごとの積分値が記憶される。
【０１２１】
認証符号検証器２９は、メモリ１１の媒体ＩＤの各ビットに対応した積分値のうち、符号ビットを媒体情報として入力する。すなわち、認証符号検証器２９は、積分値が“＋”のときは、ビット値＝“０”、積分値が“−”のときは、ビット値＝“１”を媒体ＩＤとして算出する。認証符号検証器２９は、算出した媒体ＩＤに付与されている認証符号に基づいて、読み出した媒体ＩＤが正常であるか、または改竄が無いかを判定する。この認証符号にはデジタル署名やＭＡＣが用いられ、認証符号検証器２９は、デジタル署名の署名検証が正常であるか、あるいは付与されているＭＡＣが正常であるかを判定する。認証符号検証器２９は、正常であると判定された場合、抽出した媒体ＩＤを出力し、正常でないと判断された場合、継続して再生動作を行う。但し、再生動作が規定時間以上続いてもなお正常な媒体ＩＤが検出できていない場合には、不正ディスクあるいは欠陥ディスクとして排除し、再生動作を完了する。なお、媒体ＩＤにエラー訂正やエラー検出のためのパリティが付与されているときは、これに基づいて再生動作の継続を判定してもよい。すなわち、認証符号検証器２９は、メモリの符号ビットから媒体ＩＤを抽出し、付与されているパリティによってエラー訂正やエラー検出を行う。エラーと判断されれば、再生動作を継続し、エラーと判断されない場合はデジタル署名検証やＭＡＣ検証を行う。
【０１２２】
再生精度算出器２８は、メモリ１１からの媒体ＩＤの各ビットに対応した積分値を入力し、積分値の絶対値の平均と標準偏差とを求め、平均と標準偏差とに基づくガウス分布から、媒体ＩＤのビットエラー率を推定して、これを閾値判定することによって、正常に媒体ＩＤが記録されているかを判定する。閾値に満たない、すなわち、正常に媒体ＩＤが記録されていないと判定した場合には、再生しているディスクを欠陥品として排除する。また、上記のビットエラー率の推定は、上記ガウス分布のマイナス無限大から０までの積分によって求めることができる。
【０１２３】
なお、本実施の形態において、スピンドルモータ１２、光学ヘッド１３、サーボ回路１４及びアナログ信号処理器１５がトラッキング部の一例に相当し、アナログ信号処理器１５が再生信号抽出部の一例に相当し、デジタル信号処理器１６がクロック抽出部の一例に相当し、ＬＰＦ２５及び２値化器２６が分離部の一例に相当し、フォーマッタ１７、タイミング生成器１８、乱数発生器１９、ＰＥ変調器２１、相関積分器２７及びメモリ１１が副情報再生部の一例に相当し、フォーマッタ１７が同期符号検出部の一例に相当し、ＬＰＦ２５が帯域制限フィルタの一例に相当し、乱数発生器１９が相関系列生成部の一例に相当し、相関積分器２７が相関検出部の一例に相当し、認証符号検証器２９が再生部の一例に相当する。
【０１２４】
次に、光ディスク再生装置７の動作について詳細に説明する。図９は、実施の形態１における光ディスク再生装置の特徴的な動作を示すタイミングチャートである。なお、以下の説明では、光ディスクをＢｌｕ−ｒａｙ  ＲＯＭディスクとして説明する。
【０１２５】
光ディスク再生装置７のデジタル信号処理器１６から出力されるデジタル再生信号ＤＳは、エラー訂正の単位（ユーザデータで６４キロバイト）であるＰｈｙｓｉｃａｌ  Ｃｌｕｓｔｅｒが連続して再生される。Ｐｈｙｓｉｃａｌ  Ｃｌｕｓｔｅｒは、１６のアドレス情報ＡＤＲが付与されたアドレスユニットからなる。アドレスユニットは、同期符号が付与された３１のフレームからなり、１フレームは、１９３２チャネルビットからなる。
【０１２６】
ここで、媒体ＩＤの検出を開始するターゲットアドレスを“Ｎ”とすると、タイミング生成器１８は、アドレス“Ｎ”が付与されたアドレスユニットの先頭位置で、乱数発生器１９に初期値セットタイミング信号ＳＥＴを出力し、フォーマッタ１７は、アドレス“Ｎ”を乱数発生器１９に出力する。
【０１２７】
タイミング生成器１８は、１フレーム内で媒体ＩＤの１ビットを検出するサブフレーム（１サブフレームは１３８チャネルビット）単位に１を加算するカウンタを有し、このカウンタのカウント値をサブフレームカウント値ＣＮＴとして乱数発生器１９、相関積分器２７及びメモリ１１に出力する。
【０１２８】
乱数発生器１９は、タイミング生成器１８からの初期値セットタイミング信号ＳＥＴの出力タイミングで、内部のシフトレジスタに、フォーマッタ１７から出力されたアドレス“Ｎ”を初期値としてセットする。また、乱数発生器１９は、タイミング生成器１８からのサブフレームカウント値ＣＮＴの更新されるタイミングで内部のシフトレジスタをシフトして１ビットずつ擬似乱数系列ＲＮを発生し、ＰＥ変調器２１に出力する。
【０１２９】
また、タイミング生成器１８は、サブフレームの前半の６９チャネルビットが“Ｌ”で、後半の６９チャネルビットが“Ｈ”となるＰＥ変調信号ＰＥを生成してＰＥ変調器２１に出力する。ＰＥ変調器２１は、タイミング生成器１８から入力されるＰＥ変調信号ＰＥと、乱数発生器１９から出力される擬似乱数系列ＲＮの排他的論理和を算出して、相関系列ＰＥＲを生成し、相関積分器２７に出力する。
【０１３０】
また、図９では、３種類の追記マークＳＭＫの記録形態を示しており、いずれも光ディスク上の凹凸マークＭＫと、レーザ光が照射されることによって反射率の変化した追記マークＳＭＫとの記録形態を示している。いずれにしても、追記マークＳＭＫの記録されていない部分より、追記マークＳＭＫの記録された部分では、アナログ信号処理器１５から出力されるアナログ再生信号ＡＳの示す反射光レベルが平均的に大きくなる。これは、光ディスクに付与された反射膜が、レーザ光が照射されることによって反射率が上がる特性を有しているからである。
【０１３１】
また、追記マークＳＭＫの反射光強度への影響である変調度ｒ２は、凹凸マークＭＫの反射光レベルの変調度ｒ１に比べて小さい。望ましくは、追記マークＳＭＫの反射光レベルの変調度ｒ２は、凹凸マークＭＫの反射光レベルの変調度ｒ１の１／２（半分）以下であれば、追記マークＳＭＫの記録による凹凸マークＭＫの再生精度への影響を希少化することができる。なお、前述のような反射光レベルの関係は、追記マークＳＭＫを記録するときのレーザ強度を調整したり、レーザ光を照射する時間を調整したりして、凹凸マークＭＫのトラック方向への幅に対して、追記マークＳＭＫのトラック方向への幅を小さくすることで実現できる。
【０１３２】
また、図９に示すように凹凸マークＭＫのトラック間に追記マークＳＭＫがある場合にも、通常、凹凸マークＭＫを読み出すときのレーザスポットは、凹凸マークＭＫのトラック方向への幅よりも広く、追記マークＳＭＫの形成された領域でのアナログ再生信号ＡＳの反射光レベルの特性が変化してしまう。
【０１３３】
また、離散的に追記マークＳＭＫを配した場合においても、追記マークＳＭＫを形成した部分では反射率が高くなり、アナログ再生信号ＡＳの反射光レベルの特性が変化する。
【０１３４】
通常、光ディスク再生装置では、アナログ再生信号ＡＳのゼロクロス点の誤差を検出して、誤差に追従して補正するいわゆるベースラインコントロール回路を具備している場合が多い。しかしながら、本実施の形態における追記マークＳＭＫは、サブフレーム（＝１３８チャネルビット＝Ｂｌｕ−ｒａｙディスク１倍速で約４８０ＫＨｚ）単位に形成され、通常のベースラインコントロール回路の追従帯域外であり、ゼロクロス点が補正されて追記マークＳＭＫの再生が不可能になることはない。
【０１３５】
ＬＰＦ２５は、アナログ信号処理器１５から入力されるアナログ再生信号ＡＳに通過帯域制限を施す帯域制限回路（フィルタ）で構成され、本実施の形態では、カットオフ周波数として、サブフレームの帯域より高く、凹凸マークの最長マーク長のマーク／ランドの組み合わせの帯域よりも低い帯域が設定された低域通過フィルタによって実現されている。ＬＰＦ２５を通過して得られる帯域制限再生信号ＬＰＳは、追記マークＳＭＫが施されている部分で“Ｈ”となり、追記マークＳＭＫが施されていない部分で“Ｌ”となる。
【０１３６】
２値化器２６は、ＬＰＦ２５から入力される帯域制限再生信号ＬＰＳを、デジタル信号処理器１６からのクロック信号ＣＫに同期させて、ゼロクロス点を算出して２値化して、２値化再生信号ＢＳを生成し、相関積分器２７に出力する。
【０１３７】
相関積分器２７は、タイミング生成器１８のサブフレームカウント値ＣＮＴの示すサブフレームの範囲で、２値化器２６からの２値化再生信号ＢＳとＰＥ変調器２１からの相関系列ＰＥＲとの相関値を積分してメモリ１１に出力する。すなわち、相関積分器２７は、クロック信号ＣＫに同期して、相関系列ＰＥＲが“Ｈ”であり、かつ２値化再生信号ＢＳが“Ｈ”であるとき、あるいは相関系列ＰＥＲが“Ｌ”であり、かつ２値化再生信号ＢＳが“Ｌ”であるとき、両者に相関があると判断して内部のアップダウンカウント値をインクリメントする。
【０１３８】
一方、相関積分器２７は、相関系列ＰＥＲが“Ｈ”であり、かつ２値化再生信号ＢＳが“Ｌ”であるとき、あるいは相関系列ＰＥＲが“Ｌ”であり、かつ２値化再生信号ＢＳが“Ｈ”であるとき、両者に相関がないと判断して内部のアップダウンカウント値をデクリメントする。相関積分器２７は、これをサブフレーム内で繰り返し行い、サブフレーム内の媒体ＩＤの１ビットに対応する積分値を算出する。また、相関積分器２７は、タイミング生成器１８からのサブフレームカウント値ＣＮＴの更新されるタイミングで、内部に保持している１ビット分の相関積分値ＣＩＮをメモリ１１に出力するとともに、内部に保持していた積分値をリセットする。
【０１３９】
メモリ１１は、相関積分器２７から入力される１ビット分の相関積分値ＣＩＮを、タイミング生成器１８から入力されるサブフレームカウント値ＣＮＴの示すメモリ空間に記憶されている値に加算する。
【０１４０】
認証符号検証器２９は、媒体ＩＤの１ビットに対応したメモリ１１の符号ビットを入力し、付与された認証符号やエラー訂正符号から正常な読み出しができているかを確認する。システムコントローラ２３は、認証符号検証器２９が検証の結果、正常な媒体ＩＤの読み出しを確認した時点で、再生動作を終了する。一方、システムコントローラ２３は、認証符号検証器２９によってデジタル署名検証又はＭＡＣ検証で不正と判断されたり、エラー訂正不能又はエラービット有りと判断された場合には、再生動作を継続して、媒体ＩＤのビット毎の積分動作を継続する。また、システムコントローラ２３は、指定時間範囲内に正常な媒体ＩＤの読み出しが不可能であった場合には、不正ディスクとして排除する。
【０１４１】
再生精度算出器２８は、媒体ＩＤの各ビットの積分値をメモリ１１から取得し、各ビット毎の積分値の絶対値の平均値及び標準偏差を算出し、これらをガウス分布に近似して、媒体ＩＤのビットエラーレートを推測し、そのビットエラーレートを基に光ディスクの検証を行う。再生精度算出器２８は、検証結果が規定値以上のビットエラーレートであった場合には、媒体ＩＤの読み出し精度の悪い光ディスクとして判定する。読み出し精度が悪いと判定された光ディスクは、排除される。
【０１４２】
なお、媒体ＩＤの読み出し精度を検査する検査工程においては、不正ディスクであると判断する判断基準を十分に低く見積もる必要がある。なぜならば、光ディスク再生装置間で媒体ＩＤの読み出しの信頼性にもばらつきがあるため、これらも十分に考慮した規定値を設定する必要がある。また、本実施の形態では、メモリ１１に記憶された積分値の平均とばらつきとに基づいて、媒体ＩＤの読み出し精度の信頼性を推測しているが、本発明は特にこれに限定されず、ばらつきはある程度光ディスク内では固有に出力されるため、単に平均値だけから推測しても構わない。
【０１４３】
また、媒体ＩＤの読み出し精度の信頼性の指標として、媒体ＩＤが認証符号検証器２９によってエラー訂正可能あるいはエラービット無しと判断されるまでの積分時間自体を用いても構わない。なぜならば、媒体ＩＤの記録精度がよい場合には、読み出しのための積分時間が短く、悪い場合には積分時間が多くかかるためである。例えば、媒体ＩＤのビット毎の積分値が完全にガウス分布をなしているとすると、媒体ＩＤの信号成分が半分になれば同じ精度で媒体ＩＤを読み出すための時間は４倍必要となる。
【０１４４】
以上のように、本実施の形態の光ディスク再生装置７は、凹凸マーク上の反射膜の反射率を変化させた追記マークによって媒体ＩＤが記録された光ディスクから、凹凸マークの主情報を再生するのと同時に、再生信号の反射光レベルの変動を積分することによって媒体ＩＤを再生する。また、媒体ＩＤのビット毎の積分値の平均値及びばらつき、または媒体ＩＤの読み出しが完了するまでの時間に基づいて媒体ＩＤの記録精度を判定し、記録精度が悪いと判定された光ディスクは、不正ディスクとして排除する。また、媒体ＩＤは、デジタル署名情報、ＭＡＣ、あるいはエラー訂正符号化されることによって記録されており、デジタル署名検証不可のとき、ＭＡＣ検証不可のとき、あるいはエラー訂正不能のときは十分な積分が成されていないとして積分動作を継続するとともに、積分時間が規定時間より長くなった場合には不正ディスクと判断して光ディスクを排除する。
【０１４５】
なお、本実施の形態において、媒体ＩＤが記録される記録場所は、コントロール領域ＣＴＬに限定されず、光ディスク上のユーザ領域ＵＳＲであってもよく、凹凸マークでアドレス情報が記録される領域であればいかなる領域でも構わない。
【０１４６】
また、本実施の形態における光ディスクは、凹凸マークによって情報が記録されている再生専用の光ディスクとして説明しているが、本発明はこれに限定されない。ウォブルトラックを有し追記膜や相変化膜の付与された追記ディスクや書き換えディスクにおいても、レーザ光を照射することによって主情報を記録した後、再度、同領域にレーザ光を照射して媒体ＩＤを記録することも可能である。これによって、追記ディスクや書き換えディスクにおいても媒体ＩＤを記録することができる。これらのディスクでは、媒体ＩＤを主情報の暗号化の鍵として記録することができれば、記録ごとに鍵を変化させて記録可能な光ディスクを提供することができ著作権保護の強度を向上することができる。
【０１４７】
また、本発明を用いれば、再生専用の光ディスクであっても媒体ＩＤが記録できるので、ネットワーク型の著作権管理を実現しうる。すなわち、ネットワークを介して接続された管理サーバによって、光ディスクに記録したコンテンツの再生、移動あるいは複製に関する回数情報を管理する。これにより、再生専用の光ディスクであったとしても、バックアップの目的でコンテンツをハードディスク等の他の媒体に複製したり、ハードディスクにコンテンツを移動させて視聴するというようなユーザにとって利便性のある使用方法を提供することができる。なお、例えば、光ディスクからハードディスクにコンテンツを移動させたときは、移動時に管理サーバに自身の媒体ＩＤを送付し、管理サーバでは媒体ＩＤに関連付けてコンテンツが移動していることを記録する。管理サーバは、媒体ＩＤを含むコンテンツの再生許可願いを受け取ったら自身に記憶した管理情報によってコンテンツが移動済みであると判断して、再生願いを棄却する。このようなシステムを構築することにより、著作権を保護しつつ、コンテンツを移動できる環境を提供できる。
【０１４８】
（実施の形態２）
（２−１）実施の形態２の光ディスク
図１０は、実施の形態２に係る光ディスクの構造を示す概念図である。図１０に示す光ディスク１は、光ディスク記録装置や光ディスク再生装置にローディングされるときクランプされるクランプ領域ＣＬＰと、著作権に関する情報、光ディスク１の物理特性あるいは光ディスク１の管理情報が凹凸マークによって記録されている内周側及び外周側の２つのコントロール領域ＣＴＬと、例えば暗号化された映画タイトルやＰＣデータ情報が凹凸マークによって記録されたユーザ領域ＵＳＲとから構成される。
【０１４９】
また、光ディスク１の少なくともユーザ領域ＵＳＲとコントロール領域ＣＴＬとは、ポリカなどの光ディスク基板１Ｐに凹凸マークを転写して、その上にレーザ光が照射されることによって反射率の変化する反射膜１Ｌを付与した後、保護膜１Ｃを付与して形成されている。
【０１５０】
また、光ディスク１の内周側のコントロール領域ＣＴＬには、レーザ光が照射されることによって凹凸マークＭＫ上の反射膜の反射率を変化させた、あるいは反射膜自体を除去した、光ディスクの半径方向に長く、かつ凹凸マークの成すトラックを横断するプリマークＰＭが、光ディスクの反射膜を付与した後に形成されている。また、プリマークＰＭの円周方向の長さは凹凸マークＭＫの最長マークよりも長く記録されている。このプリマークＰＭは、レーザ光が照射されることによって反射率が向上する、あるいは減少する記録マークとしてもよいし、例えば反射膜を除去する場合には無反射のマークとして記録しても良い。
【０１５１】
また、光ディスクのアドレス情報を有する領域、すなわち、少なくともコントロール領域ＣＴＬ及びユーザ領域ＵＳＲには、ディスク整形し、プリマークＰＭを記録した後、実施の形態１の媒体ＩＤの記録方法と同様に、凹凸マークＭＫのトラック上にレーザ光を照射して追記マークを形成することによって、凹凸マークＭＫで記録されたアドレス位置から、プリマークＰＭまでの距離を物理位置情報として記録する。また、物理位置情報は、凹凸マークＭＫの基準位置であるアドレスを含むとともに、１つのプリマークＰＭに対して、一定距離半径方向に乖離した少なくとも２点が１組として記録される。
【０１５２】
よって、本実施の形態の光ディスク１のコントロール領域ＣＴＬには、アドレスを含む凹凸マークＭＫが転写され、その反射膜にレーザ光を照射することによって、反射膜の反射率を変化させた、あるいは反射膜を除去したプリマークＰＭが追記される。また、凹凸マークＭＫの基準となるアドレス位置からプリマークＰＭまでの半径方向の距離が物理位置情報として取得される。また、物理位置情報は、１つのプリマークＰＭに対して異なる半径位置で２回以上検出される。そして、少なくともユーザ領域ＵＳＲあるいはコントロール領域ＣＴＬのアドレスの記録された領域の凹凸マークＭＫのトラックに基づいて、レーザが照射され、トラック上の反射膜の反射率を変化させて形成する追記マークとして物理位置情報が記録されている。
【０１５３】
本実施の形態におけるプリマークＰＭは、光ディスク半径方向に長い。従って、これを複製する場合には、光ディスクの記録開始位置、回転数及び線速度などをすべてコピー元とコピー先とで同一に必要がある。これらが、多少たりともずれていると、コピー元の再生位置（角度位置）とコピー先の記録位置（角度位置）とにずれが生じ、半径方向に直線的な記録マークとして複製することが不可能になる。従って、このようなマークをそのまま複製することは極めて困難となる。
【０１５４】
また、記録時に基準のアドレス位置からプリマークＰＭまでの距離（物理位置情報）が、再生クロックによって計測されて、凹凸マーク上の追記マークとして記録されている。また、１つのプリマークＰＭに対して、少なくとも１つの基準アドレスから、半径方向に数トラック乖離した２点までの物理位置情報が記録されている。再生時には、追記マークを再生して、ターゲットアドレスと少なくとも２点の記録時の物理位置情報が取得されて、取得したターゲットアドレスからプリマークまでの物理位置情報が少なくとも記録時と同様の２点で確認される。
【０１５５】
従って、不正に複製された光ディスクでなければ、これら記録時の物理位置情報と、再生時の物理位置情報とには相関があり、光ディスクの再生が許可される。一方、これらに相関が無ければ、不正コピーによって複製された光ディスクであると判断されて光ディスクの再生が許可されない。また、１つのアドレス位置から１つのプリマークＰＭの少なくとも２点の物理位置情報を比較することによって、プリマークＰＭが半径方向に対して直線的であるか否かの判定を行うことができる。通常、不正コピーによってコピー元の記録位置とコピー先の記録位置とがずれれば、半径方向への直線性を失ったプリマークＰＭが複製される。このように少なくとも２点の物理位置情報を検証することによって直線性が判断されるので、不正コピーへの耐性を向上させることができる。
【０１５６】
また、プリマークＰＭは、光ディスク１の円周上に複数設けても良い。これら全てのプリマークＰＭの物理位置情報が確認されることにより、不正コピーへの耐性を向上させることができる。
【０１５７】
また、本実施の形態におけるプリマークＰＭの記録位置は、内周側のコントロール領域ＣＴＬであると説明しているが、外周側のコントロール領域ＣＴＬ、あるいはユーザ領域ＵＳＲであってもよく、アドレス情報の記録されている領域であればいかなる領域であっても構わない。
【０１５８】
また、プリマークＰＭの記録位置と追記マークの記録位置とは、互いに所定半径距離を乖離して記録されることが望ましい。なぜなら、ともに反射膜の反射率を変化させることによって記録するので、同じ領域に記録すればこれらの情報を分離することが困難となるためである。
【０１５９】
（２−２）実施の形態２の光ディスク製造方法
図１１は、実施の形態２における光ディスク製造方法を示す模式図である。実施の形態２における光ディスク製造方法は、オーサリング工程１００、第１の製造工程２００、第２の製造工程５００、第３の製造工程６００及び第４の製造工程７００の手順で光ディスクを作成する。
【０１６０】
オーサリング工程１００は、実施の形態１のオーサリング工程１００と同様の工程であり、光ディスクに記録するコンテンツデータを、光ディスクのフォーマットにオーサリングする工程であり、記録するコンテンツデータを鍵管理機構によって作成された暗号鍵を用いて暗号化し、暗号化したコンテンツデータをオーサリングして、第１の製造工程２００に出力する。
【０１６１】
第１の製造工程２００は、実施の形態１における第１の製造工程２００と同様の工程であり、入力工程２０１、マスタリング工程２０２、スタンプ工程２０３、スパッタリング工程２０４及び保護膜付与工程２０５が順に行われることで、物理位置情報が記録されていない光ディスク４０が成形される。すなわち、入力工程２０１において、オーサリング工程１００でオーサリングされたコンテンツデータが入力され、マスタリング工程２０２において、光ディスク原盤が作成され、スタンプ工程２０３において、スタンパを作成して光ディスク基盤にスタンプすることで、凹凸記録マークが転写され、スパッタリング工程２０４において、凹凸マーク上にレーザが照射されることによって反射率が変化する反射膜が蒸着され、保護膜付与工程２０５において、凹凸マーク上に保護膜が付与されて光ディスク４０が成形される。成形された光ディスク４０は、第２の製造工程５００に移される。
【０１６２】
第２の製造工程５００において、プリマーク記録装置７０は、光ディスクの内周側のコントロール領域ＣＴＬに対応した半径位置に、レーザ光を照射することによって半径方向に直線的なプリマークを記録する。プリマーク記録装置７０は、第１の製造工程２００において成形された光ディスク４０をローディングすると、ＣＡＶ（Ｃｏｎｓｔａｎｔ  Ａｎｇｕｌａｒ  Ｖｅｌｏｃｉｔｙ）制御によって光ディスクを回転させる。プリマーク記録装置７０は、光ディスク４０が所定の回転数に達したとき、プリマークを記録する半径位置に光学ヘッドを移動させ、ディスク一回転に同期した回転同期信号に同期して間欠的にレーザ光を照射し、光ディスク一回転ごとに所定量光学ヘッドを外周側に移動させる。これを連続して行うことで、光ディスク４０上に半径方向に長いプリマークが形成される。
【０１６３】
なお、プリマーク記録装置７０は、半導体レーザを照射して、反射膜の反射率を変化させてプリマークを形成する形態でもよいし、ＹａＧレーザを用いたイニシャライザによってビームを照射して、反射膜をトリミングすることによってプリマークを記録してもよい。第２の製造工程５００において光ディスクの内周側のコントロール領域ＣＴＬにプリマークの形成された光ディスク５０は、第３の製造工程６００に移される。
【０１６４】
第３の製造工程６００は、第２の製造工程５００でプリマークの形成された光ディスク５０から、凹凸マークによるアドレス情報を基準にプリマークの物理位置情報を計測する工程である。
【０１６５】
物理位置情報取得装置８０は、第２の製造工程５００においてプリマークが形成された光ディスク５０をローディングすると、内周側のコントロール領域ＣＴＬのプリマークの形成された半径位置に光学ヘッドを移動させる。続いて、物理位置情報取得装置８０は、凹凸マークで記録されているアドレス情報を基準にプリマークの光ディスク上における物理位置情報を計測する。物理位置情報は、凹凸マーク再生時の再生クロックをカウントすることで算出される基準のアドレス位置からプリマークの開始点までのクロック数である。すなわち、物理位置情報取得装置８０は、基準アドレス位置からの距離あるいは角度に関する情報として物理位置情報を取得する。
【０１６６】
また、物理位置情報取得装置８０は、１つのアドレス基準位置から半径方向に所定距離だけ乖離した少なくとも２点のプリマーク位置を計測して、基準アドレス情報と対応付けて、第４の製造工程７００に出力する。
【０１６７】
また、物理位置情報取得装置８０は、円周方向に複数のプリマークが存在するときは、２つ以上のプリマークの物理位置情報を検出して第４の製造工程７００に出力する。
【０１６８】
第４の製造工程７００は、実施の形態１の第２の製造工程３００と同様の工程であり、実施の形態１では所定アドレス位置からレーザ光を照射して反射膜の反射率を変化させることによって媒体ＩＤを記録するが、本実施の形態では、第３の製造工程６００において取得された物理位置情報をさらに記録する点が異なる。なお、第４の製造工程７００では、実施の形態１の第２の製造工程３００と同様の光ディスク記録装置６が用いられるので、本実施の形態では詳細な説明を省略する。
【０１６９】
図１２は、第３の製造工程６００で検出されて第４の製造工程７００に出力される、基準アドレス位置からプリマークまでの位置を表す物理位置情報のデータフォーマットを示す図である。物理位置情報９０は、媒体ＩＤ９１、プリマーク位置情報９２及び改竄防止符号９３によって構成される。
【０１７０】
媒体ＩＤ９１は、実施の形態１の媒体ＩＤと同様であり、鍵管理機構から発行される光ディスク１枚毎に個別の識別情報である。
【０１７１】
プリマーク位置情報９２は、光ディスク製造方法の第３の製造工程６００において、凹凸マークで記録されたアドレス情報を基準として、プリマークの開始位置までの再生クロックのクロック数と、凹凸マークのアドレス位置とを対応させたデータである。なお、円周方向に複数のプリマークが記録されている場合には、それぞれに対応した基準アドレスを含む。また、１つのアドレス位置からは、同じプリマークの所定半径位置乖離した少なくとも２つのプリマーク位置情報９２が検出される。すなわち、図１２のプリマーク位置情報９２は、基準アドレス１に対して、プリマーク開始位置１Ａ及びプリマーク開始位置１Ｂが対応付けられている。プリマーク開始位置１Ａは、基準アドレスと同じトラックで検出したプリマークの開始位置であり、プリマーク開始位置１Ｂは、基準アドレス１から数トラック外周側、あるいは内周側に移動して獲得したプリマークの開始位置である。
【０１７２】
改竄防止符号９３は、例えばＭＡＣ（Ｍｅｓｓａｇｅ  Ａｕｔｈｅｎｔｉｃａｔｉｏｎ  Ｃｏｄｅ）で構成される。例えば、媒体ＩＤ９１及びプリマーク位置情報９２のハッシュ値が算出され、このハッシュ値がＭＡＣとして生成される。また、ハッシュ値の生成に用いる鍵情報は鍵管理機構から取得する。再生時には、同じように媒体ＩＤ９１とプリマーク位置情報９２とに基づいてハッシュ値を算出し、算出したハッシュ値と物理位置情報に含まれるハッシュ値（改竄防止符号９３）とを比較することによって、物理位置情報に改竄が無かったかを判定し、改竄がないと判断されたときのみ再生を継続するようにする。
【０１７３】
以上のように、実施の形態２における光ディスク製造方法では、凹凸マークによってコンテンツデータが記録された光ディスクが成形された後、内周側のコントロール領域ＣＴＬに半径方向に直線的なプリマークが記録され、このプリマークの物理位置情報が凹凸マークで記録されたアドレス位置を基準に検出され、凹凸マークのトラック上にレーザが照射されることによって反射率の変化した追記マークが形成され、この追記マークで物理位置情報が記録される。
【０１７４】
なお、実施の形態２における光ディスク製造方法で用いられるプリマーク記録装置、物理位置情報取得装置及び光ディスク記録装置は同一の装置として構成することが望ましいが、ここでは各機能の説明を簡潔に行うため別装置として説明した。
【０１７５】
また、本実施の形態２の光ディスクは、半径方向に長いプリマークを記録しているとともに、このプリマークの物理位置情報を製造工程で測定し、測定した物理位置情報を追記マークとして記録している。前述のように、半径方向に長いプリマークを複製するためには、複製先及び複製元で、記録開始位置、回転数及び線速度を寸分狂わず制御することが必要となる。しかしながら、これらを一致させることは事実上不可能に近いので不正な複製を排除できる。また、そのプリマークの物理位置情報は、実施の形態１の媒体ＩＤと同様の方法で記録するので、実施の形態１に比べ、実施の形態２の光ディスクは、不正な複製に対する耐性が極めて高くなる。
【０１７６】
（２−３）実施の形態２のプリマーク記録装置
図１３は、実施の形態２の光ディスク製造方法の第２の製造工程５００で使用するプリマーク記録装置の構成を示すブロック図である。
【０１７７】
プリマーク記録装置７０は、スピンドルモータ１２、光学ヘッド１３、アナロク信号処理器１５、サーボ回路１４、ＰＬＬ回路３０、カウンタ３１、記録タイミング生成器３２、レーザ強度変調器２２及びシステムコントローラ２３を備える。
【０１７８】
スピンドルモータ１２は、第１の製造工程２００において作成された物理位置情報が未記録の光ディスク４０がドライブに挿入されると、ＣＡＶ（Ｃｏｎｓｔａｎｔ  Ａｎｇｕｌａｒ  Ｖｅｌｏｃｉｔｙ）制御によって、光ディスク４０を回転させる。また、スピンドルモータ１２は、ディスク一回転に同期して複数回出力される回転同期信号ＦＳを生成してＰＬＬ回路３０に出力する。
【０１７９】
光学ヘッド１３は、光ディスク４０にレーザ光を照射し、その反射光からチャネル信号ＣＳを生成して、アナログ信号処理器１５に出力する。
【０１８０】
アナログ信号処理器１５は、光学ヘッド１３から入力されるチャネル信号ＣＳから、レーザ光を照射するフォーカス位置のズレを示すフォーカスエラー信号ＦＥを生成してサーボ回路１４に出力する。
【０１８１】
サーボ回路１４は、アナログ信号処理器１５から入力されるフォーカスエラー信号ＦＥから、フォーカス位置を補正するためのフォーカス制御信号ＦＣを生成して、光学ヘッド１３に出力する。これにより、光学ヘッド１３は、フォーカス位置の補正をしながらレーザ光を照射する。
【０１８２】
ＰＬＬ回路３０は、スピンドルモータ１２からのディスク一回転に同期した回転同期信号ＦＳに追従した回転同期クロックＣＡＶＣＫを生成して、カウンタ３１に出力する。なお、回転同期信号ＦＳは、一回転に１出力でも構わないが、複数回出力されることが望ましい。例えば、一回転で４回出力されるとすれば、ディスクの回転角１５度ごとに出力されるし、３６０回出力されれば、ディスクの回転角１度ごとに出力され、ＰＬＬ回路３０は、これらの回転同期信号ＦＳに追従した回転同期クロックＣＡＶＣＫを生成する。また、１回転に１回程度の回転同期信号ＦＳしか得られない場合には、回転同期信号ＦＳに同期した回転同期クロックＣＡＶＣＫを生成した後、逓倍回路を用いて、出力する回転同期クロックＣＡＶＣＫの周波数を上げることが望ましい。
【０１８３】
カウンタ３１は、ＰＬＬ回路３０から出力された回転同期クロックＣＡＶＣＫをカウントする。すなわち、カウンタ３１は、ディスクの回転角をカウントしているに等しい。また、カウンタ３１は、ディスク一回転で初期化される。すなわち、回転同期信号ＦＳがディスク１回転で３６０回出力される場合、カウンタ３１は、３６０カウントごとに初期化される。このカウンタ３１のカウント値は、回転同期クロックカウント値ＣＡＶＣＮＴとして記録タイミング生成器３２に出力される。
【０１８４】
記録タイミング生成器３２は、カウンタ３１からの回転同期クロックカウント値ＣＡＶＣＮＴに基づいて、記録レーザ光を照射するタイミングを生成する。例えば、記録タイミング生成器３２は、回転同期クロックカウント値ＣＡＶＣＮＴを９０で除算したときの余が０の時を検出してプリマーク記録タイミング信号ＰＭＷＧを生成する。よって、記録タイミング生成器３２は、ディスクの一回転に４回、且つ回転角１度の範囲で、プリマーク記録タイミング信号ＰＭＷＧを生成する。記録タイミング生成器３２によって生成されたプリマーク記録タイミング信号ＰＭＷＧは、レーザ強度変調器２２に出力される。
【０１８５】
レーザ強度変調器２２は、記録タイミング生成器３２からのプリマーク記録タイミング信号ＰＭＷＧの出力タイミングで、レーザに流れる電流量を増大させて記録パワーのレーザ光を照射するためのプリマーク記録パルスＰＷＰを生成して光学ヘッド１３に出力する。なお、プリマーク記録タイミング信号ＰＭＷＧの出力されていない部分では、再生強度のレーザ光を照射するためのプリマーク記録パルスＰＷＰを出力する。
【０１８６】
また、光学ヘッド１３は、ディスク一回転ごとに所定量だけ外周側にレーザスポット位置を移動させる。なお、所定量は、レーザ光が照射されることによって一回転で記録するプリマークの半径方向の長さ以下にする。これにより、光ディスクの半径方向に直線的、かつ連続的なプリマークが記録可能となる。
【０１８７】
以上のように、プリマーク記録装置７０は、凹凸マークが転写された光ディスクの成形後、ＣＡＶ制御により光ディスクの回転を制御し、光ディスクの角度情報（ここでは、回転同期クロックカウント値ＣＡＶＣＮＴ）に基づいてレーザ光を照射する。これにより、半径方向に長いプリマークを記録することができる。
【０１８８】
なお、プリマーク記録装置７０は、半導体レーザではなく、高出力のＹａＧレーザ等を用いても構わない。この場合には、レーザ光が照射された部分の反射膜が融解し、除去されることが知られている。
【０１８９】
（２−４）実施の形態２の物理位置情報取得装置
図１４は、実施の形態２の光ディスク製造方法の第３の製造工程６００における物理位置情報取得装置の構成を示すブロック図である。
【０１９０】
物理位置情報取得装置８０は、実施の形態２の第２の製造工程５００においてプリマークの記録された光ディスクに対して、プリマークの記録された半径位置の凹凸マークのアドレスを抽出し、抽出したアドレスを基準としてプリマークの開始点を物理位置情報として検出する。物理位置情報取得装置８０は、スピンドルモータ１２、光学ヘッド１３、サーボ回路１４、アナログ信号処理器１５、デジタル信号処理器１６、フォーマッタ１７、エラー訂正器２４、ＡＤ３３、スライサ３４、カウンタ３５、メモリ１１、媒体ＩＤ付与器３６、改竄防止符号付与器３７及びシステムコントローラ２３を備える。
【０１９１】
スピンドルモータ１２は、プリマークが記録された光ディスク５０をローディングすると、光ディスク５０に応じた回転数で光ディスク５０を回転させて、光学ヘッド１３をプリマークの記録されている所定の半径位置に移動させる。
【０１９２】
光学ヘッド１３は、スピンドルモータ１２が所定の回転数に達したとき、光ディスク５０に再生強度のレーザ光を照射し、その反射光からチャネル信号ＣＳを生成して、アナログ信号処理器１５に出力する。
【０１９３】
アナログ信号処理器１５は、光学ヘッド１３から入力されるチャネル信号ＣＳから、凹凸マークのトラックに対してレーザスポットのトラッキング位置の誤差を示すトラッキングエラー信号ＴＥと、レーザスポットのフォーカス位置のズレを示すフォーカスエラー信号ＦＥとを生成して、サーボ回路１４に出力する。また、アナログ信号処理器１５は、光学ヘッド１３から入力されるチャネル信号ＣＳを増幅したり、波形等化したりして、凹凸マークに対応したアナログ再生信号ＡＳを生成して、デジタル信号処理器１６に出力する。
【０１９４】
サーボ回路１４は、アナログ信号処理器１５から入力されるトラッキングエラー信号ＴＥから、レーザスポットのトラッキング位置を制御するトラッキング制御信号ＴＣを生成するとともに、フォーカスエラー信号ＦＥからフォーカス位置を制御するためのフォーカス制御信号ＦＣを生成して、光学ヘッド１３に出力する。光学ヘッド１３は、これらの制御信号に基づいてトラッキング位置及びフォーカス位置を制御してレーザ光を照射する。また、サーボ回路１４は、半径位置に対応した回転数と現在の回転数とを比較して、回転制御信号ＳＣを生成してスピンドルモータ１２に出力する。スピンドルモータ１２は、この回転制御信号ＳＣに基づいて回転数を制御して、光ディスク５０を回転させる。
【０１９５】
デジタル信号処理器１６は、内部にＰＬＬ回路を有し、アナログ信号処理器１５から入力されるアナログ再生信号ＡＳに同期したクロック信号ＣＫを抽出する。また、デジタル信号処理器１６は、クロック信号ＣＫに同期して、アナログ信号処理器１５から入力されるアナログ再生信号ＡＳを量子化して、２値化したデジタル再生信号ＤＳを生成して、フォーマッタ１７に出力する。
【０１９６】
フォーマッタ１７は、デジタル信号処理器１６から入力されるデジタル再生信号ＤＳから、一定周期で付与されている同期符号を検出して、同期符号の付与されたデータ群であるフレーム単位にフォーマットする。そして、フォーマッタ１７は、同期符号の同期パターンを判定してフレーム位置を判別し、フレーム位置に従って、複数フレームからなりアドレス情報ＡＤＲが付与されたアドレスユニット単位に分割する。また、フォーマッタ１７は、アドレス情報ＡＤＲに従って、エラー訂正を行う単位であるＰｈｙｓｉｃａｌ  Ｃｌｕｓｔｅｒ単位にフォーマットして、フォーマットデータＦＤを生成しエラー訂正器２４に出力する。また、フォーマッタ１７は、同期符号のタイミングを示すフレームパルスＦＰＬＳと、アドレスユニット単位に付与されているアドレス情報ＡＤＲとを抽出して、カウンタ３５に出力する。
【０１９７】
エラー訂正器２４は、フォーマッタ１７から入力されるフォーマットデータＦＤからエラー訂正のためのパリティを分離して、データのエラー訂正を行うことによって凹凸マークで記録された再生データを出力する。
【０１９８】
ＡＤ３３は、一般的なアナログ−デジタル変換器で構成され、アナログ信号処理器１５から入力されるアナログ再生信号ＡＳを、入力されるクロックに同期して量子化を行い、量子化された量子化再生信号ＲＤをスライサ３４に出力する。
【０１９９】
スライサ３４は、入力される量子化再生信号ＲＤを所定のスライスレベルでスライスして、２値化したプリマーク検出信号ＰＭＤＥＴを生成してカウンタ３５に出力する。なお、所定のスライスレベルは、物理位置情報取得装置８０におけるデジタル信号処理器１６が２値化するためのスライスレベルに比べて、高くあるいは低く設定される。これは、プリマークがレーザ光が照射されることによって反射率を上げて記録されているか、あるいは反射膜を除去する無反射マークとして記録されているかに応じて決定される。なお、所定スライスレベルは、固定値ではなく、数回プリマーク上を走査して、自動的に設定することが望ましい。
【０２００】
カウンタ３５は、デジタル信号処理器１６から入力されるクロック信号ＣＫをカウントするチャネルビットカウンタと、フレーム数をカウントするフレームカウンタから構成される。
【０２０１】
チャネルビットカウンタは、デジタル信号処理器１６から入力されるクロック信号ＣＫに同期してクロック数をカウントするとともに、フォーマッタ１７から入力されるフレームの開始位置を示すフレームパルスＦＰＬＳで初期化される。
【０２０２】
フレームカウンタは、フォーマッタ１７から入力されるフレームパルスＦＰＬＳをカウントし、フォーマッタ１７から入力されるアドレス情報ＡＤＲの更新されるタイミングで初期化される。
【０２０３】
また、カウンタ３５は、スライサ３４からのプリマーク検出信号ＰＭＤＥＴのタイミングで、チャネルビットカウンタ及びフレームカウンタの双方の現在のカウント値と、フォーマッタ１７から入力されるアドレス情報ＡＤＲとに基づいてプリマーク位置情報ＰＯＳを生成してメモリ１１に出力する。
【０２０４】
メモリ１１は、カウンタ３５から出力されるプリマーク位置情報ＰＯＳを一時記憶する。なお、光ディスクの円周方向に複数のプリマークが記録されている場合には、それぞれに対応したプリマーク位置情報ＰＯＳを計測して記憶する。
【０２０５】
媒体ＩＤ付与器３６は、光ディスクのプリマークの検出の完了にともなって、メモリ１１に記憶されたプリマーク位置情報ＰＯＳに、外部から入力される媒体ＩＤを対応付ける。
【０２０６】
改竄防止符号付与器３７は、外部から与えられる、あるいは内部に秘密に記憶している鍵を用いて、媒体ＩＤ及びプリマーク位置情報ＰＯＳのハッシュ値を算出して改竄防止符号（例えばＭＡＣ）を生成し、生成した改竄防止符号を媒体ＩＤ及びプリマーク位置情報ＰＯＳに付与して物理位置情報を生成する。この物理位置情報は、本実施の形態２の第４の製造工程７００に出力される。
【０２０７】
なお、前述のように、プリマーク位置情報ＰＯＳは１つのプリマークに対して、同じアドレスから所定半径方向に乖離した２箇所で計測することが、不正な複製をより効果的に防止する。この場合、フォーマッタ１７は、基準アドレス位置と同じトラック上でプリマークの開始位置を検出した後、一旦、内周側に１トラックジャンプして、再度同じアドレス位置のトラックを再生し、再度基準アドレスのタイミングで、数トラック外周側あるいは内周側にトラック位置を移動させるためのトラックジャンプ信号ＴＪを生成して、サーボ回路１４に出力する。
【０２０８】
サーボ回路１４は、トラックジャンプ信号ＴＪに基づいて、トラッキング位置を数トラック外周側あるいは内周側に移動させる。トラックジャンプが完了すれば、再生信号からプリマーク位置を判断することによって、１つのプリマークから、所定半径位置乖離した複数箇所でプリマーク位置を検出することができる。
【０２０９】
なお、物理位置情報取得装置８０は、再生時のクロック信号ＣＫをカウントすることで基準アドレスからプリマーク開始位置までの物理位置情報を抽出する。従って、トラックジャンプによって再生時のクロック信号ＣＫが乱れれば正しい物理位置情報を検出することが不可能となる。したがって、フォーマッタ１７は、トラックジャンプ信号ＴＪをサーボ回路１４に出力するタイミングで、デジタル信号処理器１６のＰＬＬ回路によって生成されるクロック信号ＣＫの発振帯域を固定するためのＰＬＬホールド信号を生成して、デジタル信号処理器１６に出力する。デジタル信号処理器１６は、ＰＬＬホールド信号の出力区間ではＰＬＬ回路の発信帯域を固定することによって、トラックジャンプがあった場合にも安定したクロック信号ＣＫを供給することが可能となる。
【０２１０】
図１５は、実施の形態２の光ディスクをＢｌｕ−ｒａｙディスクとした時の、物理位置情報取得装置８０の特徴的な動作を示すタイミングチャートである。
【０２１１】
物理位置情報取得装置８０のデジタル信号処理器１６からフォーマッタ１７に出力されるデジタル再生信号ＤＳは、フォーマッタ１７によって、凹凸マークに対応した主情報のエラー訂正の単位であるＰｈｙｓｉｃａｌ  Ｃｌｕｓｔｅｒ単位にフォーマットされる。１Ｐｈｙｓｉｃａｌ  Ｃｌｕｓｔｅｒは、アドレスを有する１６のアドレスユニットから構成される。さらに、１アドレスユニットは、同期符号を伴う３１のフレームに分割できる。また、１フレームは、先頭に３０チャネルビットの同期符号を有する１９３２チャネルビットで構成されている。
【０２１２】
また、物理位置情報取得装置８０のカウンタ３５は、デジタル信号処理器１６からのクロック信号ＣＫに同期したカウンタであり、クロック信号ＣＫをカウントするチャネルビットカウンタと、フォーマッタ１７からのフレーム先頭位置を示したフレームパルスをカウントするフレームカウンタとで構成される。
【０２１３】
チャネルビットカウンタは、クロック信号ＣＫに同期してクロック数をカウントするとともに、フレームパルスＦＰＬＳのタイミングで初期化する。すなわち、１フレームで０〜１９３１までカウントするカウンタとして動作する。
【０２１４】
フレームカウンタは、フレームパルスをカウントするカウンタで、１アドレスユニットで０〜１５までカウントする。なお、フレームカウンタは、フォーマッタ１７から入力されるアドレス情報ＡＤＲの更新タイミングで初期化される。
【０２１５】
次に、プリマークの検出方法について説明する。物理位置情報取得装置８０は、光ディスクの凹凸マークに再生強度のレーザ光を照射し、その反射光からアナログ再生信号ＡＳを生成する。また、デジタル信号処理器１６では、このアナログ再生信号ＡＳから内部に持つＰＬＬ回路によって、アナログ再生信号ＡＳに同期したクロック信号ＣＫを抽出する。また、デジタル信号処理器１６では、このアナログ再生信号ＡＳをクロック信号ＣＫに同期して量子化し、スライスレベルＳＬ１でスライスすることによって２値化し、デジタル再生信号ＤＳを生成する。
【０２１６】
光ディスクには、内周側のコントロール領域ＣＴＬに凹凸マークＭＫのトラックを横断する半径方向に直線的なプリマークＰＭが予め記録されている。なお、本実施の形態２では、レーザ光を照射して反射率を向上させることによりプリマークを形成する場合の動作について説明する。
【０２１７】
凹凸マーク上をトラッキングして再生中、プリマークがあると、凹凸マークを再生しているときの反射光の最大レベルＨよりも反射率が高いため、アナログ再生信号ＡＳの変調度が向上する。
【０２１８】
スライサ３４は、凹凸マークのアナログ再生信号ＡＳを２値化するためのスライスレベルＳＬ１より高く、且つ凹凸マークの反射光の最大レベルＨよりも高いレベルのプリマーク位置を検出するためのスライスレベルＳＬ２でスライスして、プリマーク検出信号ＰＭＤＥＴを生成し、カウンタ３５へ出力する。
【０２１９】
カウンタ３５は、プリマーク検出信号ＰＭＤＥＴの立ち上がりを検出すると内部のチャネルビットカウンタ及びフレームカウンタのカウント動作を停止し、各カウント値（チャネルビットカウント値ＢＣＮＴ及びフレームカウント値ＦＣＮＴ）を保持する。
【０２２０】
また、保持したフレームカウント値ＦＣＮＴ及びチャネルビットカウント値ＢＣＮＴは、アドレス情報ＡＤＲとともに、プリマーク位置情報ＰＯＳとしてメモリ１１に転送し、メモリ１１で保持する。
【０２２１】
以上のように、物理位置情報取得装置８０は、再生信号のアドレスと、フレーム位置と、チャネルビット位置とにより、基準アドレスからプリマーク開始位置までのプリマーク位置情報を抽出できる。アナログ再生信号ＡＳを２値化するときのスライスレベルを凹凸マークとプリマークとでそれぞれ設定することによって、凹凸マークとプリマークとを区別して検出することができる。また、本実施の形態２では、レーザ光が照射されることによって反射率を上げたプリマークで説明したが、反射膜を除去して無反射状態にするプリマークの場合には、逆に、凹凸マークの反射光の最小レベルより低いレベルをプリマーク検出のためのスライス値ＳＬ２として設定する。
【０２２２】
また、凹凸マークの反射光の最大レベルとプリマークの反射光の最大レベルに大きな差が認められない場合、凹凸マークの反射光の最小レベルとプリマークの反射光の最小レベルに大きな差が認められない場合、あるいはプリマーク部分の雑音が大きく、正常にスライスできない場合には、凹凸マークのスライスレベルＳＬ１をプリマーク検出のためのスライスレベルＳＬ２と設定しても良い。この場合、プリマーク検出信号の出力区間（＝プリマーク幅）が、凹凸マークの円周方向の最大幅より広いことを検出して、プリマークと凹凸マークとの区別を行うことができる。
【０２２３】
次に、実施の形態２に係る光ディスク再生装置の構成について説明する。図１６は、実施の形態２に係る光ディスク再生装置の構成を示すブロック図である。図１６に示す光ディスク再生装置７１は、スピンドルモータ１２、光学ヘッド１３、サーボ回路１４、アナログ信号処理器１５、デジタル信号処理器１６、フォーマッタ１７、エラー訂正器２４、タイミング生成器１８、乱数発生器１９、ＰＥ変調器２１、ＬＰＦ２５、２値化器２６、相関積分器２７、メモリ１１、認証符号検証器２９、ＡＤ３３、スライサ３４、カウンタ３５及びシステムコントローラ２３を備える。
【０２２４】
なお、実施の形態２に係る光ディスク再生装置７１は、図８に示す光ディスク再生装置７と、図１４に示す物理位置情報取得装置８０とを組み合わせた構成であり、各構成要素は、光ディスク再生装置７及び物理位置情報取得装置８０と同一であるので、説明を省略する。
【０２２５】
なお、本実施の形態において、フォーマッタ１７、メモリ１１、認証符号検証器２９、ＡＤ３３、スライサ３４及びカウンタ３５が位置確認部の一例に相当し、システムコントローラ２３が比較部及び再生制限部の一例に相当する。
【０２２６】
図１７及び図１８は、実施の形態２に係る光ディスク再生装置における不正ディスク判定処理を説明するためのフローチャートである。光ディスク再生装置７１では、電源がＯＮされ、光ディスクの挿入されていない状態から光ディスクが挿入された時点で、不正ディスク判定処理が開始される。なお、開始タイミングは、暗号化されたプログラムへのアクセス前、あるいは一定期間ごとに周期的に行っても良い。
【０２２７】
まず、光ディスク２４１が光ディスク再生装置７１にローディングされる（ステップＳ１）。ローディング完了後、システムコントローラ２３は、トラック方向にレーザ光を照射して反射膜の反射率を変化させることによって形成される追記マークにより物理位置情報の記録されたアドレスＮの位置（例えば、ユーザエリア内）に光学ヘッド１３をシークさせる（ステップＳ２）。
【０２２８】
シーク完了後、システムコントローラ２３は、光ディスクに記録されている副情報（物理位置情報）を再生する（ステップＳ３）。なお、この物理位置情報の再生手順は、実施の形態１の光ディスク再生装置７の媒体ＩＤを再生する手順と同様であるので、ここでは説明を省略する。
【０２２９】
次に、システムコントローラ２３は、エラー訂正器２４によって、再生した物理位置情報に付与しているエラー訂正のためのパリティに基づいて物理位置情報のエラー訂正を行い、エラー訂正が正常に行われたか否かを判断する（ステップＳ４）。この結果、エラー訂正が不可能であると判断された場合（ステップＳ４でＮＯ）、積分時間が短いとして、ステップＳ２の処理へ戻り、副情報の再生動作が継続される。
【０２３０】
一方、エラー訂正が正常に行われたと判断された場合（ステップＳ４でＹＥＳ）、システムコントローラ２３は、メモリ１１に副情報（物理位置情報）を記憶する（ステップＳ５）。
【０２３１】
システムコントローラ２３は、物理位置情報から新たに検証用の改竄防止符号（検証用ハッシュ値）を生成し、生成した検証用の改竄防止符号と、物理位置情報に付与されている改竄防止符号（再生ハッシュ値）とが整合するか否かを判断する。これにより、システムコントローラ２３は、物理位置情報が改竄されているか否かを判断する（ステップＳ６）。互いの改竄防止符号に整合がある場合、システムコントローラ２３は、物理位置情報に不正な改竄がないと判断して処理を継続する。一方、互いの改竄防止符号に整合が無い場合、システムコントローラ２３は、途中で物理位置情報が改竄されたか、不正メーカによって作成された光ディスクであると判断して、処理の中断動作に移行する。
【０２３２】
改竄があると判断された場合（ステップＳ６でＹＥＳ）、ステップＳ１５以降の再生停止処理に移行する。一方、改竄がないと判断された場合（ステップＳ６でＮＯ）、システムコントローラ２３は、物理位置情報の中から、記録時に抽出したプリマーク位置情報を検出するための基準アドレスＭを取得する（ステップＳ７）。次に、システムコントローラ２３は、取得した基準アドレスＭに、光学ヘッド１３をシークさせる（ステップＳ８）。
【０２３３】
光学ヘッド１３が基準アドレスＭに達したとき、プリマーク検出動作に移行する。なお、プリマーク検出動作は、本実施の形態２の物理位置情報取得装置８０の動作と同様であるので、ここでは説明を省略する。プリマーク位置情報を検出するプリマーク検出動作が完了すれば、前述の説明の通り、基準アドレスＭからのフレーム位置情報（フレームカウント値ＦＣＮＴ）及びチャネルビット位置情報（チャネルビットカウント値ＢＣＮＴ）が出力される（ステップＳ９）。
【０２３４】
次に、システムコントローラ２３は、ステップＳ３において再生された副情報（物理位置情報）に含まれるフレームカウント値ＦＣＮＴと、プリマーク検出動作で取得したフレームカウント値ＦＣＮＴとを比較し、互いのフレームカウント値ＦＣＮＴに整合があるか否かを判断する（ステップＳ１０）。互いのフレームカウント値ＦＣＮＴに整合がないと判断された場合（ステップＳ１０でＮＯ）、ステップＳ１３以降のリトライ処理に移行する。
【０２３５】
互いのフレームカウント値ＦＣＮＴに整合があると判断された場合（ステップＳ１０でＹＥＳ）、システムコントローラ２３は、ステップＳ３において再生された副情報（物理位置情報）に含まれるチャネルビットカウント値ＢＣＮＴと、プリマーク検出動作で取得したチャネルビットカウント値ＢＣＮＴを比較し、互いのチャネルビットカウント値ＢＣＮＴに整合があるか否かを判断する（ステップＳ１１）。互いのチャネルビットカウント値ＢＣＮＴに整合がないと判断された場合（ステップＳ１１でＮＯ）、ステップＳ１３以降のリトライ処理に移行する。整合があれば次の処理に進み、整合が無ければリトライ処理に移行する（ステップＳ１１）。
【０２３６】
一方、互いのチャネルビットカウント値ＢＣＮＴに整合があると判断された場合（ステップＳ１１でＹＥＳ）、システムコントローラ２３は、全てのプリマークを検出したか否かを判断する（ステップＳ１２）。ここで、全てのプリマークを検出していないと判断された場合（ステップＳ１２でＮＯ）、ステップＳ８の処理へ戻り、システムコントローラ２３は、次のプリマークの位置情報を確認するための基準アドレスに光学ヘッド１３をシークさせる。全てのプリマークを検出したと判断された場合（ステップＳ１２でＹＥＳ）、システムコントローラ２３は、再生動作を許可して、不正ディスク判定処理を終了する。
【０２３７】
次に、ステップＳ１３以降のリトライ処理について説明する。ステップＳ１０，Ｓ１１において互いのチャネルビットカウント値ＢＣＮＴ又は互いのフレームカウント値ＦＣＮＴに整合がないと判断された場合、システムコントローラ２３は、予め記憶されているリトライ回数をインクリメントする（ステップＳ１３）。
【０２３８】
次に、システムコントローラ２３は、リトライ回数をインクリメントした結果、リトライ回数が予め設定されている許容範囲内であるか否かを判断する（ステップＳ１４）。リトライ回数が許容範囲内であると判断された場合（ステップＳ１４でＹＥＳ）、再度ステップＳ８の処理へ戻り、システムコントローラ２３は、基準アドレスＭに光学ヘッド１３をシークさせて、プリマーク検出動作を行う。一方、リトライ回数が許容範囲を超えたと判断された場合（ステップＳ１４でＮＯ）、ステップＳ１５以降の再生停止処理に移行する。
【０２３９】
次に、ステップＳ１５以降の再生停止処理について説明する。再生停止処理は、リトライ回数の許容範囲を上回ったとき、あるいは改竄有無判定で改竄が有ると判定されたときに、光ディスクを不正なディスクとして排除する処理である。まず、システムコントローラ２３は、現在の再生動作を停止させる（ステップＳ１５）。このとき、光ディスクの送出以外の全てのコマンドを受け付けないようにすることが望ましい。
【０２４０】
再生動作を停止したとき、システムコントローラ２３は、エラー情報を生成して、出力する。このエラー情報は、再生動作が停止に陥った原因を含むことが望ましい（ステップＳ１６）。なお、エラー情報は、モニタなどの表示部に出力されて表示され、ユーザに通知される。
【０２４１】
以上のように、光ディスク再生装置による不正ディスク判定処理によって、追記マークで記録した物理位置情報に改竄などがあった場合、不正ディスクとして判定され、再生動作を停止することができる。また、物理位置情報に含まれる記録時のプリマークの位置情報と、光ディスク再生装置で検出したプリマークの位置情報とが一致しなければ、不正にコピーされた光ディスクとして再生を停止できる。よって、不正に物理位置情報を改竄して記録した光ディスクや、正規の光ディスクを複製した光ディスクに対して再生の停止が可能となり、光ディスクに記録された著作物の権利を守ることができる。
【０２４２】
また、光ディスク再生装置７１の構成は、前述の実施の形態２の光ディスク製造方法における第３の製造工程６００の物理位置情報取得装置８０の構成と、実施の形態１の光ディスク再生装置７の構成とを併せ持つ構成として実現される。すなわち、実施の形態２における光ディスク再生装置は、物理位置情報取得装置８０におけるプリマークの物理位置情報の検出機能と、実施の形態１の光ディスク再生装置７の副情報の再生機能を併せ持つことによって実現できる。但し、本実施の形態２の光ディスク再生装置には、前述の不正ディスク判定処理を実現するためのプログラムが格納されている。
【０２４３】
また、前述の不正ディスク判定処理では、説明の簡略化のため同じ基準アドレスで、半径方向に所定距離乖離した２点で、プリマークの位置情報を検出する説明を省いたが、１つの基準アドレスから半径方向に向かって２点の位置情報を検出して、プリマークの直線性を判断してもよい。具体的には、一旦、基準アドレスの記録された同じトラック上でプリマーク位置を検出して、トラックを内側に一本移動して、もう一度同じアドレス位置にシークする。再度、ターゲットアドレス位置に到達した時点で、トラック位置を内側あるいは外側に数トラック移行してプリマークの位置を確認する。不正にコピーされてプリマークが半径方向に直線的でない場合であったとしても、基準アドレスに基づいてプリマークの有無を判断した後、半径方向に数トラックジャンプし、再度プリマークの有無を判断することによって、プリマークが直線状でない、あるいは物理位置情報の整合性がないと判断し、光ディスクの再生が停止される。
【０２４４】
また、本実施の形態２の不正ディスク判定処理では、全てのプリマークの位置情報を確認しているが、本発明は特にこれに限定されず、再生起動時間の短縮のために、記録されているプリマークのうち、部分的に確認しても良い。例えば、放射状に形成された８本のプリマークのうち、４本のプリマークの位置情報のみを確認してもよい。
【０２４５】
（実施の形態３）
（３−１）実施の形態３の光ディスク
図１９は、実施の形態３に係る光ディスクの構成を示す概念図である。実施の形態３の光ディスク１５０は、コンテンツデータの記録されたユーザ領域１５１と、光ディスク１５０の識別情報が記録された副情報記録領域１５２とで構成される。
【０２４６】
ユーザ領域１５１には、予めコンテンツデータが凹凸マークで記録されており、副情報記録領域１５２には、凹凸マークあるいはウォブル案内溝は記録されていない。また、光ディスク１５０の反射膜は、レーザ光が照射されることによって反射率が変化する記録膜で構成される。
【０２４７】
光ディスク１５０の識別情報の記録された副情報記録領域１５２には、特別な同期符号は含まれておらず、ユーザ領域１５１の基準となるアドレスを有するアドレスユニット１５３の先頭位置の角度位置と同じ角度位置から識別情報が記録されている。
【０２４８】
光ディスクの角度位置情報は、光ディスク記録装置あるいは光ディスク再生装置のスピンドルモータから出力される回転同期信号に基づいて決定される。光ディスク記録装置あるいは光ディスク再生装置は、ディスク１回転に同期した回転同期信号のＰＬＬ制御によって、一回転に同期したクロック信号を生成する。このクロックをカウントした値（ＦＧ  Ｃｏｕｎｔｅｒ）によって光ディスクの角度位置を算出する。
【０２４９】
図１９の例では、ディスク一回転について３６０カウントする例を示している。すなわち、ディスクの回転角１°ごとに１周期のクロックが生成され、これに同期したカウンタは、クロックごとに１カウントして、角度情報を抽出している。また、本例では、カウント値が“３００”の時にアドレス値Ｍの基準となるアドレスユニットが開始している。よって、光ディスク記録装置は、アドレス値Ｍを持ったアドレスユニットの先頭位置を予め再生して、回転同期のカウント値を抽出した後、副情報記録領域に対応した半径位置に光学ヘッドを移動し、回転同期のカウント値“３００”から、識別情報を１ビットずつ回転同期信号のクロックに同期して記録する。
【０２５０】
以上より、本実施の形態３における光ディスク１５０は、ユーザ領域１５１に凹凸マークによってコンテンツデータが予め記録された後、ユーザ領域１５１における基準アドレス位置の角度が抽出され、副情報記録領域１５２における抽出された角度から光ディスクの識別情報が追加記録される。
【０２５１】
なお、識別情報は、媒体固有情報の記録に使用できる。凹凸マークが予め転写された光ディスクに識別情報を記録することができるため、スタンパなどで凹凸マークを転写して作成する再生専用光ディスクであっても光ディスク１枚ごとに固有の情報を追加記録することが可能となる。
【０２５２】
また、本実施の形態３では、一回転で３６０カウントする、すなわち光ディスクが１°回転するごとに１カウントする例を説明したがこれに限られない。基準となるアドレス位置を、確実に判別することが可能な分解能であれば、どのような分解能であっても構わない。例えば、Ｂｌｕ−ｒａｙディスクの場合、半径位置２３ｍｍ付近では、一回転辺り３２のアドレスユニットが記録される。従って、この場合、３２のアドレス位置を確実に判別することのできる一回転あたり６４カウント（５．６°ごとに１カウント）程度以上の分解能でよい。
【０２５３】
（３−２）実施の形態３の光ディスク記録装置
次に、実施の形態３の光ディスク記録装置について説明する。図２０は、実施の形態３に係る光ディスク記録装置の構成を示すブロック図である。図２０に示す光ディスク記録装置２５０は、スピンドルモータ１２、光学ヘッド１３、サーボ回路１４、アナログ信号処理器１５、デジタル信号処理器１６、フォーマッタ１７、ＰＬＬ回路３８、角度計測器３９、乱数発生器１９、ＥＯＲ４０、メモリ１１、レーザ強度変調器２２及びシステムコントローラ２３を備える。
【０２５４】
スピンドルモータ１２は、光ディスク記録装置２５０に光ディスクがローディングされると、光ディスクを回転させる。光学ヘッド１３は、光ディスクに再生強度のレーザ光を照射して、その反射光からチャネル信号ＣＳを生成して、アナログ信号処理器１５に出力する。
【０２５５】
アナログ信号処理器１５は、光学ヘッド１３から入力されるチャネル信号ＣＳから、光学ヘッド１３のレーザ光が照射される位置のフォーカス位置のズレを示すフォーカスエラー信号ＦＥと、凹凸マークのトラック位置とレーザ光が照射されると位置との半径方向のズレを示すトラッキングエラー信号ＴＥとを生成して、サーボ回路１４に出力する。また、アナログ信号処理器１５は、光学ヘッド１３から入力されるチャネル信号ＣＳから凹凸マークに対応した信号成分を抽出して、増幅したり波形等化したりしてアナログ再生信号ＡＳを生成して、デジタル信号処理器１６に出力する。
【０２５６】
サーボ回路１４は、アナログ信号処理器１５から入力されるフォーカスエラー信号ＦＥから、フォーカス位置のズレを補正するためのフォーカス制御信号ＦＣを生成するとともに、トラッキングエラー信号ＴＥからトラッキング位置のズレを補正するためのトラッキング制御信号ＴＣを生成して光学ヘッド１３に出力する。また、サーボ回路１４は、チャネル信号ＣＳに基づいて、再生している半径位置における線速度を算出して、再生信号から回転速度を求め、最適な回転数と成るように回転制御信号ＳＣを生成してスピンドルモータ１２に出力する。
【０２５７】
なお、光ディスク記録装置２５０は、光ディスクがローディングされると、まず、予めシステムコントローラ２３に設定されている基準アドレス位置にシークし、一回転ごとに内周側に１本トラックを移動することで、基準アドレス位置のトラック位置を保持し、基準アドレス位置の半径位置に対応する回転数を保持する。
【０２５８】
デジタル信号処理器１６は、内部に持つＰＬＬ回路によって、アナログ信号処理器１５から入力されるアナログ再生信号ＡＳに同期したクロック信号ＣＫを抽出して、クロック信号ＣＫに同期して、入力されるアナログ再生信号ＡＳを量子化し、２値化したデジタル再生信号ＤＳを生成してフォーマッタ１７に出力する。
【０２５９】
フォーマッタ１７は、デジタル信号処理器１６から入力されるデジタル再生信号ＤＳから一定間隔ごとに付与されている同期符号を検出して、検出タイミングでフレーム単位に再構成し、同期符号の同期パターンによって、アドレス情報を含むアドレスユニット単位にフレームを分割して、アドレスユニット単位に付与されているアドレス情報ＡＤＲを抽出して、角度計測器３９に出力する。
【０２６０】
ＰＬＬ回路３８は、一般的なＰＬＬ回路で構成され、スピンドルモータ１２から入力される回転同期信号ＦＳと内部で発生したクロック信号ＣＫとの位相誤差を算出して、位相誤差が“０”になるように、内部で発生させたクロック信号ＣＫの周波数を変更する。従って、ＰＬＬ回路３８では、光ディスクの回転に同期したクロック信号ＣＫを生成することができ、このクロック信号ＣＫを角度計測器３９、乱数発生器１９及びメモリ１１に出力する。
【０２６１】
角度計測器３９は、ＰＬＬ回路３８からのクロック信号ＣＫをカウントし、光ディスクの角度位置を測定する。角度計測器３９は、ＰＬＬ回路３８からのクロック信号ＣＫをカウントして、フォーマッタ１７からのアドレス情報ＡＤＲが、予めシステムコントローラ２３に設定された基準アドレス情報である場合には、基準アドレス情報を持ったアドレスユニットの先頭位置のタイミングでのカウント値を記憶する。すなわち、角度計測器３９は、基準アドレス位置の角度位置を抽出して保持する。
【０２６２】
角度計測器３９によって、基準アドレス位置の角度位置が測定されれば、システムコントローラ２３は、角速度の一定となるＣＡＶ制御によってスピンドルモータ１２を制御し、ディスク内周の副情報記録領域に対応した半径位置に光学ヘッド１３を移動させる。
【０２６３】
副情報記録領域に光学ヘッド１３が移動された後、ＰＬＬ回路３８は、前記と同様に、スピンドルモータ１２からの回転同期信号ＦＳに同期したクロック信号ＣＫを生成して、角度計測器３９に出力する。
【０２６４】
角度計測器３９は、ＰＬＬ回路３８から入力されるクロック信号ＣＫをカウントするとともに、記憶している基準アドレスの角度位置を示すカウント値を角度位置情報ＡＮＧとして生成して、乱数発生器１９及びメモリ１１に出力する。
【０２６５】
メモリ１１は、予め入力された副情報（媒体固有情報）ＳＤを記憶しており、角度計測器３９からの角度位置情報ＡＮＧに従って、副情報ＳＤを１ビットずつ、入力されるクロック信号ＣＫに同期して、ＥＯＲ４０に出力する。なお、メモリ１１は、角度位置情報ＡＮＧの“０”の位置、すなわち基準アドレスの角度位置から、副情報のビット順に１ビットずつ出力する。
【０２６６】
乱数発生器１９は、メモリ１１と同様に、角度計測器３９から入力される角度位置情報ＡＮＧの先頭位置で初期化して、クロック信号ＣＫに同期して１ビットずつ擬似乱数系列ＲＮを生成してＥＯＲ４０に出力する。なお、乱数発生器１９は、シフトレジスタによって構成される一般的なＭ系列生成器であり、ＰＬＬ回路３８から入力されるクロック信号ＣＫに同期して内部のシフトレジスタをシフトして、１ビットずつ擬似乱数系列ＲＮを生成する。
【０２６７】
ＥＯＲ４０は、一般的な排他的論理和ゲートであり、メモリ１１からの副情報ＳＤと、乱数発生器１９からの擬似乱数系列ＲＮの排他的論理和を算出して、記録データＷＤを生成して、レーザ強度変調器２２に出力する。
【０２６８】
レーザ強度変調器２２は、ＥＯＲ４０から入力される記録データＷＤに従って、記録レーザを照射するタイミングや強度を示す記録パルスＷＰを生成して光学ヘッド１３に出力する。
【０２６９】
光学ヘッド１３は、レーザ強度変調器２２から入力される記録パルスＷＰに従って、レーザに流す電流値を制御して、レーザ光を照射することによって、光ディスクの副情報記録領域に追記マークを形成し、副情報（媒体識別情報）を記録する。
【０２７０】
以上により、光ディスク記録装置２５０は、回転同期信号ＦＳから生成したクロック信号ＣＫに基づいて、予め凹凸マークで記録された基準アドレスの角度位置をカウンタによって算出した後、光学ヘッド１３を副情報記録領域に移動させ、基準アドレスの角度位置情報と同じ角度位置から、副情報を回転同期信号ＦＳに同期したクロック信号ＣＫに同期して記録する。これによって、スタンパによって転写することによって作成された光ディスクであっても、媒体固有情報などを記録することができる。
【０２７１】
また、本実施の形態３の光ディスク記録装置２５０は、凹凸マークによって記録されたアドレスの角度位置を元に擬似乱数系列ＲＮを発生させて、擬似乱数系列ＲＮでスクランブルした副情報を記録している。よって、光ディスクが不正に複製された場合、基準アドレスの角度位置と、副情報を記録した開始位置の角度位置とに誤差が生じ、正しいタイミングで擬似乱数系列ＲＮを発生することができないので、このような不正ディスクの再生動作を停止することができる。
【０２７２】
なお、本実施の形態において、ＰＬＬ回路３８がクロック生成部の一例に相当し、角度計測器３９が基準角度抽出部の一例に相当し、光学ヘッド１３、乱数発生器１９、ＥＯＲ４０、メモリ１１及びレーザ強度変調器２２が副情報記録部の一例に相当する。
【０２７３】
図２１は、実施の形態３の光ディスク記録装置の特徴的な動作を示すタイミングチャートである。まず、光ディスク記録装置２５０に光ディスクがローディングされると、スピンドルモータ１２によって光ディスクが回転し、基準となるアドレス（Ｍ）の位置に光学ヘッド１３が移動する。
【０２７４】
また、スピンドルモータ１２から出力した回転同期信号ＦＳに基づいて、ＰＬＬ回路３８によって回転同期信号ＦＳに同期したクロック信号ＣＫが生成される。
【０２７５】
光学ヘッド１３は、光ディスクに再生強度のレーザ光を照射し、その反射光からチャネル信号ＣＳを抽出して、アナログ信号処理器１５に出力する。アナログ信号処理器１５は、チャネル信号ＣＳに基づいてアナログ再生信号ＡＳを生成して、デジタル信号処理器１６に出力する。デジタル信号処理器１６は、アナログ再生信号ＡＳを量子化して、２値化したデジタル再生信号ＤＳを生成する。フォーマッタ１７は、デジタル再生信号ＤＳから、一定間隔ごとに付与された同期符号を検出して、フレーム単位にフォーマットし、フレームを、同期信号の同期パターンに基づいてアドレス情報ＡＤＲを持つアドレスユニットに分割する。
【０２７６】
角度計測器３９は、ＰＬＬ回路３８から入力されるクロック信号ＣＫに同期したカウンタであり、フォーマッタ１７から入力されるアドレス情報ＡＤＲが、予めシステムコントローラ２３に設定されている基準アドレスである場合には、そのアドレスの示すアドレスユニットの先頭位置に対応した、クロックのカウント値を抽出して記憶する。本例では、基準アドレスは“Ｍ”であり、基準アドレスのアドレスユニットの先頭位置に対応したカウント値は“３００”である。
【０２７７】
基準アドレス位置のカウント値（角度位置）の計測が完了した後、ＣＡＶ制御によりスピンドルモータ１２の回転を制御し、光ディスク内周の副情報記録領域に対応した半径位置に光学ヘッド１３を移動させる。光学ヘッド１３が副情報記録領域に到達した後も同様に、角度計測器３９は、回転同期信号ＦＳに同期したクロック信号ＣＫをカウントする。
【０２７８】
メモリ１１は、カウント値が、角度計測器３９に記憶している基準アドレスのカウント値となる位置から、クロック信号ＣＫに同期して、内部に予め記憶した副情報を１ビットずつ出力する。すなわち、メモリ１１は、基準アドレスの角度位置と同じ角度位置から、１ビットずつ副情報を出力する。
【０２７９】
乱数発生器１９も同様に、基準アドレスの角度位置と同じ角度位置から、１ビットずつ擬似乱数系列ＲＮを出力する。ＥＯＲ４０は、メモリ１１からの副情報ＳＤと、乱数発生器１９からの擬似乱数系列ＲＮとの排他的論理和を算出することによって、副情報ＳＤをスクランブルした記録データＷＤを生成する。
【０２８０】
レーザ強度変調器２２は、ＥＯＲ４０から入力される記録データＷＤに従って、記録レーザを照射するタイミングや、記録パワーを示した記録パルスＷＰを生成する。光学ヘッド１３は、記録パルスＷＰを基に光ディスクにレーザ光を照射し、ディスク表面に反射率の変化した追記マークＳＭＫを形成することで、副情報を追記する。
【０２８１】
以上のように、光ディスク記録装置２５０を用いれば、凹凸マークを転写した再生型光ディスクであっても、光ディスクを作成後、凹凸マークの基準アドレスの角度位置と同じ角度位置を開始点として、副情報記録領域に光ディスク１枚ごとに固有の媒体固有情報を記録することができる。
【０２８２】
複製元光ディスクと複製先光ディスクとの記録開始点のずれや、線速度や回転速度のずれによって、基準アドレス位置と媒体固有情報を記録する開始点とにずれが生じる。ずれが生じれば、媒体固有情報を再生する開始点がずれ、正しい情報を再生することはできない。よって、不正に複製された光ディスクの再生を禁止することができる。
【０２８３】
（３−３）実施の形態３の光ディスク再生装置
次に、実施の形態３の光ディスク再生装置について説明する。図２２は、実施の形態３の光ディスク再生装置３５０の構成を示すブロック図である。図２２に示す光ディスク再生装置３５０は、スピンドルモータ１２、光学ヘッド１３、サーボ回路１４、アナログ信号処理器１５、デジタル信号処理器１６、フォーマッタ１７、ＰＬＬ回路３８、角度計測器３９、乱数発生器１９、ＡＤ４１、２値化器４２、ＥＯＲ４３、メモリ１１及びシステムコントローラ２３を備える。
【０２８４】
スピンドルモータ１２は、光ディスク再生装置３５０に光ディスクがローディングされると、光ディスクを回転させる。光学ヘッド１３は、光ディスクに再生レーザを照射して、その反射光からチャネル信号ＣＳを生成して、アナログ信号処理器１５に出力する。
【０２８５】
アナログ信号処理器１５は、光学ヘッド１３から入力されるチャネル信号ＣＳから、レーザ光のフォーカス位置のズレを示すフォーカスエラー信号ＦＥと、凹凸マークのトラック位置に対してレーザ光の半径位置のズレを示すトラッキングエラー信号ＴＥとを生成して、サーボ回路１４に出力する。また、アナログ信号処理器１５は、チャネル信号ＣＳの凹凸マークに対応した信号成分を抽出して、増幅したり波形等化したりしてアナログ再生信号ＡＳを生成してデジタル信号処理器１６に出力する。
【０２８６】
サーボ回路１４は、アナログ信号処理器１５から入力されるフォーカスエラー信号ＦＥに基づいて、フォーカス位置のズレを補正するためのフォーカス制御信号ＦＣを生成し、トラッキングエラー信号ＴＥに基づいて、トラッキング位置を補正するためのトラッキング制御信号ＴＣを生成して、光学ヘッド１３に出力する。また、サーボ回路１４は、チャネル信号ＣＳに基づいて、再生している半径位置における線速度を算出して、現在の線速度とのずれを判定して、回転数を補正するための回転制御信号ＳＣを生成してスピンドルモータ１２に出力する。
【０２８７】
デジタル信号処理器１６は、内部に持つＰＬＬ回路によって、アナログ信号処理器１５から入力されるアナログ再生信号ＡＳに同期したクロック信号ＣＫを抽出して、クロック信号ＣＫに同期して、入力されるアナログ再生信号ＡＳを量子化し、２値化したデジタル再生信号ＤＳを生成してフォーマッタ１７に出力する。
【０２８８】
フォーマッタ１７は、デジタル信号処理器１６から入力されるデジタル再生信号ＤＳに一定間隔ごとに付与された同期符号を検出してフレーム単位にフォーマットして、同期符号の同期パターンによって、アドレス情報を含むアドレスユニット単位にフレームを分割して、アドレスユニット単位に付与されているアドレス情報ＡＤＲを抽出して、角度計測器３９に出力する。
【０２８９】
ＰＬＬ回路３８は、一般的なＰＬＬ回路で構成され、スピンドルモータ１２からの回転同期信号ＦＳと内部で発生するクロック信号ＣＫとの位相誤差を算出して、位相誤差が“０”になるように、クロック信号ＣＫの周波数を制御する。したがって、ＰＬＬ回路３８は、回転同期信号ＦＳに同期したクロック信号ＣＫを生成して、ＡＤ４１、角度計測器３９及び乱数発生器１９に出力する。
【０２９０】
角度計測器３９は、ＰＬＬ回路３８から入力されるクロック信号ＣＫをカウントするカウンタで構成され、システムコントローラ２３に予め設定された基準アドレスと、フォーマッタ１７から入力されるアドレス情報ＡＤＲとが等しいときに、基準アドレスのアドレスユニットの先頭位置における、カウンタのカウント値を抽出して記憶する。すなわち、カウンタは、回転同期信号ＦＳに同期したクロック信号ＣＫをカウントしているため、光ディスクの角度位置を計測していることとなる。基準アドレスの示すアドレスユニットの先頭位置におけるカウント値は、基準アドレスの示すアドレスユニットの先頭位置の角度位置を抽出していることとなる。
【０２９１】
角度計測器３９によって、基準アドレスの角度位置が抽出された後、システムコントローラ２３は、角速度が一定となるＣＡＶ制御によってスピンドルモータ１２を制御し、ディスク内周の副情報記録領域に対応した半径位置に光学ヘッド１３を移動させる。
【０２９２】
副情報記録領域に光学ヘッド１３が移動された後、ＰＬＬ回路３８は、前記と同様に、スピンドルモータ１２からの回転同期信号ＦＳに同期したクロック信号ＣＫを生成して、角度計測器３９に出力する。角度計測器３９は、ＰＬＬ回路３８から入力されるクロック信号ＣＫをカウントして、そのカウント値を角度位置情報ＡＮＧとして乱数発生器１９に出力する。
【０２９３】
乱数発生器１９は、角度計測器３９に記憶された基準アドレスでのカウント値と、現在のカウント値とが同じである場合、すなわち、基準アドレス位置の角度位置と、現在の角度位置とが同じである場合に、その位置を開始点として、クロック信号ＣＫに同期して、擬似乱数系列ＲＮを１ビットずつ生成してＥＯＲ４３に出力する。
【０２９４】
ＡＤ４１は、一般的なアナログ−デジタル変換器で構成され、ＰＬＬ回路３８からのクロック信号ＣＫに同期して、アナログ信号処理器１５からのアナログ再生信号ＡＳをサンプリングして量子化し、量子化再生信号ＤＡＳを生成して、２値化器４２に出力する。
【０２９５】
２値化器４２は、ＡＤ４１から入力される量子化再生信号ＤＡＳを２値化して２値化再生信号ＢＳを生成してＥＯＲ４３に出力する。光ディスク再生装置３５０は、副情報記録領域の再生時において追記マークへのトラッキング制御を行わないので、副情報記録領域の再生信号は、追記マークの存在しない反射光と、追記マークを横断あるいは走査する反射光とに切り分けることができる。２値化器４２は、この２つの反射光の違いを２値化して出力する。よって、低域通過フィルタを用いて量子化再生信号ＤＡＳを所定帯域で平均化した後、２値化すれば、より効率的に２値化することができる。
【０２９６】
ＥＯＲ４３は、一般的な、排他的論理和ゲートで構成され、２値化器４２からの２値化再生信号ＢＳと、乱数発生器１９からの擬似乱数系列ＲＮとの排他的論理和を算出する。乱数発生器１９は、実施の形態３の光ディスク記録装置２５０と同様の構成であるので、記録時に擬似乱数系列ＲＮによってスクランブルされた副情報ＳＤは、ＥＯＲ４３によりデスクランブルされることになる。よって、ＥＯＲ４３は、デスクランブルした副情報ＳＤを生成してメモリ１１に出力する。メモリ１１は、デスクランブルされた副情報ＳＤを１ビットずつ記憶する。
【０２９７】
以上のように、光ディスク再生装置３５０は、基準となるアドレスの示すアドレスユニットの先頭位置の角度位置を予め抽出し、抽出した角度位置を記録開始点として、光ディスクの副情報記録領域から副情報を再生する。不正に複製された光ディスクは、記録開始点のずれや、線速度や回転数のずれによって基準アドレス位置と副情報の記録開始点とがずれる。よって、正しい開始点で副情報を再生することが不可能となり、不正に複製された光ディスクから正しい副情報を再生することはできない。
【０２９８】
なお、光ディスク再生装置３５０は、正しい副情報が再生されていないと判断したときは、再生動作を停止させる。正しい副情報であるかの判定方法は、記録時に副情報をエラー訂正符号化して記録しておき、副情報の再生後にエラー訂正を行い、訂正不能やエラーが検出されたときには、正しい副情報が再生できていないとして再生動作を停止する。また、副情報の記録時にＭＡＣなどの改竄防止符号を付与して、再生時において検出した副情報からＭＡＣを算出して、算出したＭＡＣと副情報に付与されているＭＡＣとの整合を確認して、整合が無いときは、正しい副情報が記録されていないとして、再生動作を停止する。
【０２９９】
なお、本実施の形態において、ＰＬＬ回路３８がクロック生成部の一例に相当し、角度計測器３９が基準角度抽出部の一例に相当し、乱数発生器１９、ＡＤ４１、２値化器４２、ＥＯＲ４３及びメモリ１１が副情報再生部の一例に相当する。
【０３００】
図２３は、実施の形態３の光ディスク再生装置の特徴的な動作を示したタイミングチャートである。ＰＬＬ回路３８は、スピンドルモータ１２の回転同期信号ＦＳに同期したクロック信号ＣＫを生成する。
【０３０１】
また、光学ヘッド１３は、光ディスクに再生レーザを照射して、その反射光からチャネル信号ＣＳを生成し、アナログ信号処理器１５に出力する。アナログ信号処理器１５は、チャネル信号ＣＳに基づいてアナログ再生信号ＡＳを生成して、デジタル信号処理器１６に出力する。デジタル信号処理器１６のＰＬＬ回路は、アナログ再生信号ＡＳに同期したクロック信号ＣＫを抽出するとともに、アナログ再生信号ＡＳを量子化して、２値化したデジタル再生信号ＤＳを生成する。
【０３０２】
フォーマッタ１７は、デジタル信号処理器１６から入力されるデジタル再生信号ＤＳから、一定間隔ごとに付与された同期符号を検出して、フレーム単位にフォーマットし、フレームを、同期符号の同期パターンに基づいて、アドレス情報ＡＤＲを含むアドレスユニットに分割する。
【０３０３】
角度計測器３９は、ＰＬＬ回路３８からの光ディスクの回転に同期したクロック信号ＣＫをカウントして、光ディスクの回転位置（角度位置）を計測する。また、予めシステムコントローラに設定された基準アドレスの示すアドレスユニットの先頭位置におけるカウント値、すなわち基準アドレスの角度位置を算出して記憶する。本例では、基準アドレスが“Ｍ”であり、基準アドレスの角度位置が“３００”である。
【０３０４】
基準アドレスの角度位置の計測が完了した後、角速度が一定となるＣＡＶ制御によりスピンドルモータ１２の回転を制御し、光ディスク内周の副情報記録領域に対応した半径位置に光学ヘッド１３を移動させる。
【０３０５】
副情報記録領域では、追記マークＳＭＫへのトラッキング制御は行わないで、光ディスクに再生強度のレーザ光を照射し、その反射光からアナログ再生信号ＡＳが生成される。また、アナログ再生信号ＡＳは、２値化器４２で２値化され、追記マークＳＭＫの存在しない領域と追記マークＳＭＫの存在する領域とに分離される。
【０３０６】
また、副情報記録領域の再生においても同様に、ＰＬＬ回路３８は、光ディスクの回転に同期したクロック信号ＣＫを生成し、角度計測器３９は、クロック信号ＣＫをカウントして、光ディスクの角度位置を算出する。
【０３０７】
乱数発生器１９は、角度計測器３９のカウント値を基に、基準アドレスの角度位置と同等の角度位置から、クロック信号ＣＫに同期して擬似乱数系列ＲＮを１ビットずつ生成する。ＥＯＲ４３は、乱数発生器１９で発生した擬似乱数系列ＲＮによって、再生される２値化再生信号ＢＳのデスクランブルを行って副情報ＳＤを再生する。
【０３０８】
以上のように、光ディスク再生装置３５０は、基準アドレス位置の示すアドレスユニットの先頭位置の角度位置を予め抽出し、抽出した角度位置を開始点として、光ディスクの副情報記録領域から副情報を再生する。不正に複製された光ディスクは、記録開始位置のずれや、線速度や回転数のずれによって基準アドレス位置と副情報の記録開始位置がずれる。よって、正しい開始点で副情報を再生することが不可能となり、不正に複製されたディスクから正しい副情報を再生することはできない。
【０３０９】
なお、光ディスク再生装置３５０は、正しい副情報が再生されていないと判断したときは、再生動作を停止させる。正しい副情報であるかの判定方法は、記録時に副情報をエラー訂正符号化して記録しておき、副情報の再生後にエラー訂正を行い、訂正不能やエラーが検出されたときには、正しい副情報が再生できていないとして再生動作を停止する。また、副情報の記録時にＭＡＣなどの改竄防止符号を付与して、再生時において検出した副情報からＭＡＣを算出して、算出したＭＡＣと副情報に付与されているＭＡＣとの整合を確認して、整合が無いときは、正しい副情報が記録されていないとして、再生動作を停止する。
【０３１０】
本実施の形態の光ディスク、光ディスク記録装置及び光ディスク再生装置によれば、副情報の記録は、転写された凹凸マークで示されるアドレスのうち基準アドレスの角度位置を再生して、基準アドレスの角度位置を開始点として、副情報記録領域に副情報が記録される。
【０３１１】
また、副情報の再生も同様に、転写された凹凸マークで示される記録時と同様の基準アドレスの角度位置を算出して、基準アドレスの角度位置を開始点として、副情報記録領域から副情報を再生することができる。
【０３１２】
すなわち、副情報の再生動作によって、凹凸マークの基準アドレスの角度位置が、記録時と再生時とで整合しているか否かが判定される。通常、光ディスクが不正に複製されれば、記録位置のずれや、線速度や回転数の誤差によって、基準アドレスの角度位置と副情報記録位置の角度位置とがずれる。これらの関係がずれれば、副情報を再生する正しいタイミングが生成できないので副情報の再生が不可能となる。これによって、不正な光ディスクの再生を禁止することができる。
【０３１３】
また、実施の形態３における光ディスクは、副情報記録領域に副情報を記録する際、角度計測器３９のカウンタ値に基づいて、追記マークＳＭＫを記録しない追記マーク未記録領域を設定してもよい。このようにすれば、副情報記録領域内の一部に扇形の領域として、追記マークＳＭＫも、凹凸マークＭＫも記録されない、いわゆるミラー領域が形成される。また、このミラー領域は、トラッキングを行うトラッキングサーボの追従帯域より広く設けることが望ましい。このようにすれば、例え追記マークＳＭＫにトラッキング制御を行って、追記マークＳＭＫを複製しようとしても、追記マーク未記録領域でトラッキング制御が不可能となって追記マークＳＭＫを複製することが不可能となる。
【０３１４】
また、本実施の形態３では、角度位置を抽出するための基準アドレスを予めシステムコントローラ２３に設定される固定値として説明したが、これに限らない。例えば、記録時には任意のアドレスを選択しておいて、実施の形態１で説明した媒体ＩＤの変わりに、選択したアドレスを基準アドレスとして記録する。これにより、光ディスク１枚ごとに異なるアドレス位置を基準として副情報が記録されるため、光ディスクの不正な解析を防止することができる。この場合、アドレスは、改竄防止符号を付与したり、暗号化したりして記録することが望ましい。これによって、正式な暗号鍵を持たない海賊版メーカでは、アドレス情報の記録が実質不可能となる。
【０３１５】
また、副情報記録領域の再生には、追記マークへＳＭＫのトラッキング制御が行われないので、副情報は、光ディスクの半径方向に複数トラックの範囲で記録することが望ましい。
【０３１６】
また、追記マークＳＭＫへのトラッキングを行って副情報を読み出しても、もちろん構わない。この場合は、そもそも追記マーク未記録領域を設けないか、追記マーク未記録領域内ではトラッキング制御を行わないようにして追記マークＳＭＫの再生を行う。また、追記マーク未記録領域も、実施の形態１の媒体ＩＤのように、凹凸マークＭＫのトラック上の反射膜にレーザ光を照射し、反射率を変化させて記録しても構わない。この場合には、媒体ごとに固有の追記マーク未記録領域を設定することができる。
【０３１７】
また、実施の形態３では、角度計測器３９によって一回転に３６０のカウントを行う形態で説明した。これは、光ディスク一回転を円周方向に３６０分割したブロックで、ブロック内に追記マークが存在するか否かを判定して副情報を抽出している。よって、このブロックの任意ブロックに追記マークＳＭＫや、反射膜を除去した傷ブロックを形成して、どのブロックに追記マークＳＭＫあるいは傷ブロックが存在するかを、例えば実施の形態１の媒体ＩＤとして記録しても良い。
【０３１８】
また、実施の形態３では、副情報記録領域の一回転で副情報を再生する形態で説明したが、これに限られない。通常、トラッキング制御なしに追記マークＳＭＫを再生すると、一部の領域では追記マーク間のミラー領域を再生してしまう可能性があるので、このときは正しい副情報の再生は行えない。従って、一回転に半径方向の内周側、あるいは外周側に移動させながら、一回転のタイミングに同期して、再生された２値化再生信号ＢＳを積算して抽出すれば、安定した副情報の再生が可能となる。
【０３１９】
また、副情報記録領域を、半径位置に従って複数の領域に分割して、それぞれに異なる基準アドレスを設定したり、異なる乱数系列を設定したりすれば、セキュリティ強度を高めることができる。
【０３２０】
また、同様に半径位置に従った複数領域にそれぞれ異なる情報を記録すれば、副情報の記録容量を向上させることが可能となる。
【０３２１】
また、実施の形態３では、副情報記録領域には凹凸マークＭＫが形成されていない形態で説明したが、これに限られない。凹凸マークＭＫ上に追記マークＳＭＫを記録しても、凹凸マークＭＫの記録帯域は、追記マーク帯域より十分高いので、これらを簡単に分離できるので、安定して追記マークＳＭＫの再生を行うことが可能である。
【０３２２】
（４）その他の実施の形態
ここで、実施の形態１及び実施の形態２で説明を省いたが、追記マークの他の記録形態について説明する。実施の形態１では追記マークにより媒体ＩＤが記録され、実施の形態２では追記マークにより物理位置情報が記録される。図２４は、その他の実施の形態の追記マークの記録形態を示す概念図である。
【０３２３】
実施の形態１及び２において、追記マークの形状及び形成位置は、種々の変更が可能である。図２４（Ａ）は、トラック間に間欠的に形成された追記マークを示す図であり、図２４（Ｂ）は、凹凸マーク上に蛇行して形成された追記マークを示す図であり、図２４（Ｃ）は、円周方向の間隔が短く、かつ間欠的に形成された追記マークを示す図であり、図２４（Ｄ）は、凹凸マークの半径方向の長さよりも長く、かつ連続的に形成された追記マークを示す図であり、図２４（Ｅ）は、凹凸マークの半径方向の長さよりも長く、かつ間欠的に形成された追記マークを示す図である。
【０３２４】
図２４（Ａ）において、追記マークＳＭＫは、凹凸マークＭＫのトラック間に、凹凸マークの円周方向の最長マークより低い帯域で、かつ間欠的に形成されている。実施の形態１では、凹凸マークの円周方向の最長マークより低い帯域で１つの追記マークＳＭＫを記録する例を説明したが、間欠的な追記マークにすれば、より一層凹凸マークＭＫの再生精度への影響を低減することが可能となる。また、トラック間は、凹凸マークＭＫのトラック間の中心とは限らない。凹凸マークＭＫのトラック間にトラッキングするとき、トラック位置を予めオフセットさせておくことによって、トラック間の中心位置から外れた位置に追記マークＭＫが形成される。よって、再生時には、凹凸マークＭＫのトラックにトラッキングして追記マークＳＭＫを検出するので、追記マークＳＭＫの検出精度を向上することができる。
【０３２５】
図２４（Ｂ）において、追記マークＳＭＫは、凹凸マークＭＫ上に蛇行して形成されている。実施の形態１では、追記マークＳＭＫを円周方向に直線状に形成しているが、本発明は特にこれに限定されず、追記マークＳＭＫを円周方向に蛇行して形成してもよい。
【０３２６】
図２４（Ｃ）において、追記マークＳＭＫは、半径方向に太さが不均一になるように形成されている。このような追記マークＳＭＫは、追記マークＳＭＫを記録するときにレーザ強度を上げたり下げたりして、複数の記録パルス（マルチパルス）で記録して、１つ１つのマルチパルス幅を狭くする、すなわち記録強度のレーザ光が照射される時間を短くすることによって形成される。間欠的ではあるものの、円周方向の追記マークＳＭＫの間隔が接近しているため、追記マークＳＭＫが繋がっている。
【０３２７】
図２４（Ｄ）において、追記マークＳＭＫは、凹凸マークＭＫよりも半径方向の長さが長く形成されている。追記マークＳＭＫの特性によっては、記録時に凹凸マークＭＫよりも半径方向に太い追記マークＳＭＫを形成しても、再生時に凹凸マークＭＫの変調度の方が高くなるケースが知られている。よって、このようなときは凹凸マークＭＫよりも半径方向に太い追記マークＳＭＫを形成してもよい。
【０３２８】
図２４（Ｅ）において、追記マークＳＭＫは、図２４（Ｄ）と同様に凹凸マークよりも半径方向の長さが長く、かつ間欠的に形成されている。この場合、間欠的に追記マークＳＭＫが形成されているので、凹凸マークＭＫの再生精度への影響を低減することが可能となる。
【０３２９】
図２４（Ａ）〜（Ｅ）に示すどのような形態も、本発明の範囲であり、各実施の形態で説明した効果と同様の効果を得るものである。また、本発明は、このような形状には限定されない。凹凸マークを記録して、ディスクを成形後、ディスクの反射率を変化させて追記マークを記録する発明は、全て本発明の範囲である。
【０３３０】
また、実施の形態１では追記マークによって媒体ＩＤを記録し、実施の形態２では追記マークによって物理位置情報を記録しているが、本発明はこれに限られない。例えば、ユーザ領域に記録された暗号化コンテンツを復号化するための鍵情報などの復号化に関する情報や、光ディスクが正当であることを示した証明書データ、コンテンツの移動又は複製の許可されている回数、時間及び期間に関する情報、不正ディスクであることを示す情報など、記録されるデジタル著作物に関する情報であればどのような情報でも記録することができる。
【０３３１】
なお、上述した具体的実施形態には以下の構成を有する発明が主に含まれている。
【０３３２】
本発明の一局面に係る光ディスクは、変調された主情報に従って、チャネルビット長の整数倍に同期した凹凸マークを形成した後、前記凹凸マーク上に反射膜を形成した光ディスクであって、前記光ディスクが成形された後、前記凹凸マークの円周方向に形成された螺旋状のトラックに従って、前記凹凸マークの最長マークよりも長い間隔で、かつ前記チャネルビット長の整数倍に同期した連続的又は間欠的なレーザ光が照射されることによって、前記反射膜の光学的特性を変化させて追記マークが形成され、前記主情報を再生するのに必要な副情報が重畳記録される。
【０３３３】
この構成によれば、光ディスクの凹凸マーク上に反射膜が形成された後、凹凸マークの円周方向に形成された螺旋状のトラックに従って、凹凸マークの最長マークよりも長い間隔で、かつチャネルビット長の整数倍に同期した連続的又は間欠的なレーザ光が照射される。これによって、反射膜の光学的特性を変化させて追記マークが形成され、主情報を再生するのに必要な副情報が重畳記録される。
【０３３４】
したがって、主情報の読み取り精度を悪化させることなく、主情報を再生するのに必要な副情報を記録することができ、光ディスクの不正な複製を防止することができる。
【０３３５】
また、上記の光ディスクにおいて、前記追記マークの半径方向の幅は、前記凹凸マークの半径方向の幅に比べて狭いことが好ましい。この構成によれば、追記マークの半径方向の幅は、凹凸マークの半径方向の幅に比べて狭いので、再生時において、追記マークを形成することによる反射光レベルの変動を凹凸マークの変調度より小さくすることができ、凹凸マークの再生精度の悪化を軽減することができる。
【０３３６】
また、上記の光ディスクにおいて、前記追記マークは、前記凹凸マークの円周方向に形成された螺旋状のトラック上に形成されていることが好ましい。この構成によれば、凹凸マークの円周方向に形成された螺旋状のトラック上に追記マークを形成することができる。
【０３３７】
また、上記の光ディスクにおいて、前記追記マークは、前記凹凸マークの円周方向に形成された螺旋状のトラック間に形成されていることが好ましい。この構成によれば、凹凸マークの円周方向に形成された螺旋状のトラック間に追記マークを形成することができる。また、半径方向に隣接するトラック間に追記マークが形成されるので、凹凸マークの再生精度に影響を与えることなく追記マークを形成することができる。また、凹凸マークのトラック間の反射率を変化させて追記マークか形成されるので、主情報である凹凸マークの再生に何ら影響を与えることがない上、凹凸マークのトラックピッチは追記マークの有無に関係なく同じトラックピッチで形成されるためディスク容量が削減されることはない。
【０３３８】
また、上記の光ディスクにおいて、前記追記マークは、前記凹凸マークを有する第１のトラックと前記第１のトラックに隣接する第２のトラックとの中間位置に形成されていることが好ましい。この構成によれば、凹凸マークを有する第１のトラックと第１のトラックに隣接する第２のトラックとの中間位置に追記マークが形成されるので、凹凸マークの再生精度に影響を与えることなく追記マークを形成することができる。なお、中間位置には、第１のトラックと第２のトラックとの中央部分だけでなく、第１のトラックと第２のトラックとの略中央部分も含まれる。
【０３３９】
また、上記の光ディスクにおいて、前記追記マークは、前記凹凸マークを有する第１のトラックと前記第１のトラックに隣接する第２のトラックとの中間位置より、前記第１のトラック側に形成されていることが好ましい。この構成によれば、凹凸マークを有する第１のトラックと第１のトラックに隣接する第２のトラックとの中間位置より、第１のトラック側に追記マークを形成することができる。
【０３４０】
また、上記の光ディスクにおいて、前記副情報の１ビットは、複数の追記マークを伴って記録されていることが好ましい。この構成によれば、複数の追記マークを伴って、１ビットの副情報を記録することができる。
【０３４１】
また、上記の光ディスクにおいて、前記副情報の１ビットは、間欠的に形成された前記追記マークの集合として記録されていることが好ましい。この構成によれば、副情報の１ビットは、間欠的に形成された追記マークの集合として、１ビットの副情報を記録することができる。
【０３４２】
また、上記の光ディスクにおいて、前記追記マークの円周方向の長さは、前記凹凸マークの円周方向の最短マーク長以下であることが好ましい。この構成によれば、追記マークの円周方向の長さは、凹凸マークの円周方向の最短マーク長以下であるので、凹凸マークの再生精度を悪化させることなく、追記マークを形成することができる。
【０３４３】
また、上記の光ディスクにおいて、前記追記マークの円周方向の長さは、前記チャネルビット長以下であることが好ましい。この構成によれば、追記マークの円周方向の長さは、チャネルビット長以下であるので、凹凸マークの再生精度を悪化させることなく、追記マークを形成することができる。
【０３４４】
また、上記の光ディスクにおいて、前記追記マークを形成することによって生じる反射光レベルの変動である追記マークの変調度は、前記凹凸マークの反射光レベルと前記凹凸マーク以外の前記反射膜の反射光レベルとの差である凹凸マークの変調度より小さいことが好ましい。
【０３４５】
この構成によれば、追記マークを形成することによって生じる反射光レベルの変動である追記マークの変調度は、凹凸マークの反射光レベルと凹凸マーク以外の反射膜の反射光レベルとの差である凹凸マークの変調度より小さいので、追記マークによる影響を抑えつつ、凹凸マークを再生することができる。
【０３４６】
また、上記の光ディスクにおいて、前記追記マークの変調度は、前記凹凸マークの変調度の１／２より平均的に小さいことが好ましい。この構成によれば、追記マークの変調度は、凹凸マークの変調度の１／２より平均的に小さいので、凹凸マークの再生信号のエッジ位置を誤って再生することがなくなり、凹凸マークの再生精度に影響を与えることなく、追記マークを形成することができる。
【０３４７】
また、上記の光ディスクにおいて、前記追記マークは、前記レーザ光が照射された部分の前記反射膜の反射率を高くすることにより形成されることが好ましい。この構成によれば、追記マークは、レーザ光が照射された部分の反射膜の反射率を高くすることにより形成される。通常、再生専用の光ディスクの金属膜はレーザ光が照射されることによって反射率が下がってしまうので、レーザ光が照射された部分の反射膜の反射率を高くする光ディスクでなければ副情報を記録することができず、光ディスクの不正な複製を防止することができる。
【０３４８】
また、上記の光ディスクにおいて、前記副情報は、擬似乱数系列によって周波数拡散されて記録されていることが好ましい。この構成によれば、副情報は、擬似乱数系列によって周波数拡散されて記録されているので、反射率の変動を周波数的に解析しようとしても雑音成分と区別することが困難となり、副情報を解析して不正に光ディスクを複製することを防止することができる。
【０３４９】
また、上記の光ディスクにおいて、前記副情報は、ＰＥ変調が施されて記録されていることが好ましい。この構成によれば、副情報は、ＰＥ変調が施されて記録されているので、反射率を変化させる部分と変化させない部分との出現確率が略等しくなり、再生時のトラッキング信号や再生信号に直流成分が付与されてしまうことを回避することができる。
【０３５０】
また、上記の光ディスクにおいて、前記追記マークは、前記凹凸マーク上の前記トラックに直交する方向に形成され、前記副情報は、前記追記マークが形成された領域の前記光ディスクにおける物理的な位置を表す物理位置情報を含むことが好ましい。
【０３５１】
この構成によれば、追記マークは、凹凸マーク上のトラックに直交する方向に形成され、副情報には、追記マークが形成された領域の光ディスクにおける物理的な位置を表す物理位置情報が含まれる。したがって、再生時において、凹凸マーク上のトラックに直交する方向に形成された追記マークの物理的な位置を検出し、予め記録されている物理位置情報と比較することにより、不正に複製された光ディスクであるか否かを判断することができ、不正に複製された光ディスクの再生を禁止することができる。
【０３５２】
本発明の他の局面に係る光ディスク製造方法は、変調された主情報に従って、チャネルビット長の整数倍に同期した凹凸マークを形成した光ディスク原盤を作成するマスタリングステップと、前記光ディスク原盤の凹凸マークを、光ディスク基板に転写するスタンプステップと、前記光ディスク基板上に反射膜を形成するスパッタリングステップと、前記スパッタリングステップにおいて前記光ディスクの凹凸マーク上に反射膜が形成された後、前記凹凸マークの円周方向に形成された螺旋状のトラックに従って、前記凹凸マークの最長マークより長い間隔で、かつ前記チャネルビット長の整数倍に同期した連続的又は間欠的なレーザ光が照射されることによって、前記反射膜の光学的特性を変化させて追記マークを形成し、前記主情報を再生するのに必要な副情報を重畳記録する副情報記録ステップとを含む。
【０３５３】
この構成によれば、マスタリングステップにおいて、変調された主情報に従って、チャネルビット長の整数倍に同期した凹凸マークを形成した光ディスク原盤が作成される。そして、スタンプステップにおいて、光ディスク原盤の凹凸マークが、光ディスク基板に転写され、スパッタリングステップにおいて、光ディスク基板上に反射膜が形成される。スパッタリングステップにおいて光ディスクの凹凸マーク上に反射膜が形成された後、副情報記録ステップにおいて、凹凸マークの円周方向に形成された螺旋状のトラックに従って、凹凸マークの最長マークより長い間隔で、かつチャネルビット長の整数倍に同期した連続的又は間欠的なレーザ光が照射されることによって、反射膜の光学的特性を変化させて追記マークが形成され、主情報を再生するのに必要な副情報が重畳記録される。
【０３５４】
したがって、主情報の読み取り精度を悪化させることなく、主情報を再生するのに必要な副情報を記録することができ、光ディスクの不正な複製を防止することができる。
【０３５５】
本発明の他の局面に係る光ディスク記録装置は、予め主情報が凹凸マークによって記録された光ディスクに、前記主情報を再生するのに必要な副情報を重畳記録する光ディスク記録装置であって、前記凹凸マークの円周方向に形成された螺旋状のトラックに従ってレーザ光が照射される位置を制御するトラッキング部と、前記凹凸マークに再生レーザ光を照射した反射光から再生信号を抽出する再生信号抽出部と、前記凹凸マークのチャネルビット長に同期したチャネルクロックを抽出するクロック抽出部と、前記チャネルクロックの整数倍で、かつ前記再生信号の帯域よりも低い帯域に同期した記録レーザ光を照射し、前記光ディスクの記録面に形成された反射膜の光学的特性を変化させて追記マークを形成し、前記光ディスクに前記副情報を重畳記録する副情報記録部とを備える。
【０３５６】
この構成によれば、トラッキング部によって、予め主情報が記録された凹凸マークの円周方向に形成された螺旋状のトラックに従ってレーザ光が照射される位置が制御される。そして、再生信号抽出部によって、凹凸マークに再生レーザ光を照射した反射光から再生信号が抽出され、クロック抽出部によって、凹凸マークのチャネルビット長に同期したチャネルクロックが抽出される。続いて、副情報記録部によって、チャネルクロックの整数倍で、かつ再生信号の帯域よりも低い帯域に同期した記録レーザ光が照射され、光ディスクの記録面に形成された反射膜の光学的特性を変化させて追記マークが形成され、光ディスクに主情報を再生するのに必要な副情報が重畳記録される。
【０３５７】
したがって、主情報の読み取り精度を悪化させることなく、主情報を再生するのに必要な副情報を記録することができ、光ディスクの不正な複製を防止することができる。
【０３５８】
本発明の他の局面に係る光ディスク再生装置は、光ディスクの凹凸マークから主情報を再生するとともに、レーザ光が照射されることによって前記光ディスクの反射膜の光学的特性を変化させて形成された追記マークから前記主情報を再生するのに必要な副情報を再生する光ディスク再生装置であって、前記凹凸マークの円周方向に形成された螺旋状のトラックに従って前記レーザ光が照射される位置を制御するトラッキング部と、前記凹凸マークに再生レーザを照射した反射光から再生信号を抽出する再生信号抽出部と、前記再生信号からチャネルビット長に同期したチャネルクロックを抽出するクロック抽出部と、前記再生信号から凹凸マークに対応した凹凸マーク再生信号と、前記追記マークに対応した追記マーク再生信号とを分離する分離部と、前記チャネルクロックの整数倍で、かつ前記凹凸マーク再生信号の帯域よりも低い帯域に同期した前記追記マーク再生信号から前記副情報を再生する副情報再生部とを備える。
【０３５９】
この構成によれば、トラッキング部によって、予め主情報が記録された凹凸マークの円周方向に形成された螺旋状のトラックに従ってレーザ光が照射される位置が制御される。そして、再生信号抽出部によって、凹凸マークに再生レーザを照射した反射光から再生信号が抽出され、クロック抽出部によって、再生信号からチャネルビット長に同期したチャネルクロックが抽出される。続いて、分離部によって、再生信号から凹凸マークに対応した凹凸マーク再生信号と、追記マークに対応した追記マーク再生信号とが分離され、副情報再生部によって、チャネルクロックの整数倍で、かつ凹凸マーク再生信号の帯域よりも低い帯域に同期した追記マーク再生信号から、主情報を再生するのに必要な副情報が再生される。
【０３６０】
したがって、主情報の読み取り精度を悪化させることなく、主情報を再生するのに必要な副情報を再生することができ、光ディスクの不正な複製を防止することができる。
【０３６１】
また、上記の光ディスク再生装置において、前記再生信号から所定間隔で付与されている同期符号を検出する同期符号検出部をさらに備え、前記副情報再生部は、前記同期符号検出部による前記同期符号の検出タイミングに同期して前記副情報を再生することが好ましい。
【０３６２】
この構成によれば、同期符号検出部によって、再生信号から所定間隔で付与されている同期符号が検出され、副情報再生部によって、同期符号検出部による同期符号の検出タイミングに同期して副情報が再生される。したがって、再生信号には所定間隔で同期符号が予め付与されており、この同期符号の検出タイミングに同期して副情報が再生されるので、容易に副情報を再生することができる。
【０３６３】
また、上記の光ディスク再生装置において、前記副情報再生部は、相関系列を生成する相関系列生成部と、前記相関系列生成部によって生成された前記相関系列と、前記追記マーク再生信号との相関値を検出する相関検出部と、前記相関検出部によって検出された前記相関値に基づいて前記副情報を再生する再生部とを含むことが好ましい。
【０３６４】
この構成によれば、相関系列生成部によって、相関系列が生成され、相関検出部によって、相関系列生成部により生成された相関系列と、追記マーク再生信号との相関値が検出され、再生部によって、相関検出部により検出された相関値に基づいて副情報が再生されるので、生成された相関系列と追記マーク再生信号との相関値に基づいて副情報を再生することができる。
【０３６５】
また、上記の光ディスク再生装置において、前記再生信号から所定間隔で付与されている同期符号を検出する同期符号検出部をさらに備え、前記相関系列生成部は、前記同期符号検出部によって検出された前記同期符号の検出タイミングに同期して前記相関系列を生成することが好ましい。
【０３６６】
この構成によれば、同期符号検出部によって、再生信号から所定間隔で付与されている同期符号が検出され、相関系列生成部によって、同期符号検出部により検出された同期符号の検出タイミングに同期して相関系列が生成される。したがって、再生信号には所定間隔で同期符号が予め付与されており、この同期符号の検出タイミングに同期して相関系列が生成されるので、同期符号の検出タイミングに同期して生成された相関系列と追記マーク再生信号との相関値に基づいて副情報を再生することができる。
【０３６７】
また、上記の光ディスク再生装置において、前記分離部は、前記再生信号から、前記凹凸マークに対応した帯域より低い帯域の信号成分を前記追記マーク再生信号として抽出する帯域制限フィルタを含むことが好ましい。
【０３６８】
この構成によれば、帯域制限フィルタによって、再生信号から、凹凸マークに対応した帯域より低い帯域の信号成分が追記マーク再生信号として抽出される。したがって、帯域制限フィルタによって、凹凸マーク再生信号と追記マーク再生信号とを分離することが可能となり、互いの再生精度を確保することができる。
【０３６９】
また、上記の光ディスク再生装置において、前記追記マークは、前記凹凸マーク上の前記トラックに直交する方向に形成され、前記副情報は、前記追記マークが形成された領域の前記光ディスクにおける物理的な位置を表す物理位置情報を含み、前記トラックに直交して形成された前記追記マークの前記凹凸マーク位置を基準とした物理位置情報を確認する位置確認部と、前記副情報再生部によって再生された前記副情報に含まれる前記物理位置情報と、前記位置確認部によって確認された前記物理位置情報とを比較する比較部と、前記比較部による比較の結果、前記物理位置情報が一致しない場合、前記主情報の再生を制限する再生制限部とをさらに備えることが好ましい。
【０３７０】
この構成によれば、追記マークは、凹凸マーク上のトラックに直交する方向に形成され、副情報は、追記マークが形成された領域の光ディスクにおける物理的な位置を表す物理位置情報を含む。そして、位置確認部によって、トラックに直交して形成された追記マークの凹凸マーク位置を基準とした物理位置情報が確認され、比較部によって、副情報再生部により再生された副情報に含まれる物理位置情報と、位置確認部によって確認された物理位置情報とが比較される。その後、再生制限部によって、比較部による比較の結果、物理位置情報が一致しない場合、主情報の再生が制限される。
【０３７１】
したがって、不正に複製された光ディスクの場合、記録時の物理位置情報と、再生時の物理位置情報とには相関がなく、これらの物理位置情報は一致しないので、主情報の再生が制限され、不正に複製された光ディスクから情報を再生することを防止することができる。
【０３７２】
本発明の他の局面に係る光ディスクは、凹凸マークにより主情報が記録されている主情報記録領域と、前記凹凸マークの形成後にレーザ光が照射されることによって形成される追記マークにより前記主情報を再生するのに必要な副情報が記録されている副情報記録領域とを含む光ディスクであって、前記副情報記録領域は、前記主情報記録領域における基準位置の角度位置に基づいた記録開始点から、前記レーザ光が照射されることによって反射膜の反射率を変えるように追記マークが形成され、前記副情報が重畳記録される。
【０３７３】
この構成によれば、光ディスクは、凹凸マークにより主情報が記録されている主情報記録領域と、凹凸マークの形成後にレーザ光が照射されることによって形成される追記マークにより主情報を再生するのに必要な副情報が記録されている副情報記録領域とが含まれる。そして、副情報記録領域は、主情報記録領域における基準位置の角度位置に基づいた記録開始点から、レーザ光が照射されることによって反射膜の反射率を変えるように追記マークが形成され、副情報が重畳記録される。
【０３７４】
したがって、不正に複製された光ディスクは、記録開始点のずれや、線速度や回転数のずれによって基準位置と副情報の記録開始点とがずれるため、正しい記録開始点で副情報を再生することが不可能となり、不正に複製された光ディスクから正しい副情報を再生することはできず、不正に複製された光ディスクから主情報を再生することを防止することができる。
【０３７５】
また、上記の光ディスクにおいて、前記副情報記録領域は、前記副情報記録領域における所定角度範囲で、前記追記マークを形成しない追記マーク未記録領域を含むことが好ましい。この構成によれば、副情報記録領域には、追記マークを形成しない追記マーク未記録領域が所定角度範囲で含まれるので、追記マークにトラッキング制御を行って、追記マークを複製しようとしても、追記マーク未記録領域でトラッキング制御が不可能となり、追記マークを複製することが不可能となり、光ディスクの不正な複製を防止することができる。
【０３７６】
また、上記の光ディスクにおいて、前記基準位置を特定する情報は、前記凹凸マークの円周方向の螺旋状のトラック上にレーザ光が照射されることによって反射膜の反射率を変えて記録されていることが好ましい。
【０３７７】
この構成によれば、基準位置を特定する情報は、凹凸マークの円周方向の螺旋状のトラック上にレーザ光が照射されることによって反射膜の反射率を変えて記録されているので、例えば、記録時において、任意の基準位置を選択し、選択した基準位置を反射膜の反射率を変えて記録する。これにより、光ディスク１枚ごとに異なる基準位置が記録されるため、光ディスクの不正な解析を防止することができる。
【０３７８】
本発明の他の局面に係る光ディスク記録装置は、凹凸マークにより主情報が記録されている主情報記録領域と、前記凹凸マークの形成後にレーザ光が照射されることによって形成される追記マークにより前記主情報を再生するのに必要な副情報が記録されている副情報記録領域とを含む光ディスクに前記主情報及び前記副情報を記録する光ディスク記録装置であって、前記光ディスクの回転に同期したクロック信号を生成するクロック生成部と、前記主情報記録領域における基準位置の角度位置を抽出する基準角度抽出部と、前記基準角度抽出部によって抽出された前記角度位置に基づいて特定される前記副情報記録領域における記録開始点から、前記クロック生成部によって生成された前記クロック信号に同期したレーザ光が照射されることによって前記副情報を重畳記録する副情報記録部とを備える。
【０３７９】
この構成によれば、光ディスクには、凹凸マークにより主情報が記録されている主情報記録領域と、凹凸マークの形成後にレーザ光が照射されることによって形成される追記マークにより主情報を再生するのに必要な副情報が記録されている副情報記録領域とが含まれている。そして、クロック生成部によって、光ディスクの回転に同期したクロック信号が生成され、基準角度抽出部によって、主情報記録領域における基準位置の角度位置が抽出される。続いて、副情報記録部によって、基準角度抽出部により抽出された角度位置に基づいて特定される副情報記録領域における記録開始点から、クロック生成部により生成されたクロック信号に同期したレーザ光が照射され、副情報が重畳記録される。
【０３８０】
したがって、不正に複製された光ディスクは、記録開始点のずれや、線速度や回転数のずれによって基準位置と副情報の記録開始点とがずれるため、正しい記録開始点で副情報を再生することが不可能となり、不正に複製された光ディスクから正しい副情報を再生することはできず、不正に複製された光ディスクから主情報を再生することを防止することができる。
【０３８１】
また、上記の光ディスク記録装置において、前記基準位置は、前記凹凸マークで記録されるアドレスにより特定されることが好ましい。この構成によれば、主情報記録領域における基準位置を凹凸マークで記録されるアドレスにより特定することができる。
【０３８２】
また、上記の光ディスク記録装置において、前記クロック信号の周期は、前記アドレスの記録されている周期より短いことが好ましい。この構成によれば、クロック信号の周期は、アドレスの記録されている周期より短いので、アドレス周期内に１つ以上の追記マークを記録することができる。
【０３８３】
本発明の他の局面に係る光ディスク再生装置は、凹凸マークにより主情報が記録されている主情報記録領域と、前記凹凸マークの形成後にレーザ光が照射されることによって形成される追記マークにより前記主情報を再生するのに必要な副情報が記録されている副情報記録領域とを含む光ディスクから前記主情報及び前記副情報を再生する光ディスク再生装置であって、前記光ディスクの回転に同期したクロック信号を生成するクロック生成部と、前記主情報記録領域における基準位置の角度位置を抽出する基準角度抽出部と、前記基準角度抽出部によって抽出された前記角度位置に基づいて特定される前記副情報記録領域における再生開始点から、前記クロック生成部によって生成された前記クロック信号に同期して前記副情報を再生する副情報再生部とを備える。
【０３８４】
この構成によれば、光ディスクには、凹凸マークにより主情報が記録されている主情報記録領域と、凹凸マークの形成後にレーザ光が照射されることによって形成される追記マークにより主情報を再生するのに必要な副情報が記録されている副情報記録領域とが含まれている。そして、クロック生成部によって、光ディスクの回転に同期したクロック信号が生成され、基準角度抽出部によって、主情報記録領域における基準位置の角度位置が抽出される。続いて、副情報再生部によって、基準角度抽出部により抽出された角度位置に基づいて特定される副情報記録領域における再生開始点から、クロック生成部により生成されたクロック信号に同期して副情報が再生される。
【０３８５】
したがって、不正に複製された光ディスクは、記録開始点のずれや、線速度や回転数のずれによって基準位置と副情報の記録開始点とがずれるため、正しい記録開始点で副情報を再生することが不可能となり、不正に複製された光ディスクから正しい副情報を再生することはできず、不正に複製された光ディスクから主情報を再生することを防止することができる。
【０３８６】
また、上記の光ディスク再生装置において、前記基準位置は、前記凹凸マークで記録されるアドレスにより特定されることが好ましい。この構成によれば、主情報記録領域における基準位置を凹凸マークで記録されるアドレスにより特定することができる。
【０３８７】
また、上記の光ディスク再生装置において、前記クロック信号の周期は、前記アドレスの記録されている周期より短いことが好ましい。この構成によれば、クロック信号の周期は、アドレスの記録されている周期より短いので、アドレス周期内に１つ以上の追記マークを記録することができる。
【産業上の利用可能性】
【０３８８】
本発明に係る光ディスク、光ディスク製造方法、光ディスク記録装置及び光ディスク再生装置は、例え再生専用の光ディスクであったとしても、副情報を記録することができるばかりでなく、その副情報は、不正に他の光ディスクへ複製できないので、光ディスクに記録する主情報の著作権を不正に侵害することのない光ディスク、光ディスク製造方法、光ディスク記録装置及び光ディスク再生装置を提供することが可能となる。
【図面の簡単な説明】
【０３８９】
【図１】実施の形態１に係る光ディスクの構造を示す概念図である。
【図２】実施の形態１に係る光ディスクの内周側のコントロール領域の記録面を示す概念図である。
【図３】実施の形態１に係る光ディスクの内周側のコントロール領域の記録面を示す概念図である。
【図４】実施の形態１に係る光ディスクの内周側のコントロール領域の記録面を示す概念図である。
【図５】実施の形態１における光ディスク製造方法を示す模式図である。
【図６】実施の形態１の光ディスク記録装置の構成を示すブロック図である。
【図７】実施の形態１における光ディスク記録装置の特徴的な動作を示すタイミングチャートである。
【図８】実施の形態１の光ディスク再生装置の構成を示すブロック図である。
【図９】実施の形態１における光ディスク再生装置の特徴的な動作を示すタイミングチャートである。
【図１０】実施の形態２に係る光ディスクの構造を示す概念図である。
【図１１】実施の形態２における光ディスク製造方法を示す模式図である。
【図１２】実施の形態２における物理位置情報のデータフォーマットを示す図である。
【図１３】実施の形態２に係るプリマーク記録装置の構成を示すブロック図である。
【図１４】実施の形態２に係る物理位置情報取得装置の構成を示すブロック図である。
【図１５】実施の形態２の物理位置情報取得装置の特徴的な動作を示すタイミングチャートである。
【図１６】実施の形態２に係る光ディスク再生装置の構成を示すブロック図である。
【図１７】実施の形態２に係る光ディスク再生装置における不正ディスク判定処理を説明するための第１のフローチャートである。
【図１８】実施の形態２に係る光ディスク再生装置における不正ディスク判定処理を説明するための第２のフローチャートである。
【図１９】実施の形態３に係る光ディスクの構成を示す概念図である。
【図２０】実施の形態３に係る光ディスク記録装置の構成を示すブロック図である。
【図２１】実施の形態３の光ディスク記録装置の特徴的な動作を示すタイミングチャートである。
【図２２】実施の形態３の光ディスク再生装置の構成を示すブロック図である。
【図２３】実施の形態３の光ディスク再生装置の特徴的な動作を示すタイミングチャートである。
【図２４】図２４（Ａ）は、トラック間に間欠的に形成された追記マークを示す図であり、図２４（Ｂ）は、凹凸マーク上に蛇行して形成された追記マークを示す図であり、図２４（Ｃ）は、円周方向の間隔が短く、かつ間欠的に形成された追記マークを示す図であり、図２４（Ｄ）は、凹凸マークの半径方向の長さよりも長く、かつ連続的に形成された追記マークを示す図であり、図２４（Ｅ）は、凹凸マークの半径方向の長さよりも長く、かつ間欠的に形成された追記マークを示す図である。
【手続補正３】
【補正対象書類名】図面
【補正対象項目名】全図
【補正方法】変更
【補正の内容】
【図１】
2007139077.tif 000027
【図３】
2007139077.tif 000028
【図４】
2007139077.tif 000029
【図５】
2007139077.tif 000030
【図６】
2007139077.tif 000031
【図７】
2007139077.tif 000032
【図８】
2007139077.tif 000033
【図１１】
2007139077.tif 000034
【図１２】
2007139077.tif 000035
【図１３】
2007139077.tif 000036
【図１４】
2007139077.tif 000037
【図１６】
2007139077.tif 000038
【図１７】
2007139077.tif 000039
【図１８】
2007139077.tif 000040
【図２０】
2007139077.tif 000041
【図２１】
2007139077.tif 000042
【図２２】
2007139077.tif 000043
【図２３】
2007139077.tif 000044
【図２】
2007139077.tif 000045
【図９】
2007139077.tif 000046
【図１０】
2007139077.tif 000047
【図１５】
2007139077.tif 000048
【図１９】
2007139077.tif 000049
【図２４】
2007139077.tif 000050
【国際調査報告】
2007139077.tif 000051
2007139077.tif 000052
2007139077.tif 000053
2007139077.tif 000054
2007139077.tif 000055
2007139077.tif 000056
2007139077.tif 000057